(57)【特許請求の範囲】
【請求項１】
端末装置が、現在サブフレームにおいて伝送すべく第１種ＵＣＩを生成するステップと、
前記端末装置が、現在サブフレームにおけるＵＣＩが同時に伝送する閾値ビット数及び前記第１種ＵＣＩの伝送ビット数に基づいて、現在サブフレームにおいて伝送すべく第２種ＵＣＩを生成するステップと、
前記端末装置が、現在サブフレームにおける対応するチャネル・リソースにおいて、生成した前記第１種ＵＣＩ及び第２種ＵＣＩを伝送するステップとを備え、
前記第２種ＵＣＩの伝送ビット数は、現在サブフレームにおけるＵＣＩが同時に伝送する多種ＵＣＩの最大ビット数と前記第１種ＵＣＩの伝送ビット数の差を超えない、
前記第１種ＵＣＩがＡＣＫ／ＮＡＣＫであり、前記第２種ＵＣＩがＣＳＩである場合、前記端末装置が、現在サブフレームにおいて伝送すべく前記第１種ＵＣＩを生成することは、
前記端末装置は、設定キャリア数Ｎと、各設定キャリアの伝送モードと、各キャリア上の、現在サブフレームにおいてＡＣＫ／ＮＡＣＫフィードバックを行うべきダウンリンクサブフレーム数Ｍｉとに基づいて、生成すべきＡＣＫ／ＮＡＣＫの伝送ビット数が数１であることを確定し、
【数１】
0005990644.tif 000011
前記端末装置が、現在サブフレームにおいて伝送すべく対応の伝送ビット数のＡＣＫ／ＮＡＣＫを生成し、
ここで、Ｃｉの値は、以下の規則に従い、
シングルコード名伝送のキャリアの場合、Ｃｉは１であり、マルチコード名伝送のキャリアの場合、Ｃｉは２であり、
シングルコード名伝送、または、マルチコード名伝送であり且つ空間合併を利用するキャリアの場合、Ｃｉは１であり、マルチコード名伝送であり且つ空間合併を利用しないキャリアの場合、Ｃｉは２であり、
Ｍｉの値は以下の規則に従い、周波数分割複信ＦＤＤシステムの場合、Ｍｉは１であり、時分割複信ＴＤＤシステムの場合、異なるアグリゲーションキャリアに対応するＭｉの値は、同一であるか、異なることを特徴とするアップリンク制御情報（ＵＣＩ）の伝送方法。
【請求項２】
端末装置が、現在サブフレームにおいて伝送すべく第１種ＵＣＩを生成するステップと、
前記端末装置が、現在サブフレームにおけるＵＣＩが同時に伝送する閾値ビット数及び前記第１種ＵＣＩの伝送ビット数に基づいて、現在サブフレームにおいて伝送すべく第２種ＵＣＩを生成するステップと、
前記端末装置が、現在サブフレームにおける対応するチャネル・リソースにおいて、生成した前記第１種ＵＣＩ及び第２種ＵＣＩを伝送するステップとを備え、
前記第２種ＵＣＩの伝送ビット数は、現在サブフレームにおけるＵＣＩが同時に伝送する多種ＵＣＩの最大ビット数と前記第１種ＵＣＩの伝送ビット数の差を超えない、
前記第１種ＵＣＩがＡＣＫ／ＮＡＣＫであり、前記第２種ＵＣＩがＣＳＩである場合、前記端末装置が、現在サブフレームにおけるＵＣＩが同時に伝送する閾値ビット数及び前記第１種ＵＣＩの伝送ビット数に基づいて、現在サブフレームにおいて伝送すべく前記第２種ＵＣＩを生成することは、下記のいずれの方法であり、
方法１：
前記端末装置は、現在サブフレームにＣＳＩフィードバックがあるダウンリンクキャリアにおいて、ＣＳＩ実際フィードバックビット数がＡ−Ｂビットのダウンリンクキャリア集合を超えないと確定し、ここで、Ａは、現在サブフレームにおけるＵＣＩが同時に伝送する閾値ビット数を示し、Ｂは、前記端末装置により生成したＡＣＫ／ＮＡＣＫの伝送ビット数を示し、
前記端末装置は、ＣＳＩ報告タイプ優先レベルとキャリア番号のうちの少なくとも１つに基づいて、前記ダウンリンクキャリア集合から１つのダウンリンクキャリアを選択し、当該ダウンリンクキャリアのＣｒｅａｌビットの実際ＣＳＩフィードバック情報を生成し、選択したダウンリンクキャリアのＣｒｅａｌビットＣＳＩを、現在サブフレームにおいて前記端末装置により伝送すべきＣＳＩとし、
ここで、前記端末装置により確定したダウンリンクキャリア集合が空集合である場合、前記端末装置は、現在サブフレームにおいてＣＳＩを伝送しないと確定し、
または、
方法２：
ステップＡにおいて、前記端末装置は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、
ステップＢにおいて、前記端末装置は、選択した前記ダウンリンクキャリアのＣＳＩフィードバックビット数がＡ−Ｂビットを超えるかを判断するここで、Ａは、現在サブフレームにおけるＵＣＩが同時に伝送する閾値ビット数を示し、Ｂは、前記端末装置により生成したＡＣＫ／ＮＡＣＫの伝送ビット数を示し、
判断結果が「超えない」である場合、前記端末装置は、当該ダウンリンクキャリアのＣｒｅａｌビットの実際ＣＳＩフィードバック情報を生成し、且つ、前記ダウンリンクキャリアのＣｒｅａｌビットＣＳＩを、現在サブフレームにおいて前記端末装置により伝送すべきＣＳＩとし、
判断結果が「超える」である場合、前記端末装置は、現在サブフレームにおいてＣＳＩを伝送しないと確定し、
または、
判断結果が「超える」である場合、前記端末装置は、前記ダウンリンクキャリア集合からステップＡにおいて現在選択したダウンリンクキャリアを削除し、ステップＡを再執行し、現在アップデート後のダウンリンクキャリア集合から、引き続き１つのダウンリンクキャリアのＣＳＩを選択して対応する処理を行い、
ここで、前記現在アップデート後のダウンリンクキャリア集合が空集合である場合、前記端末装置は、現在サブフレームにおいてＣＳＩを伝送しないと確定し、
または、
方法３：
前記端末装置は、現在サブフレームにＣＳＩフィードバックがあるダウンリンクキャリアにおいて、ＣＳＩ報告タイプに対応する最大フィードバックビット数がＡ−Ｂのダウンリンクキャリア集合を超えないと確定し、ここで、Ａは、現在サブフレームにおけるＵＣＩが同時に伝送する閾値ビット数を示し、Ｂは、前記端末装置により生成したＡＣＫ／ＮＡＣＫの伝送ビット数を示し、
前記端末装置は、ＣＳＩ報告タイプ優先レベルとキャリア番号のうちの少なくとも１つに基づいて、前記ダウンリンクキャリア集合から１つのダウンリンクキャリアを選択し、現在サブフレームにおいて前記端末装置により伝送すべきＣＳＩの伝送ビット数が、前記ダウンリンクキャリアのＣＳＩ報告タイプに対応する最大フィードバックビット数Ｃｔｙｐｅ＿ｍａｘであると確定し、
ここで、前記ダウンリンクキャリアに対応するＣＳＩ報告タイプの実際フィードバックビット数ＣｒｅａｌがＣｔｙｐｅ＿ｍａｘより小さい場合、前記端末装置は、前記ダウンリンクキャリアのＣｒｅａｌビットの実際ＣＳＩフィードバック情報後に、Ｃｔｙｐｅ＿ｍａｘ−Ｃｒｅａｌビットのプレースホルダーを補充し、  且つ、プレースホルダー補充済みのＣｔｙｐｅ＿ｍａｘビットＣＳＩを、現在サブフレームにおいて前記端末装置により伝送すべきＣＳＩとし、
前記ダウンリンクキャリアに対応するＣＳＩ報告タイプの実際フィードバックビット数ＣｒｅａｌがＣｔｙｐｅ＿ｍａｘに等しい場合、前記端末装置は、前記ダウンリンクキャリアのＣｒｅａｌビットの実際ＣＳＩフィードバック情報を、現在サブフレームにおいて伝送すべきＣＳＩとし、
前記端末装置により確定したダウンリンクキャリア集合が空集合である場合、前記端末装置は、現在サブフレームにおいてＣＳＩを伝送しないと確定し、
または、
方法４：
ステップＡにおいて、前記端末装置は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、
ステップＢにおいて、前記端末装置は、前記ダウンリンクキャリアのＣＳＩ報告タイプに対応する最大フィードバックビット数Ｃｔｙｐｅ＿ｍａｘがＡ−Ｂビットを超えるかを判断し、ここで、Ａは、現在サブフレームにおけるＵＣＩが同時に伝送する閾値ビット数を示し、Ｂは、前記端末装置により生成したＡＣＫ／ＮＡＣＫの伝送ビット数を示し、
判断結果が「超えない」である場合、前記端末装置は、現在サブフレームにおいて伝送すべきＣＳＩの伝送ビット数が、前記ダウンリンクキャリアのＣＳＩ報告タイプに対応する最大フィードバックビット数Ｃｔｙｐｅ＿ｍａｘであると確定し、ここで、前記ダウンリンクキャリアのＣＳＩ報告タイプに対応する実際のフィードバックビット数ＣｒｅａｌがＣｔｙｐｅ＿ｍａｘより小さい場合、前記端末装置は、前記ダウンリンクキャリアのＣｒｅａｌビットの実際ＣＳＩフィードバック情報後に、Ｃｔｙｐｅ＿ｍａｘ−Ｃｒｅａｌビットのプレースホルダーを補充し、  プレースホルダー補充済みのＣｔｙｐｅ＿ｍａｘビットＣＳＩを、現在サブフレームにおいて端末により伝送すべきＣＳＩとする。前記ダウンリンクキャリアのＣＳＩ報告タイプに対応する実際のフィードバックビット数ＣｒｅａｌがＣｔｙｐｅ＿ｍａｘに等しい場合、前記端末装置は、前記ダウンリンクキャリアのＣｒｅａｌビットの実際ＣＳＩを、現在サブフレームにおいて伝送すべきＣＳＩとし、
判断結果が「超える」である場合、前記端末装置は、現在サブフレームにおいてＣＳＩを伝送しないと確定し、
または、
判断結果が「超える」である場合、前記端末装置は、前記ダウンリンクキャリア集合からステップＡにおいて現在選択したダウンリンクキャリアを削除し、ステップＡを再執行し、現在アップデート後のダウンリンクキャリア集合から、引き続き１つのダウンリンクキャリアのＣＳＩして対応する処理を行い、
ここで、前記現在アップデート後のダウンリンクキャリア集合が空集合である場合、前記端末装置は、現在サブフレームにおいてＣＳＩを伝送しないと確定し、
または、
方法５：
ステップＡにおいて、前記端末装置は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、
ステップＢにおいて、前記端末装置は、前記ダウンリンクキャリアのＣＳＩ報告タイプに対応する最小フィードバックビット数Ｃｔｙｐｅ＿ｍｉｎが、Ａ−Ｂビットを超えるかを判断し、ここで、Ａは、現在サブフレームにおけるＵＣＩが同時に伝送する閾値ビット数を示し、Ｂは、前記端末装置により生成したＡＣＫ／ＮＡＣＫの伝送ビット数を示し、
判断結果が「超えない」である場合、前記端末装置は、現在サブフレームにおいて伝送すべきＣＳＩの伝送ビット数がＡ−Ｂビットであると確定し、ここで、前記選択したダウンリンクキャリアのＣＳＩ報告タイプに対応する実際のフィードバックビット数ＣｒｅａｌがＡ−Ｂより小さい場合、前記端末装置は、前記ダウンリンクキャリアのＣｒｅａｌビットの実際ＣＳＩフィードバック情報後に、Ａ−Ｂ−Ｃｒｅａｌビットのプレースホルダーを補充し、プレースホルダー補充済みのＡ−ＢビットＣＳＩを、現在サブフレームにおいて端末により伝送すべきＣＳＩとする。前記ダウンリンクキャリアのＣＳＩ報告タイプに対応する実際のフィードバックビット数ＣｒｅａｌがＡ−Ｂビットより大きい場合、前記ダウンリンクキャリアの実際ＣＳＩフィードバック情報中の前のＡ−Ｂビット情報を、現在サブフレームにおいて前記端末装置により伝送すべきＣＳＩとするか、または、Ａ−Ｂビットプレースホルダーを生成して、現在サブフレームにおいて前記端末装置により伝送すべきＣＳＩとする。前記ダウンリンクキャリアのＣＳＩ報告タイプに対応する実際のフィードバックビット数ＣｒｅａｌがＡ−Ｂに等しい場合、前記ダウンリンクキャリアのＣｒｅａｌビットの実際ＣＳＩを、現在サブフレームにおいて前記端末装置により伝送すべきＣＳＩとし、
判断結果が「超える」である場合、前記端末装置は、現在サブフレームにおいてＣＳＩを伝送しないと確定し、または、
判断結果が「超える」である場合、前記端末装置は、前記ダウンリンクキャリア集合から、ステップＡで選択したダウンリンクキャリアを削除し、ステップＡを再執行して、現在アップデート後のダウンリンクキャリア集合から、引き続き１つのダウンリンクキャリアのＣＳＩを選択して対応する処理を行い、
ここで、前記現在アップデート後のダウンリンクキャリア集合が空集合である場合、前記端末装置は、現在サブフレームにおいてＣＳＩを伝送しないと確定し、
または、
方法６：
前記端末装置は、現在サブフレームにＣＳＩフィードバックがあるダウンリンクキャリアのＣＳＩ報告タイプに対応する最小フィードバックビット数Ｃｔｙｐｅ＿ｍｉｎがＡ−Ｂビットのダウンリンクキャリア集合を超えないと確定し、ここで、Ａは、現在サブフレームにおけるＵＣＩが同時に伝送する閾値ビット数を示し、Ｂは、前記端末装置により生成したＡＣＫ／ＮＡＣＫの伝送ビット数を示し、
前記端末装置は、ＣＳＩ報告タイプ優先レベルとキャリア番号のうちの少なくとも１つに基づいて、前記ダウンリンクキャリア集合から１つのダウンリンクキャリアを選択し、且つ、前記ダウンリンクキャリアのＣＳＩ報告タイプに対応する実際のフィードバックビット数ＣｒｅａｌがＡ−Ｂビットを超えるかを判断し、
前記ダウンリンクキャリアのＣＳＩ報告タイプに対応する実際のフィードバックビット数ＣｒｅａｌがＡ−Ｂビットより小さいと判断する場合、前記端末装置は、前記ダウンリンクキャリアのＣｒｅａｌビットの実際ＣＳＩフィードバック情報後に、Ａ−Ｂ−Ｃｒｅａｌビットのプレースホルダーを補充し、プレースホルダー補充済みのＡ−ＢビットＣＳＩを、現在サブフレームにおいて端末により伝送すべきＣＳＩとし、
前記ダウンリンクキャリアのＣＳＩ報告タイプに対応する実際のフィードバックビット数ＣｒｅａｌがＡ−Ｂビットに等しいと判断する場合、前記ダウンリンクキャリアのＣｒｅａｌビットの実際ＣＳＩを、現在サブフレームにおいて前記端末装置により伝送すべきＣＳＩとし、
前記ダウンリンクキャリアのＣＳＩ報告タイプに対応する実際のフィードバックビット数ＣｒｅａｌがＡ−Ｂビットより大きいと判断する場合、前記ダウンリンクキャリアの実際ＣＳＩフィードバック情報中の前のＡ−Ｂビット情報を、現在サブフレームにおいて前記端末装置により伝送すべきＣＳＩとするか、Ａ−Ｂビットプレースホルダーを生成して、現在サブフレームにおいて前記端末装置により伝送すべきＣＳＩとし、
ここで、前記端末装置により確定したダウンリンクキャリア集合が空集合である場合、前記端末装置は、現在サブフレームにおいてＣＳＩを伝送しないと確定し、
または、
方法７：
前記端末装置は、現在サブフレームにおいて伝送すべきＣＳＩの伝送ビット数がＡ−Ｂビットであると確定し、ここで、Ａは、現在サブフレームにおけるＵＣＩが同時に伝送する閾値ビット数を示し、Ｂは、前記端末装置により生成したＡＣＫ／ＮＡＣＫの伝送ビット数を示し、
前記端末装置は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、且つ、前記ダウンリンクキャリアのＣＳＩ報告タイプに対応する実際のフィードバックビット数ＣｒｅａｌがＡ−Ｂビットを超えるかを判断し、
前記ダウンリンクキャリアのＣＳＩ報告タイプに対応する実際のフィードバックビット数ＣｒｅａｌがＡ−Ｂビットより小さいと判断する場合、前記端末装置は、前記ダウンリンクキャリアのＣｒｅａｌビットの実際ＣＳＩフィードバック情報後に、Ａ−Ｂ−Ｃｒｅａｌビットのプレースホルダーを補充し、プレースホルダー補充済みのＡ−ＢビットＣＳＩを、現在サブフレームにおいて端末により伝送すべきＣＳＩとし、
前記ダウンリンクキャリアのＣＳＩ報告タイプに対応する実際のフィードバックビット数ＣｒｅａｌがＡ−Ｂビットに等しいと判断する場合、前記ダウンリンクキャリアのＣｒｅａｌビットの実際ＣＳＩを、現在サブフレームにおいて前記端末装置により伝送すべきＣＳＩとし、
前記ダウンリンクキャリアのＣＳＩ報告タイプに対応する実際のフィードバックビット数ＣｒｅａｌがＡ−Ｂビットより大きいと判断する場合、前記ダウンリンクキャリアの実際ＣＳＩフィードバック情報中の前のＡ−Ｂビット情報を、現在サブフレームにおいて前記端末装置により伝送すべきＣＳＩとするか、または、Ａ−Ｂビットプレースホルダーを生成して、現在サブフレームにおいて前記端末装置により伝送すべきＣＳＩとし、または、前記端末装置は、前記ダウンリンクキャリア集合から、前記選択したダウンリンクキャリアを削除し、再度に、ＣＳＩ報告タイプ優先レベルとキャリア番号のうちの少なくとも１つに基づいて、現在アップデート後のダウンリンクキャリア集合から、引き続き１つのダウンリンクキャリアのＣＳＩを選択して対応する処理を行う。ここで、前記現在アップデート後のダウンリンクキャリア集合が空集合である場合、前記端末装置は、現在サブフレームにおいてＣＳＩを伝送しないと確定し、
または、
方法８
前記端末装置は、現在サブフレームにおいて伝送すべきＣＳＩの伝送ビット数がＡ−Ｂビットであると確定し、ここで、Ａは、現在サブフレームにおけるＵＣＩが同時に伝送する閾値ビット数を示し、Ｂは、前記端末装置により生成したＡＣＫ／ＮＡＣＫの伝送ビット数をし、
前記端末装置は、現在サブフレームにＣＳＩフィードバックがあるダウンリンクキャリアにおいて、ＣＳＩ実際フィードバックビット数がＡ−Ｂビットのダウンリンクキャリア集合を超えないと確定し、ＣＳＩ報告タイプ優先レベルとキャリア番号のうちの少なくとも１つに基づいて、前記ダウンリンクキャリア集合から１つのダウンリンクキャリアを選択し、且つ、前記ダウンリンクキャリアのＣＳＩ報告タイプに対応する実際のフィードバックビット数ＣｒｅａｌがＡ−Ｂビットを超えるかを判断し、
前記ダウンリンクキャリアのＣＳＩ報告タイプに対応する実際のフィードバックビット数ＣｒｅａｌがＡ−Ｂビットより小さいと判断する場合、前記端末装置は、前記ダウンリンクキャリアのＣｒｅａｌビットの実際ＣＳＩフィードバック情報後に、Ａ−Ｂ−Ｃｒｅａｌビットのプレースホルダーを補充し、プレースホルダー補充済みのＡ−ＢビットＣＳＩを、現在サブフレームにおいて端末により伝送すべきＣＳＩとし、
前記ダウンリンクキャリアのＣＳＩ報告タイプに対応する実際のフィードバックビット数ＣｒｅａｌがＡ−Ｂビットに等しいと判断する場合、前記ダウンリンクキャリアのＣｒｅａｌビットの実際ＣＳＩを、現在サブフレームにおいて前記端末装置により伝送すべきＣＳＩとし、
前記ダウンリンクキャリアのＣＳＩ報告タイプに対応する実際のフィードバックビット数ＣｒｅａｌがＡ−Ｂビットより大きいと判断する場合、前記ダウンリンクキャリアの実際ＣＳＩフィードバック情報中の前のＡ−Ｂビット情報を、現在サブフレームにおいて前記端末装置により伝送すべきＣＳＩとするか、Ａ−Ｂビットプレースホルダーを生成して、現在サブフレームにおいて前記端末装置により伝送すべきＣＳＩとし、
ここで、前記端末装置により確定したダウンリンクキャリア集合が空集合である場合、前記端末装置は、Ａ−Ｂビットプレースホルダーを生成して、現在サブフレームにおいて前記端末装置により伝送すべきＣＳＩとすることを特徴とするアップリンク制御情報（ＵＣＩ）の伝送方法。
【請求項３】
端末装置が、現在サブフレームにおいて伝送すべく第１種ＵＣＩを生成するステップと、
前記端末装置が、現在サブフレームにおけるＵＣＩが同時に伝送する閾値ビット数及び前記第１種ＵＣＩの伝送ビット数に基づいて、現在サブフレームにおいて伝送すべく第２種ＵＣＩを生成するステップと、
前記端末装置が、現在サブフレームにおける対応するチャネル・リソースにおいて、生成した前記第１種ＵＣＩ及び第２種ＵＣＩを伝送するステップとを備え、
前記第２種ＵＣＩの伝送ビット数は、現在サブフレームにおけるＵＣＩが同時に伝送する多種ＵＣＩの最大ビット数と前記第１種ＵＣＩの伝送ビット数の差を超えない、
前記第１種ＵＣＩがＣＳＩであり、前記第２種ＵＣＩがＡＣＫ／ＮＡＣＫである場合、前記端末装置が、現在サブフレームにおいて伝送すべく前記第１種ＵＣＩを生成することは、
前記端末装置は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、
前記端末装置は、前記ダウンリンクキャリアのＣＳＩ報告タイプに対応する実際のフィードバックビット数Ｃｒｅａｌを、現在サブフレームにおいて伝送すべきＣＳＩ伝送ビット数とする。前記端末装置は、前記ダウンリンクキャリアのＣｒｅａｌビットＣＳＩを、現在サブフレームにおいて伝送すべきＣＳＩとし、
または、
前記端末装置は、当該ダウンリンクキャリアのＣＳＩ報告タイプに対応する最大フィードバックビット数Ｃｔｙｐｅ＿ｍａｘを、現在サブフレームにおいて前記端末装置により伝送するＣＳＩ伝送ビット数とし、前記ダウンリンクキャリアのＣＳＩ報告タイプに対応する実際のフィードバックビット数ＣｒｅａｌがＣｔｙｐｅ＿ｍａｘより小さい場合、前記端末装置は、前記ダウンリンクキャリアの実際ＣＳＩフィードバック情報後に、Ｃｔｙｐｅ＿ｍａｘ−Ｃｒｅａｌビットのプレースホルダーを補充し、且つ、プレースホルダー補充済みのＣＳＩを、現在サブフレームにおいて前記端末装置により伝送すべきＣＳＩとし、前記ダウンリンクキャリアのＣＳＩ報告タイプに対応する実際のフィードバックビット数ＣｒｅａｌがＣｔｙｐｅ＿ｍａｘに等しい場合、前記端末装置は、前記ダウンリンクキャリアのＣｒｅａｌビットＣＳＩを、現在サブフレームにおいて伝送すべきＣＳＩとすることを特徴とするアップリンク制御情報（ＵＣＩ）の伝送方法。
【請求項４】
前記第１種ＵＣＩがＣＳＩであり、前記第２種ＵＣＩがＡＣＫ／ＮＡＣＫである場合、前記端末装置が、現在サブフレームにおけるＵＣＩが同時に伝送する閾値ビット数及び前記第１種ＵＣＩの伝送ビット数に基づいて、現在サブフレームにおいて伝送すべく前記第２種ＵＣＩを生成することは、
前記端末装置は、設定キャリア数と、各設定キャリアの伝送モードと、各キャリア上の、現在サブフレームにおいてＡＣＫ／ＮＡＣＫフィードバックを行うべきダウンリンクサブフレーム数とに基づいて、フィードバック待機のＡＣＫ／ＮＡＣＫのフィードバックビット数を確定し、
前記端末装置は、前記フィードバック待機のＡＣＫ／ＮＡＣＫのフィードバックビット数がＡ−Ｃを超えるかを判断し、ここで、Ａは、現在サブフレームにおけるＵＣＩが同時に伝送する閾値ビット数を示し、Ｃは前記端末装置により生成したＣＳＩの伝送ビット数を示し、
判断結果が「超えない」である場合、前記端末装置は、前記フィードバック待機のＡＣＫ／ＮＡＣＫのフィードバックビット数に基づいて、対応のビット数のＡＣＫ／ＮＡＣＫを生成し、生成したＡＣＫ／ＮＡＣＫを、現在サブフレームにおいて前記端末装置により伝送すべきＡＣＫ／ＮＡＣＫとし、
判断結果が「超える」である場合、前記端末装置は、フィードバック待機のＡＣＫ／ＮＡＣＫに対して空間合併を行い、空間合併後のＡＣＫ／ＮＡＣＫのフィードバックビット数がＡ−Ｃを超えないようにし、且つ、空間合併後のＡＣＫ／ＮＡＣＫを、現在サブフレームにおいて前記端末装置により伝送すべきＡＣＫ／ＮＡＣＫとすることを特徴とする請求項３に記載のアップリンク制御情報（ＵＣＩ）の伝送方法。
【請求項５】
前記ＣＳＩ報告タイプに対応する最大フィードバックビット数Ｃｔｙｐｅ＿ｍａｘは、
ランク指標ＲＩ値に基づいて報告するＣＳＩ報告タイプの場合、前記ＣＳＩ報告タイプに対応する最大フィードバックビット数Ｃｔｙｐｅ＿ｍａｘは、前記ＣＳＩ報告タイプにおいて現在設定した異なるＲＩ値に対応するフィードバックビット数の最大値であり、
他のＣＳＩ報告タイプの場合、前記ＣＳＩ報告タイプに対応する最大フィードバックビット数Ｃｔｙｐｅ＿ｍａｘは、実際フィードバックビット数であることを特徴とする請求項２または請求項３に記載のアップリンク制御情報（ＵＣＩ）の伝送方法。
【請求項６】
前記閾値ビット数Ａは、既定した値であるか、上位層シグナリングまたは物理ダウンリンク制御チャネル（ＰＤＣＣＨ）シグナリングにより通知した値であり、ここで、前記Ａ値は、現在サブフレームにおいて、ＡＣＫ／ＮＡＣＫフィードバック情報及びＣＳＩフィードバック情報を同時に伝送するアップリンク伝送案の最大搬送ビット数を超えないか、または前記アップリンク伝送案の最大搬送ビット数とＳＲビット数の差のいずれ正の整数を超えないことを特徴とする請求項１ないし請求項２または請求項４に記載のアップリンク制御情報（ＵＣＩ）の伝送方法。
【請求項７】
前記現在サブフレームが、スケジューリング・リクウェストＳＲ伝送サブフレームである場合、前記端末装置は、現在サブフレームにおける対応するチャネル・リソースにおいて、生成した前記第１種ＵＣＩ及び第２種ＵＣＩと、１ビットＳＲとを伝送することを特徴とする請求項１ないし請求項６のいずれかに記載のアップリンク制御情報（ＵＣＩ）の伝送方法。
【請求項８】
現在サブフレームにおいて伝送すべく第１種ＵＣＩを生成する第１生成モジュールと、
現在サブフレームにおけるＵＣＩが同時に伝送する閾値ビット数と前記第１生成モジュールにより生成した第１種ＵＣＩの伝送ビット数とに基づいて、現在サブフレームにおいて伝送すべく第２種ＵＣＩを生成し、ここで、前記第２種ＵＣＩの伝送ビット数は、現在サブフレームにおけるＵＣＩが同時に伝送する閾値ビット数と前記第１種ＵＣＩの伝送ビット数の差を超えない第２生成モジュールと、
現在サブフレームにおける対応するチャネル・リソースにおいて、前記第１生成モジュールにより生成した前記第１種ＵＣＩと、前記第２生成モジュールにより生成した前記第２種ＵＣＩとを伝送する伝送モジュールとを備え、
前記第１種ＵＣＩがＡＣＫ／ＮＡＣＫであり、前記第２種ＵＣＩがＣＳＩである場合、前記第１生成モジュールは、
設定キャリア数Ｎと、各設定キャリアの伝送モードと、各キャリア上の、現在サブフレームにおいてＡＣＫ／ＮＡＣＫフィードバックを行うべきダウンリンクサブフレーム数Ｍｉとに基づいて、生成すべきＡＣＫ／ＮＡＣＫの伝送ビット数が数２であることを確定し、
【数２】
0005990644.tif 000012
現在サブフレームにおいて伝送すべく対応の伝送ビット数のＡＣＫ／ＮＡＣＫを生成し、
ここで、Ｃｉの値は、以下の規則に従い、
シングルコード名伝送のキャリアの場合、Ｃｉは１であり、マルチコード名伝送のキャリアの場合、Ｃｉは２であり、
または、
シングルコード名伝送、または、マルチコード名伝送であり且つ空間合併を利用するキャリアの場合、Ｃｉは１であり、マルチコード名伝送であり且つ空間合併を利用しないキャリアの場合、Ｃｉは２であり、
Ｍｉの値は以下の規則に従い、周波数分割複信ＦＤＤシステムの場合、Ｍｉ  ＝１，時分割複信ＴＤＤシステムの場合、異なるアグリゲーションキャリアに対応するＭｉの値は、同一であるか、異なり、
及び／または、
前記第１種ＵＣＩがＣＳＩであり、前記第２種ＵＣＩがＡＣＫ／ＮＡＣＫである場合、前記第１生成モジュールは、
ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、
前記ダウンリンクキャリアのＣＳＩ報告タイプに対応する実際のフィードバックビット数Ｃｒｅａｌを、現在サブフレームにおいて伝送すべきＣＳＩ伝送ビット数とし、前記ダウンリンクキャリアのＣｒｅａｌビットＣＳＩを、現在サブフレームにおいて伝送すべきＣＳＩとし、
当該ダウンリンクキャリアのＣＳＩ報告タイプに対応する最大フィードバックビット数Ｃｔｙｐｅ＿ｍａｘを、現在サブフレームにおいて伝送するＣＳＩ伝送ビット数とし、前記ダウンリンクキャリアのＣＳＩ報告タイプに対応する実際のフィードバックビット数ＣｒｅａｌがＣｔｙｐｅ＿ｍａｘより小さい場合、前記ダウンリンクキャリアの実際ＣＳＩフィードバック情報数後に、Ｃｔｙｐｅ＿ｍａｘ−Ｃｒｅａｌビットのプレースホルダーを補充し、プレースホルダー補充済みのＣＳＩを、現在サブフレームにおいて伝送すべきＣＳＩとし、前記ダウンリンクキャリアのＣＳＩ報告タイプに対応する実際のフィードバックビット数ＣｒｅａｌがＣｔｙｐｅ＿ｍａｘに等しい場合、前記ダウンリンクキャリアのＣｒｅａｌビットＣＳＩを、現在サブフレームにおいて伝送すべきＣＳＩとすることを特徴とする端末装置。
【請求項９】
現在サブフレームにおいて伝送すべく第１種ＵＣＩを生成する第１生成モジュールと、
現在サブフレームにおけるＵＣＩが同時に伝送する閾値ビット数と前記第１生成モジュールにより生成した第１種ＵＣＩの伝送ビット数とに基づいて、現在サブフレームにおいて伝送すべく第２種ＵＣＩを生成し、ここで、前記第２種ＵＣＩの伝送ビット数は、現在サブフレームにおけるＵＣＩが同時に伝送する閾値ビット数と前記第１種ＵＣＩの伝送ビット数の差を超えない第２生成モジュールと、
現在サブフレームにおける対応するチャネル・リソースにおいて、前記第１生成モジュールにより生成した前記第１種ＵＣＩと、前記第２生成モジュールにより生成した前記第２種ＵＣＩとを伝送する伝送モジュールとを備え、
前記第１種ＵＣＩがＡＣＫ／ＮＡＣＫであり、前記第２種ＵＣＩがＣＳＩである場合、前記第２生成モジュールは下記のいずれの方法で、現在サブフレームにおいて伝送すべく第２種ＵＣＩを生成し、
方法１：
現在サブフレームにＣＳＩフィードバックがあるダウンリンクキャリアにおける、ＣＳＩ実際フィードバックビット数がＡ−Ｂビットを超えないダウンリンクキャリア集合を確定し、ここで、Ａは、現在サブフレームにおけるＵＣＩが同時に伝送する閾値ビット数を示し、Ｂは、前記第１生成モジュールにより生成したＡＣＫ／ＮＡＣＫの伝送ビット数を示し、
ＣＳＩ報告タイプ優先レベルとキャリア番号のうちの少なくとも１つに基づいて、前記ダウンリンクキャリア集合から１つのダウンリンクキャリアを選択し、当該ダウンリンクキャリアのＣｒｅａｌビットの実際ＣＳＩフィードバック情報を生成し、選択したダウンリンクキャリアのＣｒｅａｌビットＣＳＩを、現在サブフレームにおいて伝送すべきＣＳＩとし、
ここで、前記確定したダウンリンクキャリア集合が空集合である場合、現在サブフレームにおいてＣＳＩが伝送されていないことを確定し、
または、
方法２：
ステップＡにおいて、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、
ステップＢにおいて、選択した前記ダウンリンクキャリアのＣＳＩフィードバックビット数がＡ−Ｂビットを超えるかを判断し、ここで、Ａは、現在サブフレームにおけるＵＣＩが同時に伝送する閾値ビット数を示し、Ｂは、前記第１生成モジュールにより生成したＡＣＫ／ＮＡＣＫの伝送ビット数を示し、
判断結果が「超えない」である場合、当該ダウンリンクキャリアのＣｒｅａｌビットの実際ＣＳＩフィードバック情報を生成し、前記ダウンリンクキャリアのＣｒｅａｌビットＣＳＩを、現在サブフレームにおいて伝送すべきＣＳＩとし、
判断結果が「超える」である場合、現在サブフレームにおいてＣＳＩが伝送されていないことを確定し、
または、
判断結果が「超える」である場合、前記ダウンリンクキャリア集合から、ステップＡにおいて現在選択したダウンリンクキャリアを削除し、ステップＡを再執行して、現在アップデート後のダウンリンクキャリア集合から、引き続き１つのダウンリンクキャリアのＣＳＩを選択して対応する処理を行い、
ここで、前記現在アップデート後のダウンリンクキャリア集合が空集合である場合、現在サブフレームにおいてＣＳＩが伝送されていないことを確定し、
方法３：
現在サブフレームにＣＳＩフィードバックがあるダウンリンクキャリアにおいて、ＣＳＩ報告タイプに対応する最大フィードバックビット数がＡ−Ｂのダウンリンクキャリア集合を超えないと確定し、ここで、Ａは、現在サブフレームにおけるＵＣＩが同時に伝送する閾値ビット数を示し、Ｂは、前記第１生成モジュールにより生成したＡＣＫ／ＮＡＣＫの伝送ビット数を示し、
ＣＳＩ報告タイプ優先レベルとキャリア番号のうちの少なくとも１つに基づいて、前記ダウンリンクキャリア集合から１つのダウンリンクキャリアを選択し、現在サブフレームにおいて伝送すべきＣＳＩの伝送ビット数が、前記ダウンリンクキャリアのＣＳＩ報告タイプに対応する最大フィードバックビット数Ｃｔｙｐｅ＿ｍａｘであると確定し、
ここで、前記ダウンリンクキャリアに対応するＣＳＩ報告タイプの実際フィードバックビット数ＣｒｅａｌがＣｔｙｐｅ＿ｍａｘより小さい場合、前記ダウンリンクキャリアのＣｒｅａｌビットの実際ＣＳＩフィードバック情報後に、Ｃｔｙｐｅ＿ｍａｘ−Ｃｒｅａｌビットのプレースホルダーを補充し、プレースホルダー補充済みのＣｔｙｐｅ＿ｍａｘビットＣＳＩと、現在サブフレームにおいて伝送すべきＣＳＩとし、
前記ダウンリンクキャリアに対応するＣＳＩ報告タイプの実際フィードバックビット数ＣｒｅａｌがＣｔｙｐｅ＿ｍａｘに等しい場合、前記ダウンリンクキャリアのＣｒｅａｌビットの実際ＣＳＩフィードバック情報を、現在サブフレームにおいて伝送すべきＣＳＩとし、
前記確定したダウンリンクキャリア集合が空集合である場合、現在サブフレームにおいてＣＳＩが伝送されていないことを確定し、
または、
方法４：
ステップＡにおいて、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、
ステップＢにおいて、前記ダウンリンクキャリアのＣＳＩ報告タイプに対応する最大フィードバックビット数Ｃｔｙｐｅ＿ｍａｘがＡ−Ｂビットを超えるかを判断し、ここで、Ａは、現在サブフレームにおけるＵＣＩが同時に伝送する閾値ビット数を示し、Ｂは、前記第１生成モジュールにより生成したＡＣＫ／ＮＡＣＫの伝送ビット数を示し、
判断結果が「超えない」である場合、現在サブフレームにおいて伝送すべきＣＳＩの伝送ビット数が、前記ダウンリンクキャリアのＣＳＩ報告タイプに対応する最大フィードバックビット数Ｃｔｙｐｅ＿ｍａｘであると確定し、ここで、前記ダウンリンクキャリアのＣＳＩ報告タイプに対応する実際のフィードバックビット数ＣｒｅａｌがＣｔｙｐｅ＿ｍａｘより小さい場合、前記ダウンリンクキャリアのＣｒｅａｌビットの実際ＣＳＩフィードバック情報後に、Ｃｔｙｐｅ＿ｍａｘ−Ｃｒｅａｌビットのプレースホルダーを補充し、プレースホルダー補充済みのＣｔｙｐｅ＿ｍａｘビットＣＳＩを、現在サブフレームにおいて端末により伝送すべきＣＳＩとし、前記ダウンリンクキャリアのＣＳＩ報告タイプに対応する実際のフィードバックビット数ＣｒｅａｌがＣｔｙｐｅ＿ｍａｘに等しい場合、前記ダウンリンクキャリアのＣｒｅａｌビットの実際ＣＳＩを、現在サブフレームにおいて伝送すべきＣＳＩとし、
判断結果が「超える」である場合、現在サブフレームにおいてＣＳＩが伝送されていないことを確定し、
または、
判断結果が「超える」である場合、前記ダウンリンクキャリア集合から、ステップＡにおいて現在選択したダウンリンクキャリアを削除し、ステップＡを再執行して、現在アップデート後のダウンリンクキャリア集合から、引き続き１つのダウンリンクキャリアのＣＳＩして対応する処理を行い、
ここで、前記現在アップデート後のダウンリンクキャリア集合が空集合である場合、現在サブフレームにおいてＣＳＩが伝送されていないことを確定し、
または、
方法５：
ステップＡにおいて、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、
ステップＢにおいて、前記ダウンリンクキャリアのＣＳＩ報告タイプに対応する最小フィードバックビット数Ｃｔｙｐｅ＿ｍｉｎがＡ−Ｂビットを超えるかを判断し、ここで、Ａは、現在サブフレームにおけるＵＣＩが同時に伝送する閾値ビット数を示し、Ｂは、前記第１生成モジュールにより生成したＡＣＫ／ＮＡＣＫの伝送ビット数を示し、
判断結果が「超えない」である場合、現在サブフレームにおいて伝送すべきＣＳＩの伝送ビット数がＡ−Ｂビットであると確定し、ここで、前記選択したダウンリンクキャリアのＣＳＩ報告タイプに対応する実際のフィードバックビット数ＣｒｅａｌがＡ−Ｂより小さい場合、前記ダウンリンクキャリアのＣｒｅａｌビットの実際ＣＳＩフィードバック情報後に、Ａ−Ｂ−Ｃｒｅａｌビットのプレースホルダーを補充し、プレースホルダー補充済みのＡ−ＢビットＣＳＩを、現在サブフレームにおいて端末により伝送すべきＣＳＩとし、前記ダウンリンクキャリアのＣＳＩ報告タイプに対応する実際のフィードバックビット数ＣｒｅａｌがＡ−Ｂビットより大きい場合、前記ダウンリンクキャリアの実際ＣＳＩフィードバックビット中の前のＡ−Ｂビット情報を、現在サブフレームにおいて伝送すべきＣＳＩとし、または、Ａ−Ｂビットプレースホルダーを生成して、現在サブフレームにおいて端末装置により伝送すべきＣＳＩとし、前記ダウンリンクキャリアのＣＳＩ報告タイプに対応する実際のフィードバックビット数ＣｒｅａｌがＡ−Ｂに等しい場合、前記ダウンリンクキャリアのＣｒｅａｌビットの実際ＣＳＩを、現在サブフレームにおいて伝送すべきＣＳＩとし、
判断結果が「超える」である場合、現在サブフレームにおいてＣＳＩが伝送されていないことを確定し、
または、
判断結果が「超える」である場合、前記ダウンリンクキャリア集合から、ステップＡで選択したダウンリンクキャリアを削除し、ステップＡを再執行して、現在アップデート後のダウンリンクキャリア集合から、引き続き１つのダウンリンクキャリアのＣＳＩを選択して対応する処理を行い、  ここで、前記現在アップデート後のダウンリンクキャリア集合が空集合である場合、現在サブフレームにおいてＣＳＩが伝送されていないことを確定し、
または、
方法６：
現在サブフレームにＣＳＩフィードバックがあるダウンリンクキャリアのＣＳＩ報告タイプに対応する最小フィードバックビット数Ｃｔｙｐｅ＿ｍｉｎがＡ−Ｂビットのダウンリンクキャリア集合を超えないと確定し、ここで、Ａは、現在サブフレームにおけるＵＣＩが同時に伝送する閾値ビット数を示し、Ｂは、前記第１生成モジュールにより生成したＡＣＫ／ＮＡＣＫの伝送ビット数を示し、
ＣＳＩ報告タイプ優先レベルとキャリア番号のうちの少なくとも１つに基づいて、前記ダウンリンクキャリア集合から１つのダウンリンクキャリアを選択し、且つ、前記ダウンリンクキャリアのＣＳＩ報告タイプに対応する実際のフィードバックビット数ＣｒｅａｌがＡ−Ｂビットを超えるかを判断し、
前記ダウンリンクキャリアのＣＳＩ報告タイプに対応する実際のフィードバックビット数ＣｒｅａｌがＡ−Ｂビットより小さいと判断する場合、前記ダウンリンクキャリアのＣｒｅａｌビットの実際ＣＳＩフィードバック情報後に、Ａ−Ｂ−Ｃｒｅａｌビットのプレースホルダーを補充し、プレースホルダー補充済みのＡ−ＢビットＣＳＩと、現在サブフレームにおいて伝送すべきＣＳＩとし、
等しいと判断する場合、前記ダウンリンクキャリアのＣｒｅａｌビットの実際ＣＳＩを、現在サブフレームにおいて伝送すべきＣＳＩとし、
前記ダウンリンクキャリアのＣＳＩ報告タイプに対応する実際のフィードバックビット数ＣｒｅａｌがＡ−Ｂビットより大きいと判断する場合、前記ダウンリンクキャリアの実際ＣＳＩフィードバック情報中の前のＡ−Ｂビット情報を、現在サブフレームにおいて伝送すべきＣＳＩとし、または、Ａ−Ｂビットプレースホルダーを生成して、現在サブフレームにおいて伝送すべきＣＳＩとし、
ここで、前記確定したダウンリンクキャリア集合が空集合である場合、現在サブフレームにおいてＣＳＩが伝送されていないことを確定し、
または、
方法７：
現在サブフレームにおいて伝送すべきＣＳＩの伝送ビット数がＡ−Ｂビットであると確定し、ここで、Ａは、現在サブフレームにおけるＵＣＩが同時に伝送する閾値ビット数を示し、Ｂは、前記第１生成モジュールにより生成したＡＣＫ／ＮＡＣＫの伝送ビット数を示し、
ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、且つ、前記ダウンリンクキャリアのＣＳＩ報告タイプに対応する実際のフィードバックビット数ＣｒｅａｌがＡ−Ｂビットを超えるかを判断し、
前記ダウンリンクキャリアのＣＳＩ報告タイプに対応する実際のフィードバックビット数ＣｒｅａｌがＡ−Ｂビットより小さいと判断する場合、前記ダウンリンクキャリアのＣｒｅａｌビットの実際ＣＳＩフィードバック情報後に、Ａ−Ｂ−Ｃｒｅａｌビットのプレースホルダーを補充し、プレースホルダー補充済みのＡ−ＢビットＣＳＩと、現在サブフレームにおいて伝送すべきＣＳＩとし、
前記ダウンリンクキャリアのＣＳＩ報告タイプに対応する実際のフィードバックビット数ＣｒｅａｌがＡ−Ｂビットに等しいと判断する場合、前記ダウンリンクキャリアのＣｒｅａｌビットの実際ＣＳＩを、現在サブフレームにおいて伝送すべきＣＳＩとし、
前記ダウンリンクキャリアのＣＳＩ報告タイプに対応する実際のフィードバックビット数ＣｒｅａｌがＡ−Ｂビットより大きいと判断する場合、前記ダウンリンクキャリアの実際ＣＳＩフィードバック情報中の前のＡ−Ｂビット情報を、現在サブフレームにおいて伝送すべきＣＳＩとし、または、Ａ−Ｂビットプレースホルダーを生成して、現在サブフレームにおいて伝送すべきＣＳＩとし、または、前記ダウンリンクキャリア集合から、前記選択したダウンリンクキャリアを削除し、再度に、ＣＳＩ報告タイプ優先レベルとキャリア番号のうちの少なくとも１つに基づいて、現在アップデート後のダウンリンクキャリア集合から、引き続き１つのダウンリンクキャリアのＣＳＩを選択して対応する処理を行い、ここで、前記現在アップデート後のダウンリンクキャリア集合が空集合である場合、現在サブフレームにおいてＣＳＩが伝送されていないことを確定し、
または、
方法８：
現在サブフレームにおいて伝送すべきＣＳＩの伝送ビット数がＡ−Ｂビットであると確定し、ここで、Ａは、現在サブフレームにおけるＵＣＩが同時に伝送する閾値ビット数を示し、Ｂは、前記第１生成モジュールにより生成したＡＣＫ／ＮＡＣＫの伝送ビット数を示し、
現在サブフレームにＣＳＩフィードバックがあるダウンリンクキャリアにおける、ＣＳＩ実際フィードバックビット数がＡ−Ｂビットを超えないダウンリンクキャリア集合を確定し、ＣＳＩ報告タイプ優先レベルとキャリア番号のうちの少なくとも１つに基づいて、前記ダウンリンクキャリア集合から１つのダウンリンクキャリアを選択し、且つ、前記ダウンリンクキャリアのＣＳＩ報告タイプに対応する実際のフィードバックビット数ＣｒｅａｌがＡ−Ｂビットを超えるかを判断し、
前記ダウンリンクキャリアのＣＳＩ報告タイプに対応する実際のフィードバックビット数ＣｒｅａｌがＡ−Ｂビットより小さいと判断する場合、前記ダウンリンクキャリアのＣｒｅａｌビットの実際ＣＳＩフィードバック情報後に、Ａ−Ｂ−Ｃｒｅａｌビットのプレースホルダーを補充し、プレースホルダー補充済みのＡ−ＢビットＣＳＩと、現在サブフレームにおいて伝送すべきＣＳＩとし、
前記ダウンリンクキャリアのＣＳＩ報告タイプに対応する実際のフィードバックビット数ＣｒｅａｌがＡ−Ｂビットに等しいと判断する場合、前記ダウンリンクキャリアのＣｒｅａｌビットの実際ＣＳＩを、現在サブフレームにおいて伝送すべきＣＳＩとし、
前記ダウンリンクキャリアのＣＳＩ報告タイプに対応する実際のフィードバックビット数ＣｒｅａｌがＡ−Ｂビットより大きいと判断する場合、前記ダウンリンクキャリアの実際ＣＳＩフィードバック情報中の前のＡ−Ｂビット情報を、現在サブフレームにおいて伝送すべきＣＳＩとし、または、Ａ−Ｂビットプレースホルダーを生成して、現在サブフレームにおいて伝送すべきＣＳＩとし、
ここで、前記確定したダウンリンクキャリア集合が空集合である場合、Ａ−Ｂビットプレースホルダーを生成して、現在サブフレームにおいて伝送すべきＣＳＩとし、
及び／または、
前記第１種ＵＣＩがＣＳＩであり、前記第２種ＵＣＩがＡＣＫ／ＮＡＣＫである場合、前記第２生成モジュールは、
設定キャリア数と、各設定キャリアの伝送モードと、各キャリア上の、現在サブフレームにおいてＡＣＫ／ＮＡＣＫフィードバックを行うべきダウンリンクサブフレーム数とに基づいて、フィードバック待機のＡＣＫ／ＮＡＣＫのフィードバックビット数を確定し、
前記フィードバック待機のＡＣＫ／ＮＡＣＫのフィードバックビット数がＡ−Ｃを超えるかを判断し、ここで、Ａは、現在サブフレームにおけるＵＣＩが同時に伝送する閾値ビット数を示し、Ｃは、前記第１生成モジュールにより生成したＣＳＩの伝送ビット数を示し、
判断結果が「超えない」である場合、前記フィードバック待機のＡＣＫ／ＮＡＣＫのフィードバックビット数に基づいて、対応のビット数のＡＣＫ／ＮＡＣＫを生成し、生成したＡＣＫ／ＮＡＣＫを、現在サブフレームにおいて伝送すべきＡＣＫ／ＮＡＣＫとし、
判断結果が「超える」である場合、フィードバック待機のＡＣＫ／ＮＡＣＫに対し空間合併を行い、空間合併後のＡＣＫ／ＮＡＣＫのフィードバックビット数がＡ−Ｃを超えないようにし、空間合併後のＡＣＫ／ＮＡＣＫを、現在サブフレームにおいて伝送すべきＡＣＫ／ＮＡＣＫとすることを特徴とする端末装置。
【請求項１０】
前記現在サブフレームが、スケジューリング・リクウェストＳＲ伝送サブフレームである場合、処理モジュールは、現在サブフレームにおける対応するチャネル・リソースにおいて、生成した前記第１種ＵＣＩ及び第２種ＵＣＩと、１ビットＳＲとを伝送することを特徴と請求項８または請求項９に記載の端末装置。
【請求項１１】
基地局が、現在サブフレームにおいて、端末装置により伝送される第１種ＵＣＩの伝送ビット数を確定するステップと、
前記基地局が、現在サブフレームにおけるＵＣＩが同時に伝送する閾値ビット数及び前記第１種ＵＣＩの伝送ビット数に基づいて、現在サブフレームにおいて、前記端末装置により伝送される第２種ＵＣＩの伝送ビット数を確定するステップと、
前記基地局が、現在サブフレームにおける対応するチャネル・リソースにおいて、前記第１種ＵＣＩの伝送ビット数と、前記第２種ＵＣＩの伝送ビット数とに基づいて、前記端末装置により伝送された第１種ＵＣＩ及び第２種ＵＣＩを受信するステップとを備え、
前記第２種ＵＣＩの伝送ビット数は、現在サブフレームにおけるＵＣＩが同時に伝送する閾値ビット数と前記第１種ＵＣＩの伝送ビット数の差を超えない、
前記第１種ＵＣＩがＡＣＫ／ＮＡＣＫであり、前記第２種ＵＣＩがＣＳＩである場合、前記基地局が、現在サブフレームにおいて、端末装置により伝送される第１種ＵＣＩの伝送ビット数を確定することは、
前記基地局は、前記端末装置の設定キャリア数Ｎと、各設定キャリアの伝送モードと、各キャリア上の、現在サブフレームにおいてＡＣＫ／ＮＡＣＫフィードバックを行うべきダウンリンクサブフレーム数Ｍｉとに基づいて、現在サブフレームにおいて前記端末装置により伝送するＡＣＫ／ＮＡＣＫの伝送ビット数が数３であると確定し、
【数３】
0005990644.tif 000013
ここで、Ｃｉの値は、以下の規則に従い、
シングルコード名伝送のキャリアの場合、Ｃｉは１であり、マルチコード名伝送のキャリアの場合、Ｃｉは２であり、
シングルコード名伝送、または、マルチコード名伝送であり且つ空間合併を利用するキャリアの場合、Ｃｉは１であり、マルチコード名伝送であり且つ空間合併を利用しないキャリアの場合、Ｃｉは２であり、
Ｍｉの値は以下の規則に従い、周波数分割複信ＦＤＤシステムの場合、Ｍｉは１であり、時分割複信ＴＤＤシステムの場合、異なるアグリゲーションキャリアに対応するＭｉの値は、同一であるか、異なり、
及び／または、
前記第１種ＵＣＩがＣＳＩであり、前記第２種ＵＣＩがＡＣＫ／ＮＡＣＫである場合、前記基地局が、現在サブフレームにおいて、端末装置により伝送される第１種ＵＣＩの伝送ビット数を確定することは、
前記基地局は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、
前記基地局は、前記ダウンリンクキャリアのＣＳＩ報告タイプに対応する実際のフィードバックビット数Ｃｒｅａｌを、現在サブフレームにおいて前記端末装置により伝送するＣＳＩ伝送ビット数とし、
または、
前記基地局は、前記ダウンリンクキャリアのＣＳＩ報告タイプに対応する最大フィードバックビット数Ｃｔｙｐｅ＿ｍａｘを、現在サブフレームにおいて前記端末装置により伝送するＣＳＩ伝送ビット数とすることを特徴とするＵＣＩの伝送方法。
【請求項１２】
基地局が、現在サブフレームにおいて、端末装置により伝送される第１種ＵＣＩの伝送ビット数を確定するステップと、
前記基地局が、現在サブフレームにおけるＵＣＩが同時に伝送する閾値ビット数及び前記第１種ＵＣＩの伝送ビット数に基づいて、現在サブフレームにおいて、前記端末装置により伝送される第２種ＵＣＩの伝送ビット数を確定するステップと、
前記基地局が、現在サブフレームにおける対応するチャネル・リソースにおいて、前記第１種ＵＣＩの伝送ビット数と、前記第２種ＵＣＩの伝送ビット数とに基づいて、前記端末装置により伝送された第１種ＵＣＩ及び第２種ＵＣＩを受信するステップとを備え、
前記第２種ＵＣＩの伝送ビット数は、現在サブフレームにおけるＵＣＩが同時に伝送する閾値ビット数と前記第１種ＵＣＩの伝送ビット数の差を超えない、
前記基地局が、現在サブフレームにおけるＵＣＩが同時に伝送する閾値ビット数及び前記第１種ＵＣＩの伝送ビット数に基づいて、現在サブフレームにおいて、前記端末装置により伝送される第２種ＵＣＩの伝送ビット数を確定する方法は、以下のいずれであり、
方法１：
前記基地局は、現在サブフレームにＣＳＩフィードバックがあるダウンリンクキャリア中の、ＣＳＩフィードバックビット数がＡ−Ｂビットを超えないダウンリンクキャリア集合を確定し、ここで、Ａは、現在サブフレームにおけるＵＣＩが同時に伝送する閾値ビット数を示し、Ｂは、前記基地局により確定した現在サブフレームにおいて前記端末装置により伝送するＡＣＫ／ＮＡＣＫの伝送ビット数を示し、
前記基地局は、ＣＳＩ報告タイプ優先レベルとキャリア番号のうちの少なくとも１つに基づいて、前記ダウンリンクキャリア集合から１つのダウンリンクキャリアを選択し、選択したダウンリンクキャリアのＣＳＩ報告タイプに対応する実際フィードバックビット数Ｃｒｅａｌを、前記基地局により確定した現在サブフレームにおいて前記端末装置により伝送するＡＣＫ／ＮＡＣＫの伝送ビット数とし、
ここで、前記基地局により確定したダウンリンクキャリア集合が空集合である場合、前記基地局は、現在サブフレームにおいて前記端末装置により伝送するＣＳＩの伝送ビット数が０であると確定し、
または、
方法２：
ステップＡにおいて、前記基地局は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、
ステップＢにおいて、前記基地局は、選択したダウンリンクキャリアのＣＳＩ報告タイプに対応する伝送ビット数がＡ−Ｂビットを超えるかを判断し、ここで、Ａは、現在サブフレームにおけるＵＣＩが同時に伝送する閾値ビット数を示し、Ｂは、前記基地局により確定した現在サブフレームにおいて前記端末装置により伝送するＡＣＫ／ＮＡＣＫの伝送ビット数を示し、
判断結果が「超えない」である場合、前記基地局は、前記ダウンリンクキャリアのＣＳＩ報告タイプに対応する実際フィードバックビット数Ｃｒｅａｌを、現在サブフレームにおいて前記端末装置により伝送するＣＳＩの伝送ビット数とし、
判断結果が「超える」である場合、前記基地局は、現在サブフレームにおいて前記端末装置により伝送するＣＳＩの伝送ビット数が０であると確定し、または、
判断結果が「超える」である場合、前記基地局は、前記ダウンリンクキャリア集合から、ステップＡにおいて現在選択したダウンリンクキャリアを削除し、ステップＡを再執行して、現在アップデート後のダウンリンクキャリア集合から、引き続き１つのダウンリンクキャリアのＣＳＩを選択して対応する処理を行い、
ここで、前記現在アップデート後のダウンリンクキャリア集合が空集合である場合、前記基地局は、現在サブフレームにおいて前記端末装置により伝送するＣＳＩの伝送ビット数が０であると確定し、または、
方法３：
前記基地局は、現在サブフレームにＣＳＩフィードバックがあるダウンリンクキャリアにおいて、ＣＳＩ報告タイプに対応する最大フィードバックビット数がＡ−Ｂのダウンリンクキャリア集合を超えないと確定し、ここで、Ａは、現在サブフレームにおけるＵＣＩが同時に伝送する閾値ビット数を示し、Ｂは、前記基地局により確定した現在サブフレームにおいて前記端末装置により伝送するＡＣＫ／ＮＡＣＫの伝送ビット数を示し、
前記基地局は、ＣＳＩ報告タイプ優先レベルとキャリア番号のうちの少なくとも１つに基づいて、前記ダウンリンクキャリア集合から１つのダウンリンクキャリアを選択し、前記現在サブフレームにおいて端末装置により伝送するＣＳＩの伝送ビット数が、前記ダウンリンクキャリアのＣＳＩ報告タイプに対応する最大フィードバックビット数Ｃｔｙｐｅ＿ｍａｘであると確定し、
ここで、前記ダウンリンクキャリアに対応するＣＳＩ報告タイプの実際フィードバックビット数ＣｒｅａｌがＣｔｙｐｅ＿ｍａｘより小さい場合、前記基地局は、前記Ｃｔｙｐｅ＿ｍａｘビットＣＳＩフィードバック情報に、Ｃｔｙｐｅ＿ｍａｘ−Ｃｒｅａｌビットのプレースホルダーが含まれると確定し、プレースホルダーが削除されたＣｒｅａｌビットＣＳＩを、前記選択したダウンリンクキャリアの実際ＣＳＩとし、
前記ダウンリンクキャリアに対応するＣＳＩ報告タイプの実際フィードバックビット数ＣｒｅａｌがＣｔｙｐｅ＿ｍａｘに等しい場合、前記基地局は、前記Ｃｔｙｐｅ＿ｍａｘビットのＣＳＩフィードバック情報が、前記選択したダウンリンクキャリアの実際ＣＳＩであると確定し、
前記確定したダウンリンクキャリア集合が空集合である場合、前記基地局は、前記現在サブフレームにおいて端末装置により伝送するＣＳＩの伝送ビット数が０であると確定し、または、
方法４：
ステップＡにおいて、前記基地局は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、
ステップＢにおいて、前記基地局は、前記ダウンリンクキャリアのＣＳＩ報告タイプに対応する最大フィードバックビット数Ｃｔｙｐｅ＿ｍａｘがＡ−Ｂビットを超えるかを判断し、ここで、Ａは、現在サブフレームにおけるＵＣＩが同時に伝送する閾値ビット数を示し、Ｂは、前記基地局により確定した、現在サブフレームにおいて前記端末により伝送すべきＡＣＫ／ＮＡＣＫの伝送ビット数を示し、
判断結果が「超えない」である場合、前記基地局は、前記現在サブフレームにおいて端末装置により伝送するＣＳＩの伝送ビット数が、前記ダウンリンクキャリアのＣＳＩ報告タイプに対応する最大フィードバックビット数Ｃｔｙｐｅ＿ｍａｘであると確定し、ここで、前記ダウンリンクキャリアに対応するＣＳＩ報告タイプの実際フィードバックビット数ＣｒｅａｌがＣｔｙｐｅ＿ｍａｘより小さい場合、前記基地局は、前記Ｃｔｙｐｅ＿ｍａｘビットＣＳＩフィードバック情報に、Ｃｔｙｐｅ＿ｍａｘ−Ｃｒｅａｌビットのプレースホルダーが含まれると確定し、プレースホルダーが削除されたＣｒｅａｌビットＣＳＩを、前記選択したダウンリンクキャリアの実際ＣＳＩとし、前記ダウンリンクキャリアに対応するＣＳＩ報告タイプの実際フィードバックビット数ＣｒｅａｌがＣｔｙｐｅ＿ｍａｘに等しい場合、前記基地局は、前記Ｃｔｙｐｅ＿ｍａｘビットのＣＳＩフィードバック情報が前記選択したダウンリンクキャリアの実際ＣＳＩであると確定し、
判断結果が「超える」である場合、前記基地局は、現在サブフレームにおいて前記端末装置により伝送するＣＳＩの伝送ビット数が０であると確定し、または、
判断結果が「超える」である場合、前記基地局は、前記ダウンリンクキャリア集合から、ステップＡにおいて現在選択したダウンリンクキャリアを削除し、ステップＡを再執行して、現在アップデート後のダウンリンクキャリア集合から、引き続き１つのダウンリンクキャリアのＣＳＩを選択して対応する処理を行い、
ここで、前記現在アップデート後のダウンリンクキャリア集合が空集合である場合、前記基地局は、現在サブフレームにおいて前記端末装置により伝送するＣＳＩの伝送ビット数が０であると確定し、
または、
方法５：
ステップＡにおいて、前記基地局は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、
ステップＢにおいて、前記基地局は、前記ダウンリンクキャリアのＣＳＩ報告タイプに対応する最小フィードバックビット数Ｃｔｙｐｅ−ｍｉｎがＡ−Ｂビットを超えるかを判断し、ここで、Ａは、現在サブフレームにおけるＵＣＩが同時に伝送する閾値ビット数を示し、Ｂは、前記基地局により確定した現在サブフレームにおいて前記端末装置により伝送するＡＣＫ／ＮＡＣＫの伝送ビット数を示し、
判断結果が「超えない」である場合、前記基地局は、前記現在サブフレームにおいて端末装置により伝送するＣＳＩの伝送ビット数がＡ−Ｂビットであると確定し、ここで、前記ダウンリンクキャリアのＣＳＩ報告タイプに対応する実際のフィードバックビット数ＣｒｅａｌがＡ−Ｂより小さい場合、前記基地局は、前記Ａ−ＢビットＣＳＩフィードバック情報にＡ−Ｂ−Ｃｒｅａｌビットのプレースホルダーが含まれると確定し、プレースホルダーが削除されたＣｒｅａｌビットＣＳＩを、前記ダウンリンクキャリアの実際ＣＳＩとし、前記ダウンリンクキャリアのＣＳＩ報告タイプに対応する実際のフィードバックビット数ＣｒｅａｌがＡ−Ｂビットより大きい場合、前記基地局は、前記Ａ−ＢビットＣＳＩフィードバック情報が前記ダウンリンクキャリアの実際ＣＳＩフィードバックビット中の前のＡ−Ｂビット情報であると確定し、または、Ａ−ＢビットＣＳＩフィードバック情報の全部がプレースホルダーであると確定し、前記ダウンリンクキャリアのＣＳＩ報告タイプに対応する実際のフィードバックビット数ＣｒｅａｌがＡ−Ｂに等しい場合、前記基地局は、前記Ａ−ＢビットのＣＳＩフィードバック情報が前記ダウンリンクキャリアの実際ＣＳＩであると確定し、
判断結果が「超える」である場合、前記基地局は、現在サブフレームにおいて前記端末装置により伝送するＣＳＩの伝送ビット数が０であると確定し、
または、
判断結果が「超える」である場合、前記基地局は、前記ダウンリンクキャリア集合から、ステップＡで選択したダウンリンクキャリアを削除し、ステップＡを再執行して、現在アップデート後のダウンリンクキャリア集合から、引き続き１つのダウンリンクキャリアのＣＳＩを選択して対応する処理を行い、
ここで、前記現在アップデート後のダウンリンクキャリア集合が空集合である場合、前記基地局は、現在サブフレームにおいて前記端末装置により伝送するＣＳＩの伝送ビット数が０であると確定し、
または、
方法６：
前記基地局は、現在サブフレームにＣＳＩフィードバックがあるダウンリンクキャリアのＣＳＩ報告タイプに対応する最小フィードバックビット数Ｃｔｙｐｅ＿ｍｉｎがＡ−Ｂビットのダウンリンクキャリア集合を超えないと確定し、ここで、Ａは、現在サブフレームにおけるＵＣＩが同時に伝送する閾値ビット数を示し、Ｂは、前記基地局により確定した現在サブフレームにおいて前記端末装置により伝送するＡＣＫ／ＮＡＣＫの伝送ビット数を示し、
前記ダウンリンクキャリア集合が空集合ではない場合、前記基地局は、現在サブフレームにおいて前記端末装置により伝送するＣＳＩの伝送ビット数がＡ−Ｂビットであると確定し、ＣＳＩ報告タイプ優先レベルとキャリア番号のうちの少なくとも１つに基づいて、前記ダウンリンクキャリア集合から１つのダウンリンクキャリアを選択し、且つ、前記ダウンリンクキャリアのＣＳＩ報告タイプに対応する実際のフィードバックビット数ＣｒｅａｌがＡ−Ｂビットを超えるかを判断し、
前記ダウンリンクキャリアのＣＳＩ報告タイプに対応する実際のフィードバックビット数ＣｒｅａｌがＡ−Ｂビットより小さいと判断する場合、前記基地局は、前記Ａ−ＢビットＣＳＩフィードバック情報にＡ−Ｂ−Ｃｒｅａｌビットのプレースホルダーが含まれると確定し、プレースホルダーが削除されたＣｒｅａｌビットＣＳＩを、前記ダウンリンクキャリアの実際ＣＳＩとし、
前記ダウンリンクキャリアのＣＳＩ報告タイプに対応する実際のフィードバックビット数ＣｒｅａｌがＡ−Ｂビットに等しいと判断する場合、前記基地局は、前記Ａ−ＢビットのＣＳＩフィードバック情報が前記ダウンリンクキャリアの実際ＣＳＩであると確定し、
前記ダウンリンクキャリアのＣＳＩ報告タイプに対応する実際のフィードバックビット数ＣｒｅａｌがＡ−Ｂビットより大きいと判断する場合、前記基地局は、前記Ａ−ＢビットＣＳＩフィードバック情報が前記ダウンリンクキャリアの実際ＣＳＩフィードバックビット中の前のＡ−Ｂビット情報であると確定し、または、Ａ−ＢビットＣＳＩフィードバック情報の全部がプレースホルダーであると確定し、
前記ダウンリンクキャリア集合が空集合である場合、前記基地局は、現在サブフレームにおいて前記端末装置により伝送するＣＳＩの伝送ビット数が０であると確定し、
または、
方法７：
前記基地局は、前記現在サブフレームにおいて端末装置により伝送するＣＳＩの伝送ビット数がＡ−Ｂビットであると確定し、ここで、Ａは、現在サブフレームにおけるＵＣＩが同時に伝送する閾値ビット数を示し、Ｂは、前記基地局により確定した現在サブフレームにおいて前記端末装置により伝送するＡＣＫ／ＮＡＣＫの伝送ビット数を示し、
前記基地局は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、且つ、前記ダウンリンクキャリアのＣＳＩ報告タイプに対応する実際のフィードバックビット数ＣｒｅａｌがＡ−Ｂビットを超えるかを判断し、
前記ダウンリンクキャリアのＣＳＩ報告タイプに対応する実際のフィードバックビット数ＣｒｅａｌがＡ−Ｂビットより小さいと判断する場合、前記基地局は、前記Ａ−ＢビットＣＳＩフィードバック情報にＡ−Ｂ−Ｃｒｅａｌビットのプレースホルダーが含まれると確定し、プレースホルダーが削除されたＣｒｅａｌビットＣＳＩを、前記ダウンリンクキャリアの実際ＣＳＩとし、
前記ダウンリンクキャリアのＣＳＩ報告タイプに対応する実際のフィードバックビット数ＣｒｅａｌがＡ−Ｂビットに等しいと判断する場合、前記基地局は、前記Ａ−ＢビットＣＳＩフィードバック情報が前記ダウンリンクキャリアの実際ＣＳＩであると確定し、
前記ダウンリンクキャリアのＣＳＩ報告タイプに対応する実際のフィードバックビット数ＣｒｅａｌがＡ−Ｂビットより大きいと判断する場合、前記基地局は、前記Ａ−ＢビットＣＳＩフィードバック情報が前記ダウンリンクキャリアの実際ＣＳＩフィードバックビット中の前のＡ−Ｂビット情報であると確定し、または、Ａ−ＢビットＣＳＩフィードバック情報の全部がプレースホルダーであると確定し、または、前記ダウンリンクキャリア集合から、前記選択したダウンリンクキャリアを削除し、再度に、ＣＳＩ報告タイプ優先レベルとキャリア番号のうちの少なくとも１つに基づいて、現在アップデート後のダウンリンクキャリア集合から、引き続き１つのダウンリンクキャリアのＣＳＩを選択して対応する処理を行い、ここで、前記現在アップデート後のダウンリンクキャリア集合が空集合である場合、前記基地局は、前記現在サブフレームにおいて端末装置により伝送するＣＳＩの伝送ビット数が０であると確定し、
または、
方法８：
前記基地局は、前記現在サブフレームにおいて端末装置により伝送するＣＳＩの伝送ビット数がＡ−Ｂビットであると確定し、ここで、Ａは、現在サブフレームにおけるＵＣＩが同時に伝送する閾値ビット数を示し、Ｂは、前記基地局により確定した現在サブフレームにおいて前記端末装置により伝送するＡＣＫ／ＮＡＣＫの伝送ビット数を示し、
前記基地局は、現在サブフレームにＣＳＩフィードバックがあるダウンリンクキャリアにおける、ＣＳＩ実際フィードバックビット数がＡ−Ｂビットを超えないダウンリンクキャリア集合を確定し、ＣＳＩ報告タイプ優先レベルとキャリア番号のうちの少なくとも１つに基づいて、前記ダウンリンクキャリア集合から１つのダウンリンクキャリアを選択し、且つ、前記ダウンリンクキャリアのＣＳＩ報告タイプに対応する実際のフィードバックビット数ＣｒｅａｌがＡ−Ｂビットを超えるかを判断し、
前記ダウンリンクキャリアのＣＳＩ報告タイプに対応する実際のフィードバックビット数ＣｒｅａｌがＡ−Ｂビットより小さいと判断する場合、前記基地局は、前記Ａ−ＢビットＣＳＩフィードバック情報にＡ−Ｂ−Ｃｒｅａｌビットのプレースホルダーが含まれると確定し、プレースホルダーが削除されたＣｒｅａｌビットＣＳＩを、前記ダウンリンクキャリアの実際ＣＳＩとし、
前記ダウンリンクキャリアのＣＳＩ報告タイプに対応する実際のフィードバックビット数ＣｒｅａｌがＡ−Ｂビットに等しいと判断する場合、前記基地局は、前記Ａ−ＢビットＣＳＩフィードバック情報が前記ダウンリンクキャリアの実際ＣＳＩであると確定し、
前記ダウンリンクキャリアのＣＳＩ報告タイプに対応する実際のフィードバックビット数ＣｒｅａｌがＡ−Ｂビットより大きいと判断する場合、前記基地局は、前記Ａ−ＢビットＣＳＩフィードバック情報が前記ダウンリンクキャリアの実際ＣＳＩフィードバックビット中の前のＡ−Ｂビット情報であると確定し、または、Ａ−ＢビットＣＳＩフィードバック情報の全部がプレースホルダーであると確定し、
ここで、前記確定したダウンリンクキャリア集合が空集合である場合、前記基地局は、前記現在サブフレームにおいて端末装置により伝送するＣＳＩの伝送ビット数が０であると確定し、
及び／または、
前記第１種ＵＣＩがＣＳＩであり、前記第２種ＵＣＩがＡＣＫ／ＮＡＣＫである場合、前記基地局が、現在サブフレームにおけるＵＣＩが同時に伝送する閾値ビット数及び前記第１種ＵＣＩの伝送ビット数に基づいて、現在サブフレームにおいて前記端末装置により伝送すべく第２種ＵＣＩの伝送ビット数を確定することは、：
前記基地局は、設定キャリア数と、各設定キャリアの伝送モードと、各キャリア上の、現在サブフレームにおいてＡＣＫ／ＮＡＣＫフィードバックを行うべきダウンリンクサブフレーム数とに基づいて、フィードバック待機のＡＣＫ／ＮＡＣＫのフィードバックビット数を確定し、
前記基地局は、前記フィードバック待機のＡＣＫ／ＮＡＣＫのフィードバックビット数がＡ−Ｃを超えるかを判断し、ここで、Ａは、現在サブフレームにおけるＵＣＩが同時に伝送する閾値ビット数を示し、Ｃは、前記基地局により確定した在現在サブフレームにおいて前記端末装置により伝送するＣＳＩの伝送ビット数を示し、
判断結果が「超えない」である場合、前記基地局は、前記フィードバック待機のＡＣＫ／ＮＡＣＫのフィードバックビット数を、現在サブフレームにおいて前記端末装置により伝送するＡＣＫ／ＮＡＣＫの伝送ビット数として確定し、
判断結果が「超える」である場合、前記基地局は、前記端末装置は、フィードバック待機のＡＣＫ／ＮＡＣＫに対して空間合併を行い、空間合併後のＡＣＫ／ＮＡＣＫのフィードバックビット数がＡ−Ｃを超えないようにし、空間合併後のＡＣＫ／ＮＡＣＫの伝送ビット数を、現在サブフレームにおいて前記端末装置により伝送するＡＣＫ／ＮＡＣＫの伝送ビット数として確定することを特徴とするＵＣＩの伝送方法。
【請求項１３】
前記ＣＳＩ報告タイプに対応する最大フィードバックビット数Ｃｔｙｐｅ＿ｍａｘは、
ランク指標ＲＩ値に基づいて報告するＣＳＩ報告タイプの場合、前記ＣＳＩ報告タイプに対応する最大フィードバックビット数Ｃｔｙｐｅ＿ｍａｘは、前記ＣＳＩ報告タイプにおいて現在設定した異なるＲＩ値に対応するフィードバックビット数の最大値であり、
他のＣＳＩ報告タイプの場合、前記ＣＳＩ報告タイプに対応する最大フィードバックビット数Ｃｔｙｐｅ＿ｍａｘは、実際フィードバックビット数であり、
及び／または、
前記閾値ビット数Ａは、既定した値であるか、または、前記基地局により確定されて、上位層シグナリングや、物理ダウンリンク制御チャネル（ＰＤＣＣＨ）シグナリングにより前記端末装置に通知された値であり、ここで、前記Ａは、現在サブフレームにおいて、ＡＣＫ／ＮＡＣＫフィードバック情報及びＣＳＩフィードバック情報を同時に伝送するアップリンク伝送案の最大搬送ビット数を超えないか、または前記アップリンク伝送案の最大搬送ビット数とＳＲビット数の差のいずれの正の整数を越えないことを特徴とする請求項１２に記載のＵＣＩの伝送方法。
【請求項１４】
前記現在サブフレームが、スケジューリング・リクウェストＳＲ伝送サブフレームである場合、
前記基地局は、現在サブフレームにおける対応するチャネル・リソースにおいて、前記第１種ＵＣＩと、第２種ＵＣＩと、１ビットＳＲとを受信することを特徴とする請求項１１ないし請求項１３のいずれかに記載のＵＣＩの伝送方法。
【請求項１５】
現在サブフレームにおいて端末装置により伝送すべく第１種ＵＣＩの伝送ビット数を確定する第１確定モジュールと、
現在サブフレームにおけるＵＣＩが同時に伝送する閾値ビット数と、前記第１確定モジュールにより確定した第１種ＵＣＩの伝送ビット数とに基づいて、現在サブフレームにおいて前記端末装置により伝送すべく第２種ＵＣＩの伝送ビット数を確定し、ここで、前記第２種ＵＣＩの伝送ビット数は、現在サブフレームにおけるＵＣＩが同時に伝送する閾値ビット数と前記第１種ＵＣＩの伝送ビット数の差を超えない第２確定モジュールと
現在サブフレームにおける対応するチャネル・リソースにおいて、前記第１確定モジュールにより確定した第１種ＵＣＩの伝送ビット数と、前記第２確定モジュールにより確定した第２種ＵＣＩの伝送ビット数とに基づいて、前記端末装置により伝送された第１種ＵＣＩ及び第２種ＵＣＩを受信する受信モジュールとを備え、
前記第１種ＵＣＩがＡＣＫ／ＮＡＣＫであり、前記第２種ＵＣＩがＣＳＩである場合、前記第１確定モジュールが現在サブフレームにおいて端末装置により伝送する第１種ＵＣＩの伝送ビット数を確定することは、
前記端末装置の設定キャリア数Ｎと、各設定キャリアの伝送モードと、各キャリア上の、現在サブフレームにおいてＡＣＫ／ＮＡＣＫフィードバックを行うべきダウンリンクサブフレーム数Ｍｉとに基づいて、現在サブフレームにおいて前記端末装置により伝送するＡＣＫ／ＮＡＣＫの伝送ビット数が数４であることを確定し、
【数４】
0005990644.tif 000014
ここで、Ｃｉの値は、以下の規則に従い、
シングルコード名伝送のキャリアの場合、Ｃｉは１であり、マルチコード名伝送のキャリアの場合、Ｃｉは２であり、
または、
シングルコード名伝送、または、マルチコード名伝送であり且つ空間合併を利用するキャリアの場合、Ｃｉは１であり、マルチコード名伝送であり且つ空間合併を利用しないキャリアの場合、Ｃｉは２であり、
Ｍｉの値は以下の規則に従い、周波数分割複信ＦＤＤシステムの場合、Ｍｉは１であり、時分割複信ＴＤＤシステムの場合、異なるアグリゲーションキャリアに対応するＭｉの値は、同一であるか、異なり、
及び／または、
前記第１種ＵＣＩがＣＳＩであり、前記第２種ＵＣＩがＡＣＫ／ＮＡＣＫである場合、前記第１確定モジュールは、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、
前記ダウンリンクキャリアのＣＳＩ報告タイプに対応する実際のフィードバックビット数Ｃｒｅａｌを、現在サブフレームにおいて前記端末装置により伝送するＣＳＩ伝送ビット数とし、
または、
前記ダウンリンクキャリアのＣＳＩ報告タイプに対応する最大フィードバックビット数Ｃｔｙｐｅ＿ｍａｘを、現在サブフレームにおいて前記端末装置により伝送するＣＳＩ伝送ビット数とすることを特徴とする基地局。
【請求項１６】
現在サブフレームにおいて端末装置により伝送すべく第１種ＵＣＩの伝送ビット数を確定する第１確定モジュールと、
現在サブフレームにおけるＵＣＩが同時に伝送する閾値ビット数と、前記第１確定モジュールにより確定した第１種ＵＣＩの伝送ビット数とに基づいて、現在サブフレームにおいて前記端末装置により伝送すべく第２種ＵＣＩの伝送ビット数を確定し、ここで、前記第２種ＵＣＩの伝送ビット数は、現在サブフレームにおけるＵＣＩが同時に伝送する閾値ビット数と前記第１種ＵＣＩの伝送ビット数の差を超えない第２確定モジュールと
現在サブフレームにおける対応するチャネル・リソースにおいて、前記第１確定モジュールにより確定した第１種ＵＣＩの伝送ビット数と、前記第２確定モジュールにより確定した第２種ＵＣＩの伝送ビット数とに基づいて、前記端末装置により伝送された第１種ＵＣＩ及び第２種ＵＣＩを受信する受信モジュールとを備え、
前記第２確定モジュールは、以下のいずれの方法で、現在サブフレームにおいて前記端末装置により伝送する第２種ＵＣＩの伝送ビット数を確定し、
方法１：
現在サブフレームにＣＳＩフィードバックがあるダウンリンクキャリア中の、ＣＳＩフィードバックビット数がＡ−Ｂビットを超えないダウンリンクキャリア集合を確定し、ここで、Ａは、現在サブフレームにおけるＵＣＩが同時に伝送する閾値ビット数を示し、Ｂは、前記第１確定モジュールにより確定した現在サブフレームにおいて前記端末装置により伝送するＡＣＫ／ＮＡＣＫの伝送ビット数を示し、
ＣＳＩ報告タイプ優先レベルとキャリア番号のうちの少なくとも１つに基づいて、前記ダウンリンクキャリア集合から１つのダウンリンクキャリアを選択し、選択したダウンリンクキャリアのＣＳＩ報告タイプに対応する実際フィードバックビット数Ｃｒｅａｌを、現在サブフレームにおいて前記端末装置により伝送するＡＣＫ／ＮＡＣＫの伝送ビット数とし、
ここで、前記確定したダウンリンクキャリア集合が空集合である場合、現在サブフレームにおいて前記端末装置により伝送するＣＳＩの伝送ビット数が０であると確定し、
または、
方法２：
ステップＡにおいて、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、
ステップＢにおいて、選択したダウンリンクキャリアのＣＳＩ報告タイプに対応する伝送ビット数がＡ−Ｂビットを超えるかを判断し、ここで、Ａは、現在サブフレームにおけるＵＣＩが同時に伝送する閾値ビット数を示し、Ｂは、前記第１確定モジュールにより確定した現在サブフレームにおいて前記端末装置により伝送するＡＣＫ／ＮＡＣＫの伝送ビット数を示し、
判断結果が「超えない」である場合、前記ダウンリンクキャリアのＣＳＩ報告タイプに対応する実際フィードバックビット数Ｃｒｅａｌを、現在サブフレームにおいて前記端末装置により伝送するＣＳＩの伝送ビット数とし、
判断結果が「超える」である場合、現在サブフレームにおいて前記端末装置により伝送するＣＳＩの伝送ビット数が０であると確定し、
または、
判断結果が「超える」である場合、前記ダウンリンクキャリア集合から、ステップＡにおいて現在選択したダウンリンクキャリアを削除し、ステップＡを再執行して、現在アップデート後のダウンリンクキャリア集合から、引き続き１つのダウンリンクキャリアのＣＳＩを選択して対応する処理を行い、
ここで、前記現在アップデート後のダウンリンクキャリア集合が空集合である場合、現在サブフレームにおいて前記端末装置により伝送するＣＳＩの伝送ビット数が０であると確定し、
または、
方法３：
現在サブフレームにＣＳＩフィードバックがあるダウンリンクキャリアにおいて、ＣＳＩ報告タイプに対応する最大フィードバックビット数がＡ−Ｂのダウンリンクキャリア集合を超えないと確定し、ここで、Ａは、現在サブフレームにおけるＵＣＩが同時に伝送する閾値ビット数を示し、Ｂは、前記第１確定モジュールにより確定した現在サブフレームにおいて前記端末装置により伝送するＡＣＫ／ＮＡＣＫの伝送ビット数を示し、
ＣＳＩ報告タイプ優先レベルとキャリア番号のうちの少なくとも１つに基づいて、前記ダウンリンクキャリア集合から１つのダウンリンクキャリアを選択し、現在サブフレームにおいて伝送するＣＳＩの伝送ビット数が、前記ダウンリンクキャリアのＣＳＩ報告タイプに対応する最大フィードバックビット数Ｃｔｙｐｅ＿ｍａｘであると確定し、
ここで、前記ダウンリンクキャリアに対応するＣＳＩ報告タイプの実際フィードバックビット数ＣｒｅａｌがＣｔｙｐｅ＿ｍａｘより小さい場合、前記Ｃｔｙｐｅ＿ｍａｘビットＣＳＩフィードバック情報に、Ｃｔｙｐｅ＿ｍａｘ−Ｃｒｅａｌビットのプレースホルダーが含まれると確定し、プレースホルダーが削除されたＣｒｅａｌビットＣＳＩを、前記ダウンリンクキャリアの実際ＣＳＩとし、
前記ダウンリンクキャリアに対応するＣＳＩ報告タイプの実際フィードバックビット数ＣｒｅａｌがＣｔｙｐｅ＿ｍａｘに等しい場合、前記Ｃｔｙｐｅ＿ｍａｘビットのＣＳＩフィードバック情報が、前記ダウンリンクキャリアの実際ＣＳＩであると確定し、
前記確定したダウンリンクキャリア集合が空集合である場合、前記現在サブフレームにおいて端末装置により伝送するＣＳＩの伝送ビット数が０であると確定し、
または、
方法４：
ステップＡにおいて、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、
ステップＢにおいて、前記ダウンリンクキャリアのＣＳＩ報告タイプに対応する最大フィードバックビット数Ｃｔｙｐｅ＿ｍａｘがＡ−Ｂビットを超えるかを判断し、ここで、Ａは、現在サブフレームにおけるＵＣＩが同時に伝送する閾値ビット数を示し、Ｂは、前記第１確定モジュールにより確定した現在サブフレームにおいて前記端末装置により伝送するＡＣＫ／ＮＡＣＫの伝送ビット数を示し、
判断結果が「超えない」である場合、前記現在サブフレームにおいて端末装置により伝送するＣＳＩの伝送ビット数が、前記ダウンリンクキャリアのＣＳＩ報告タイプに対応する最大フィードバックビット数Ｃｔｙｐｅ＿ｍａｘであると確定し、ここで、前記ダウンリンクキャリアに対応するＣＳＩ報告タイプの実際フィードバックビット数ＣｒｅａｌがＣｔｙｐｅ＿ｍａｘより小さい場合、前記Ｃｔｙｐｅ＿ｍａｘビットＣＳＩフィードバック情報に、Ｃｔｙｐｅ＿ｍａｘ−Ｃｒｅａｌビットのプレースホルダーが含まれると確定し、プレースホルダーが削除されたＣｒｅａｌビットＣＳＩを、前記ダウンリンクキャリアの実際ＣＳＩとし、前記ダウンリンクキャリアに対応するＣＳＩ報告タイプの実際フィードバックビット数ＣｒｅａｌがＣｔｙｐｅ＿ｍａｘに等しい場合、前記Ｃｔｙｐｅ＿ｍａｘビットのＣＳＩフィードバック情報が、前記ダウンリンクキャリアの実際ＣＳＩであると確定し、
判断結果が「超える」である場合、現在サブフレームにおいて前記端末装置により伝送するＣＳＩの伝送ビット数が０であると確定し、或いは、
判断結果が「超える」である場合、前記ダウンリンクキャリア集合から、ステップＡにおいて現在選択したダウンリンクキャリアを削除し、ステップＡを再執行して、現在アップデート後のダウンリンクキャリア集合から、引き続き１つのダウンリンクキャリアのＣＳＩを選択して対応する処理を行い、
ここで、前記現在アップデート後のダウンリンクキャリア集合が空集合である場合、現在サブフレームにおいて前記端末装置により伝送するＣＳＩの伝送ビット数が０であると確定し、
または、
方法５：
ステップＡにおいて、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、
ステップＢにおいて、前記ダウンリンクキャリアのＣＳＩ報告タイプに対応する最小フィードバックビット数Ｃｔｙｐｅ−ｍｉｎがＡ−Ｂビットを超えるかを判断し、ここで、Ａは、現在サブフレームにおけるＵＣＩが同時に伝送する閾値ビット数を示し、Ｂは、前記第１確定モジュールにより確定した現在サブフレームにおいて前記端末装置により伝送するＡＣＫ／ＮＡＣＫの伝送ビット数を示し、
判断結果が「超えない」である場合、前記現在サブフレームにおいて端末装置により伝送するＣＳＩの伝送ビット数がＡ−Ｂビットであると確定し、ここで、前記ダウンリンクキャリアのＣＳＩ報告タイプに対応する実際のフィードバックビット数ＣｒｅａｌがＡ−Ｂより小さい場合、前記Ａ−ＢビットＣＳＩフィードバック情報にＡ−Ｂ−Ｃｒｅａｌビットのプレースホルダーが含まれると確定し、プレースホルダーが削除されたＣｒｅａｌビットＣＳＩを、前記ダウンリンクキャリアの実際ＣＳＩとし、前記ダウンリンクキャリアのＣＳＩ報告タイプに対応する実際のフィードバックビット数ＣｒｅａｌがＡ−Ｂビットより大きい場合、前記Ａ−ＢビットＣＳＩフィードバック情報が、前記ダウンリンクキャリアの実際ＣＳＩフィードバックビット中の前のＡ−Ｂビット情報であると確定し、または、Ａ−ＢビットＣＳＩフィードバック情報の全部がプレースホルダーであると確定し、前記ダウンリンクキャリアのＣＳＩ報告タイプに対応する実際のフィードバックビット数ＣｒｅａｌがＡ−Ｂに等しい場合、前記Ａ−ＢビットのＣＳＩフィードバック情報が、前記ダウンリンクキャリアの実際ＣＳＩであると確定し、
判断結果が「超える」である場合、現在サブフレームにおいて前記端末装置により伝送するＣＳＩの伝送ビット数が０であると確定し、
または、
判断結果が「超える」である場合、前記ダウンリンクキャリア集合から、ステップＡで選択したダウンリンクキャリアを削除し、ステップＡを再執行して、現在アップデート後のダウンリンクキャリア集合から、引き続き１つのダウンリンクキャリアのＣＳＩを選択して対応する処理を行い、
ここで、前記現在アップデート後のダウンリンクキャリア集合が空集合である場合、現在サブフレームにおいて前記端末装置により伝送するＣＳＩの伝送ビット数が０であると確定し、
または、
方法６：
は、現在サブフレームにＣＳＩフィードバックがあるダウンリンクキャリアのＣＳＩ報告タイプに対応する最小フィードバックビット数Ｃｔｙｐｅ＿ｍｉｎがＡ−Ｂビットのダウンリンクキャリア集合を超えないと確定し、ここで、Ａは、現在サブフレームにおけるＵＣＩが同時に伝送する閾値ビット数を示し、Ｂは、前記第１確定モジュールにより確定した現在サブフレームにおいて前記端末装置により伝送するＡＣＫ／ＮＡＣＫの伝送ビット数を示し、
前記ダウンリンクキャリア集合が空集合ではない場合、現在サブフレームにおいて前記端末装置により伝送するＣＳＩの伝送ビット数がＡ−Ｂビットであると確定し、ＣＳＩ報告タイプ優先レベルとキャリア番号のうちの少なくとも１つに基づいて、前記ダウンリンクキャリア集合から１つのダウンリンクキャリアを選択し、且つ、前記ダウンリンクキャリアのＣＳＩ報告タイプに対応する実際のフィードバックビット数ＣｒｅａｌがＡ−Ｂビットを超えるかを判断し、
前記ダウンリンクキャリアのＣＳＩ報告タイプに対応する実際のフィードバックビット数ＣｒｅａｌがＡ−Ｂビットより小さいと判断する場合、前記Ａ−ＢビットＣＳＩフィードバック情報にＡ−Ｂ−Ｃｒｅａｌビットのプレースホルダーが含まれると確定し、プレースホルダーが削除されたＣｒｅａｌビットＣＳＩを、前記ダウンリンクキャリアの実際ＣＳＩとし、
前記ダウンリンクキャリアのＣＳＩ報告タイプに対応する実際のフィードバックビット数ＣｒｅａｌがＡ−Ｂビットに等しいと判断する場合、前記Ａ−ＢビットのＣＳＩフィードバック情報が、前記ダウンリンクキャリアの実際ＣＳＩであると確定し、
前記ダウンリンクキャリアのＣＳＩ報告タイプに対応する実際のフィードバックビット数ＣｒｅａｌがＡ−Ｂビットより大きいと判断する場合、前記Ａ−ＢビットＣＳＩフィードバック情報が、前記ダウンリンクキャリアの実際ＣＳＩフィードバックビット中の前のＡ−Ｂビット情報であると確定し、または、Ａ−ＢビットＣＳＩフィードバック情報の全部がプレースホルダーであると確定し、
前記ダウンリンクキャリア集合が空集合である場合、現在サブフレームにおいて前記端末装置により伝送するＣＳＩの伝送ビット数が０であると確定し、
または、
方法７：
前記現在サブフレームにおいて端末装置により伝送するＣＳＩの伝送ビット数がＡ−Ｂビットであると確定し、ここで、Ａは、現在サブフレームにおけるＵＣＩが同時に伝送する閾値ビット数を示し、Ｂは、前記第１確定モジュールにより確定した現在サブフレームにおいて前記端末装置により伝送するＡＣＫ／ＮＡＣＫの伝送ビット数を示し、
ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、且つ、前記ダウンリンクキャリアのＣＳＩ報告タイプに対応する実際のフィードバックビット数ＣｒｅａｌがＡ−Ｂビットを超えるかを判断し、
前記ダウンリンクキャリアのＣＳＩ報告タイプに対応する実際のフィードバックビット数ＣｒｅａｌがＡ−Ｂビットより小さいと判断する場合、前記Ａ−ＢビットＣＳＩフィードバック情報にＡ−Ｂ−Ｃｒｅａｌビットのプレースホルダーが含まれると確定し、プレースホルダーが削除されたＣｒｅａｌビットＣＳＩを、前記ダウンリンクキャリアの実際ＣＳＩとし、
前記ダウンリンクキャリアのＣＳＩ報告タイプに対応する実際のフィードバックビット数ＣｒｅａｌがＡ−Ｂビットに等しいと判断する場合、前記Ａ−ＢビットＣＳＩフィードバック情報が、前記ダウンリンクキャリアの実際ＣＳＩであると確定し、
前記ダウンリンクキャリアのＣＳＩ報告タイプに対応する実際のフィードバックビット数ＣｒｅａｌがＡ−Ｂビットより大きいと判断する場合、前記Ａ−ＢビットＣＳＩフィードバック情報が、前記ダウンリンクキャリアの実際ＣＳＩフィードバックビット中の前のＡ−Ｂビット情報であると確定し、または、Ａ−ＢビットＣＳＩフィードバック情報の全部がプレースホルダーであると確定し、または、前記ダウンリンクキャリア集合から、前記選択したダウンリンクキャリアを削除し、再度に、ＣＳＩ報告タイプ優先レベルとキャリア番号のうちの少なくとも１つに基づいて、現在アップデート後のダウンリンクキャリア集合から、引き続き１つのダウンリンクキャリアのＣＳＩを選択して対応する処理を行い、ここで、前記現在アップデート後のダウンリンクキャリア集合が空集合である場合、前記現在サブフレームにおいて端末装置により伝送するＣＳＩの伝送ビット数が０であると確定し、
または、
方法８：
前記現在サブフレームにおいて端末装置により伝送するＣＳＩの伝送ビット数がＡ−Ｂビットであると確定し、ここで、Ａは、現在サブフレームにおけるＵＣＩが同時に伝送する閾値ビット数を示し、Ｂは、前記第１確定モジュールにより確定した現在サブフレームにおいて前記端末装置により伝送するＡＣＫ／ＮＡＣＫの伝送ビット数を示し、
現在サブフレームにＣＳＩフィードバックがあるダウンリンクキャリアにおける、ＣＳＩ実際フィードバックビット数がＡ−Ｂビットを超えないダウンリンクキャリア集合を確定し、ＣＳＩ報告タイプ優先レベルとキャリア番号のうちの少なくとも１つに基づいて、前記ダウンリンクキャリア集合から１つのダウンリンクキャリアを選択し、且つ、前記ダウンリンクキャリアのＣＳＩ報告タイプに対応する実際のフィードバックビット数ＣｒｅａｌがＡ−Ｂビットを超えるかを判断し、
前記ダウンリンクキャリアのＣＳＩ報告タイプに対応する実際のフィードバックビット数ＣｒｅａｌがＡ−Ｂビットより小さいと判断する場合、前記Ａ−ＢビットＣＳＩフィードバック情報にＡ−Ｂ−Ｃｒｅａｌビットのプレースホルダーが含まれると確定し、プレースホルダーが削除されたＣｒｅａｌビットＣＳＩを、前記ダウンリンクキャリアの実際ＣＳＩとし、
前記ダウンリンクキャリアのＣＳＩ報告タイプに対応する実際のフィードバックビット数ＣｒｅａｌがＡ−Ｂビットに等しいと判断する場合、前記Ａ−ＢビットＣＳＩフィードバック情報が、前記ダウンリンクキャリアの実際ＣＳＩであると確定し、
前記ダウンリンクキャリアのＣＳＩ報告タイプに対応する実際のフィードバックビット数ＣｒｅａｌがＡ−Ｂビットより大きいと判断する場合、前記Ａ−ＢビットＣＳＩフィードバック情報が、前記ダウンリンクキャリアの実際ＣＳＩフィードバックビット中の前のＡ−Ｂビット情報であると確定し、または、Ａ−ＢビットＣＳＩフィードバック情報の全部がプレースホルダーであると確定し、
ここで、前記確定したダウンリンクキャリア集合が空集合である場合、前記現在サブフレームにおいて端末装置により伝送するＣＳＩの伝送ビット数が０であると確定し、
及び／または、
前記第１種ＵＣＩがＣＳＩであり、前記第２種ＵＣＩがＡＣＫ／ＮＡＣＫである場合、前記第２確定モジュールは、
設定キャリア数と、各設定キャリアの伝送モードと、各キャリア上の、現在サブフレームにおいてＡＣＫ／ＮＡＣＫフィードバックを行うべきダウンリンクサブフレーム数とに基づいて、フィードバック待機のＡＣＫ／ＮＡＣＫのフィードバックビット数を確定し、
前記フィードバック待機のＡＣＫ／ＮＡＣＫのフィードバックビット数がＡ−Ｃを超えるかを判断し、ここで、Ａは、現在サブフレームにおけるＵＣＩが同時に伝送する閾値ビット数を示し、Ｃは、前記第１確定モジュールにより確定した在現在サブフレームにおいて前記端末装置により伝送するＣＳＩの伝送ビット数を確定し、
判断結果が「超えない」である場合、前記フィードバック待機のＡＣＫ／ＮＡＣＫのフィードバックビット数を、現在サブフレームにおいて前記端末装置により伝送するＡＣＫ／ＮＡＣＫの伝送ビット数として確定し、
判断結果が「超える」である場合、前記端末装置は、フィードバック待機のＡＣＫ／ＮＡＣＫに対して空間合併を行い、空間合併後のＡＣＫ／ＮＡＣＫのフィードバックビット数がＡ−Ｃを超えないようにし、并将空間合併後のＡＣＫ／ＮＡＣＫの伝送ビット数を、現在サブフレームにおいて前記端末装置により伝送するＡＣＫ／ＮＡＣＫの伝送ビット数として確定することを特徴とする基地局。
【請求項１７】
前記現在サブフレームが、スケジューリング・リクウェストＳＲ伝送サブフレームである場合、処理モジュールは、現在サブフレームにおける対応するチャネル・リソースにおいて、前記第１種ＵＣＩと、第２種ＵＣＩと、１ビットＳＲとを受信することを特徴とする請求項１５または請求項１６に記載の基地局。
【発明の詳細な説明】
【技術分野】
【０００１】
本発明は通信技術分野に関し、特にアップリンク制御情報（ＵＣＩ）の伝送方法及び装置に関する。
【背景技術】
【０００２】
ＬＴＥ−Ａ（Ｌｏｎｇ  Ｔｅｒｍ  Ｅｖｏｌｕｔｉｏｎ―ａｄｖａｎｃｅｄ）システムにおいては、キャリアアグリゲーション（Ｃａｒｒｉｅｒ  Ａｇｇｒｅｇａｔｉｏｎ，ＣＡ）技術が導入され、同一ｅＮＢ（ｅｖｏｌｖｅｄ  Ｎｏｄｅ  Ｂ）の複数の連続または不連続のキャリアをアグリゲーションして、ユーザー装置（Ｕｓｅｒ  Ｅｑｕｉｐｍｅｎｔ，ＵＥ，即ち、端末装置）に同時にサービスを提供する
【０００３】
ＵＣＩ（ＵＰｌｉｎｋ  Ｃｏｎｔｒｏｌ  Ｉｎｆｏｒｍａｔｉｏｎ，アップリンク制御情報）は、ＡＣＫ／ＮＡＣＫ（Ａｃｋｎｏｗｌｅｄｇｅｍｅｎｔ／Ｎｏｎ−Ａｃｋｎｏｗｌｅｇｅｍｅｎｔ，肯定応答／否定応答）情報と、周期ＣＳＩ（Ｃｈａｎｎｅｌ  Ｓｔａｔｅ  Ｉｎｆｏｒｍａｔｉｏｎ，チャネル状態情報）と、ＳＲ（Ｓｃｈｅｄｕｌｉｎｇ  Ｒｅｑｕｅｓｔ，スケジューリング・リクウェスト）情報とを含む。
【０００４】
ここで、周期ＣＳＩは、ＲＩ（Ｒａｎｋ  Ｉｎｄｉｃａｔｏｒ，ランク指標）情報と、ＣＱＩ（Ｃｈａｎｎｅｌ  Ｑｕａｌｉｔｙ  Ｉｎｄｉｃａｔｏｒ，チャネル品質指標）情報と、ＰＭＩ（Ｐｒｅｃｏｄｉｎｇ  Ｍａｔｒｉｘ  Ｉｎｄｉｃａｔｏｒ，プリコーディングマトリックス指標）情報と、ＰＴＩ（Ｐｒｅｃｏｄｅｒ  Ｔｙｐｅ  Ｉｎｄｉｃａｔｉｏｎ，プリコーディングタイプ指標）情報とを含む。
【０００５】
ＬＴＥ−Ａ  ＣＡシステムでは、複数のアグリゲーションさらたキャリアのマルチビットＡＣＫ／ＮＡＣＫ情報を伝送するＰＵＣＣＨ（Ｐｈｙｓｉｃａｌ  Ｕｐｌｉｎｋ  Ｃｏｎｔｒｏｌ  Ｃｈａｎｎｅｌ，物理アップリンク制御チャネル）ｆｏｒｍａｔ（フォーマット）  ３が定義されている。ＰＵＣＣＨ  ｆｏｒｍａｔ  ３の最大伝送容量は、２２ビットであり、最大２０ビットＡＣＫ／ＮＡＣＫと１ビット  ＳＲのジョイントコーディング伝送をサポートする。
【０００６】
Ｒｅｌ−１０システムは、マルチキャリアのＡＣＫ／ＮＡＣＫ情報及び周期ＣＳＩのＰＵＣＣＨにおける同時伝送をサポートしない。現在サブフレームにマルチキャリアのＡＣＫ／ＮＡＣＫと周期ＣＳＩが同時に存在する場合、ＰＵＣＣＨのみにおいてＡＣＫ／ＮＡＣＫを伝送し、ＣＳＩを放棄する。
【０００７】
ＰＵＣＣＨ  ｆｏｒｍａｔ３でＡＣＫ／ＮＡＣＫを伝送するＵＥは、ＡＣＫ／ＮＡＣＫ及びＣＳＩの１つのサブフレームにおける伝送をサポートするように設定され、且つＰＣＣ（Ｐｒｉｍａｒｙ  Ｃｏｍｐｏｎｅｎｔ  ＣＡｒｒｉｅｒ，主コンポーネントキャリア）のみにおいて１つのダウンリンクサブフレームを受信する場合、当該ダウンリンクサブフレームのＡＣＫ／ＮＡＣＫ及び１つのキャリアの周期ＣＳＩのＰＵＣＣＨ  ｆｏｒｍａｔ  ２／２Ａ／２ｂでの同時伝送をサポートする。現在サブフレームにおいて、ＣＳＩをフィードバックすべくキャリアが同時に複数ある場合、予めに定義されたＣＳＩ報告タイプ（Ｒｅｐｏｒｔｉｎｇ  Ｔｙｐｅ）優先レベルに基づいて、１つ高いＣＳＩ  Ｒｅｐｏｒｔｉｎｇ  Ｔｙｐｅ優先レベルのキャリアのＣＳＩを選択して報告する。ここで、最高優先レベルＲｅｐｏｒｔｉｎｇ  Ｔｙｐｅｓはｔｙｐｅ  ３、５、６及び２Ａであり、その後はｔｙｐｅ  ２、２ｂ、２ｃ及び４であり、最低優先レベルＲｅｐｏｒｔｉｎｇ  Ｔｙｐｅｓはｔｙｐｅ  １及び１Ａである。各種のＣＳＩ  ｒｅｐｏｒｔｉｎｇ  ｔｙｐｅの異なる報告モード（Ｒｅｐｏｒｔｉｎｇ  Ｍｏｄｅ）における、対応するＣＳＩ報告コンテンツ及びビットは、表１に示すように、ＵＥの各活性化キャリアが１つのアップリンクサブフレームにおいて、現在設定した報告タイプ及び具体的な状態のみに基づいて、１種のｒｅｐｏｒｔｉｎｇ  ｔｙｐｅを報告する。複数のキャリアが同時に同一のＲｅｐｏｒｔｉｎｇ  Ｔｙｐｅ優先レベルを有すれば、さらにキャリア番号に基づいて、番号が最小であるキャリアのＣＳＩを選択して報告する。
【０００８】
【表１Ａ】
0005990644.tif 000002
【表１Ｂ】
0005990644.tif 000003
【表１Ｃ】
0005990644.tif 000004
【０００９】
表１において、ｂｉｔｓ／ＢＰは、各帯域幅部分（Ｂａｎｄｗｉｄｔｈ  Ｐａｒｔ）の報告ビット数を示す。ＣＱＩ／ＰＭＩは、広帯域（Ｗｉｄｅｂａｎｄ）ＣＱＩ／ＰＭＩ及びサブバンド（Ｓｕｂ−ｂａｎｄ）ＣＱＩ／ＰＭＩに分けられる。Ａｎｔｅｎｎａ  Ｐｏｒｔｓは、アンテナポートである。Ｌａｙｅｒは伝送層である。Ｓｐａｔｉａｌ  ｍｕｌｔｉｐｌｅｘｉｎｇは空間多重化を示す。ＮＡは、対応する報告モードにおいて、当該報告タイプをサポートしないことを示す。Ｌは、サブバンドを選択するサブバンド識別子情報であり、最大２ビットである。
【発明の概要】
【発明が解決しようとする課題】
【００１０】
ＬＴＥ−Ａ  Ｒｅｌ−１１  ＣＡシステムにおいて、ＵＣＩ伝送強化研究を行った。ＣＳＩ過度放棄によるｅＮＢのダウンリンクスケジューリングへの影響を防ぐため、ＰＵＣＣＨ  ｆｏｒｍａｔ  ３でマルチキャリアのＡＣＫ／ＮＡＣＫ及び１つのキャリアの周期ＣＳＩを同時に伝送することをサポートする。ＳＲがある場合、１ビットのＳＲとの同時伝送もサポートする。
【００１１】
本発明にかかる実施例は、ＵＣＩの伝送方法及び装置を提供して、ＡＣＫ／ＮＡＣＫ及びＣＳＩの具体的な伝送ビットを正確に確定できないため、最大搬送ビット数を超えない場合、ＡＣＫ／ＮＡＣＫ及びＣＳＩを同時に伝送することを確保できない問題を解決できるようになる。
【課題を解決するための手段】
【００１２】
上述の目的を達成するため、本発明に係る実施例のアップリンク制御情報（ＵＣＩ）の伝送方法は、端末装置が、現在サブフレームにおいて伝送すべく第１種ＵＣＩを生成するステップと、前記端末装置が、現在サブフレームにおけるＵＣＩが同時に伝送する閾値ビット数及び前記第１種ＵＣＩの伝送ビット数に基づいて、現在サブフレームにおいて伝送すべく第２種ＵＣＩを生成するステップと、前記端末装置が、現在サブフレームにおける対応するチャネル・リソースにおいて、生成した前記第１種ＵＣＩ及び第２種ＵＣＩを伝送するステップとを備える。ここで、前記第２種ＵＣＩの伝送ビット数は、現在サブフレームにおけるＵＣＩが同時に伝送する多種ＵＣＩの最大ビット数と前記第１種ＵＣＩの伝送ビット数の差を超えない。
【００１３】
また、本発明に係る実施例の端末装置は、現在サブフレームにおいて伝送すべく第１種ＵＣＩを生成する第１生成モジュールと、現在サブフレームにおけるＵＣＩが同時に伝送する閾値ビット数と前記第１生成モジュールにより生成した第１種ＵＣＩの伝送ビット数とに基づいて、現在サブフレームにおいて伝送すべく第２種ＵＣＩを生成し、ここで、前記第２種ＵＣＩの伝送ビット数は、現在サブフレームにおけるＵＣＩが同時に伝送する閾値ビット数と前記第１種ＵＣＩの伝送ビット数の差を超えない第２生成モジュールと、現在サブフレームにおける対応するチャネル・リソースにおいて、前記第１生成モジュールにより生成した前記第１種ＵＣＩと、前記第２生成モジュールにより生成した前記第２種ＵＣＩとを伝送する伝送モジュールとを備える。
【００１４】
また、本発明に係る実施例のＵＣＩの伝送方法は、基地局が、現在サブフレームにおいて、端末装置により伝送される第１種ＵＣＩの伝送ビット数を確定するステップと、前記基地局が、現在サブフレームにおけるＵＣＩが同時に伝送する閾値ビット数及び前記第１種ＵＣＩの伝送ビット数に基づいて、現在サブフレームにおいて、前記端末装置により伝送される第２種ＵＣＩの伝送ビット数を確定するステップと、前記基地局が、現在サブフレームにおける対応するチャネル・リソースにおいて、前記第１種ＵＣＩの伝送ビット数と、前記第２種ＵＣＩの伝送ビット数とに基づいて、前記端末装置により伝送された第１種ＵＣＩ及び第２種ＵＣＩを受信するステップとを備える。ここで、前記第２種ＵＣＩの伝送ビット数は、現在サブフレームにおけるＵＣＩが同時に伝送する閾値ビット数と前記第１種ＵＣＩの伝送ビット数の差を超えない。
【００１５】
また、本発明に係る実施例の基地局は、現在サブフレームにおいて端末装置により伝送すべく第１種ＵＣＩの伝送ビット数を確定する第１確定モジュールと、現在サブフレームにおけるＵＣＩが同時に伝送する閾値ビット数と、前記第１確定モジュールにより確定した第１種ＵＣＩの伝送ビット数とに基づいて、現在サブフレームにおいて前記端末装置により伝送すべく第２種ＵＣＩの伝送ビット数を確定し、ここで、前記第２種ＵＣＩの伝送ビット数は、現在サブフレームにおけるＵＣＩが同時に伝送する閾値ビット数と前記第１種ＵＣＩの伝送ビット数の差を超えない第２確定モジュールと、現在サブフレームにおける対応するチャネル・リソースにおいて、前記第１確定モジュールにより確定した第１種ＵＣＩの伝送ビット数と、前記第２確定モジュールにより確定した第２種ＵＣＩの伝送ビット数とに基づいて、前記端末装置により伝送された第１種ＵＣＩ及び第２種ＵＣＩを受信する受信モジュールとを備える。
【発明の効果】
【００１６】
従来の技術と比べ、本発明に係る実施例の技術案は下記のメリットを有する。
本発明に係る実施例の技術案によれば、現在サブフレームに対応するチャネル・リソースにおいて、ＡＣＫ／ＮＡＣＫ及び周期ＣＳＩを同時に伝送する方法を実施でき、現在サブフレームにおけるＵＣＩが同時に伝送する閾値ビット数と、第１種ＵＣＩが現在サブフレームにおける伝送ビット数とに基づいて、第１種ＵＣＩと同時に伝送する第２種ＵＣＩの伝送ビット数を動的に確定することにより、同時に伝送するＵＣＩビットの和が現在サブフレームにおけるＵＣＩが同時に伝送する閾値ビット数を超えないことを確保し、さらに、ＡＣＫ／ＮＡＣＫ合併及びＣＳＩ放棄をなるべく防ぎ、アップリンク情報伝送の正確性及び整合性を最大限に確保する。
【図面の簡単な説明】
【００１７】
【図１】図１は本発明に係る実施例のＵＣＩの伝送方法のフローチャート図である。
【図２Ａ】図２Ａは本発明に係る第１実施例の端末装置側の処理方法のフローチャート図である。
【図２Ｂ】図２Ｂは本発明に係る第１実施例の端末装置側が現在サブフレームにおいて伝送すべきＣＳＩを確定する第１種仕様のフローチャート図である。
【図２Ｃ】図２ｃは本発明に係る第１実施例の端末装置側が現在サブフレームにおいて伝送すべきＣＳＩを確定する第２種仕様のフローチャート図である。
【図２Ｄ】図２Ｄは本発明に係る第１実施例の端末装置側が現在サブフレームにおいて伝送すべきＣＳＩを確定する第３種仕様のフローチャート図である。
【図２Ｅ】図２Ｅは本発明に係る第１実施例の端末装置側が現在サブフレームにおいて伝送すべきＣＳＩを確定する第４種仕様のフローチャート図である。
【図２Ｆ】図２Ｆは本発明に係る第１実施例の端末装置側が現在サブフレームにおいて伝送すべきＣＳＩの第５種仕様のフローチャート図である。
【図２Ｇ】図２Ｇは本発明に係る第１実施例の端末装置側が現在サブフレームにおいて伝送すべきＣＳＩを確定する第６種仕様のフローチャート図である。
【図２Ｈ】図２Ｈは本発明に係る第１実施例の端末装置側が現在サブフレームにおいて伝送すべきＣＳＩを確定する第７種仕様のフローチャート図である。
【図２Ｉ】図２Ｉは本発明に係る第１実施例の端末装置側が現在サブフレームにおいて伝送すべきＣＳＩを確定する第８種仕様のフローチャート図である。
【図３Ａ】図３Ａは本発明に係る第２実施例の基地局側の処理方法のフローチャート図である。
【図３Ｂ】図３Ｂは本発明に係る第２実施例の基地局側が第２種ＵＣＩの伝送ビット数を確定する第１種仕様のフローチャート図である。
【図３Ｃ】図３Ｃは本発明に係る第２実施例の基地局側が第２種ＵＣＩの伝送ビット数を確定する第２種仕様のフローチャート図である。
【図３Ｄ】図３Ｄは本発明に係る第２実施例の基地局側が第２種ＵＣＩの伝送ビット数を確定する第３種仕様のフローチャート図である。
【図３Ｅ】図３Ｅは本発明に係る第２実施例の基地局側が第２種ＵＣＩの伝送ビット数を確定する第４種仕様仕様のフローチャート図である。
【図３Ｆ】図３Ｆは本発明に係る第２実施例の基地局側が第２種ＵＣＩの伝送ビット数を確定する第５種仕様仕様のフローチャート図である。
【図３Ｇ】図３Ｇは本発明に係る第２実施例の基地局側が第２種ＵＣＩの伝送ビット数を確定する第６種仕様仕様のフローチャート図である。
【図３Ｈ】図３Ｈは本発明に係る第２実施例の基地局側が第２種ＵＣＩの伝送ビット数を確定する第７種仕様のフローチャート図である。
【図３Ｉ】図３Ｉは本発明に係る第２実施例の基地局側が第２種ＵＣＩの伝送ビット数を確定する第８種仕様のフローチャート図である。
【図４】図４は本発明に係る第３実施例の端末装置側の処理方法のフローチャート図である。
【図５】図５は本発明に係る第４実施例の基地局側の処理方法のフローチャート図である。
【図６】図６は本発明に係る実施例の端末装置の構造図である。
【図７】図７は本発明に係る実施例の基地局の構造図である。
【発明を実施するための形態】
【００１８】
本発明の目的、技術案及びメリットを明確にするため、以下、図面を参照しながら本発明を詳しく説明する。
【００１９】
従来、ＰＵＣＣＨ  ｆｏｒｍａｔ３の最大搬送ビット数は２２であり、図１に示すように、１つのキャリアのＣＳＩの最大ビット数は１１であることがわかる。ＡＣＫ／ＮＡＣＫと、周期ＣＳＩとを同時に伝送する場合、ＡＣＫ／ＮＡＣＫ及びＣＳＩの具体的な伝送ビットをいかなる確定し、ｆｏｒｍａｔ３の最大搬送ビット数を超えないようにするのは、解決しようとする課題であり、従来は、明確な解決案は案出できていない。
【００２０】
ＬＴＥ−Ａ  Ｒｅｌ−１１  ＣＡシステムにおいて、ＰＵＣＣＨ  ｆｏｒｍａｔ  ３をサポートするＵＥは、ＰＵＣＣＨ  ｆｏｒｍａｔ  ３で複数のアグリゲーションキャリアのＡＣＫ／ＮＡＣＫ情報及び１つのキャリアの周期ＣＳＩを同時伝送することをサポートするが、同時伝送する際のＡＣＫ／ＮＡＣＫ及びＣＳＩの搬送ビット分割方法はまだ明確になっていない。このような欠陥を解決するために、本発明に係る実施例はＵＣＩの伝送方法を提供する。ＰＵＣＣＨ  ｆｏｒｍａｔ３伝送案且つマルチキャリアのＡＣＫ／ＮＡＣＫ及び周期ＣＳＩのＰＵＣＣＨにおける同時伝送をサポートするＵＥは、現在サブフレームにおけるＵＣＩが同時に伝送する閾値ビット数Ａと、第１種ＵＣＩが現在サブフレームにおける伝送ビット数とに基づいて、第１種ＵＣＩと同時に伝送する第２種ＵＣＩの伝送ビット数を動的に確定することができる。即ち、現在サブフレームにおいて同時に伝送するＡＣＫ／ＮＡＣＫの伝送ビット数及びＣＳＩの伝送ビット数を動的に確定でき、伝送ビット数の和がＡを超えない要件を満たすようになる。
【００２１】
図１は、本発明に係る実施例のアップリンク制御情報（ＵＣＩ）の伝送方法のフローチャート図である。当該方法は、ステップＳ１０１と、ステップＳ１０２と、ステップＳ１０３とを備える。
【００２２】
ステップＳ１０１において、端末装置は、現在サブフレームにおいて伝送すべく第１種ＵＣＩを生成する。
【００２３】
ここで説明すべきのは、本発明に係る実施例の技術案の処理の間、前記第１種ＵＣＩがＡＣＫ／ＮＡＣＫである場合、前記第２種ＵＣＩはＣＳＩである。前記第１種ＵＣＩがＣＳＩである場合、前記第２種ＵＣＩはＡＣＫ／ＮＡＣＫである。
【００２４】
以下、このような２つの異なる実施シナリオに対し、本発明に係る実施例の２種ＵＣＩの確定方法を説明する。
【００２５】
〈実施シナリオ１〉
前記第１種ＵＣＩはＡＣＫ／ＮＡＣＫであり、前記第２種ＵＣＩはＣＳＩである。
【００２６】
当該実施シナリオにおいて、ステップＳ１０１は具体的に下記のように処理する。
【００２７】
前記端末装置は、設定キャリア数Ｎと、各設定キャリアの伝送モードと、各キャリア上の、現在サブフレームにおいてＡＣＫ／ＮＡＣＫフィードバックを行うべきダウンリンクサブフレーム数Ｍｉとに基づいて、生成すべきＡＣＫ／ＮＡＣＫの伝送ビット数を確定する。当該生成すべきＡＣＫ／ＮＡＣＫの伝送ビット数は数１で表す。
【００２８】
【数１】
0005990644.tif 000005
【００２９】
前記端末装置は、現在サブフレームにおいて伝送すべく対応の伝送ビット数のＡＣＫ／ＮＡＣＫを生成する。
【００３０】
ここで、Ｂは、前記端末装置により確定した生成すべきＡＣＫ／ＮＡＣＫの伝送ビット数を示す。
【００３１】
Ｃｉの値は下記の規則に従う。
シングルコード名伝送のキャリアの場合、Ｃｉは１であり、マルチコード名伝送のキャリアの場合、Ｃｉは２である。
【００３２】
あるいは、シングルコード名伝送またはマルチコード名伝送であり且つ空間合併を利用するキャリアの場合、Ｃｉは１であり，マルチコード名伝送であり且つ空間合併を利用しないキャリアの場合、Ｃｉは２である。
【００３３】
Ｍｉは、現在キャリア上の、現在サブフレームにおいてＡＣＫ／ＮＡＣＫフィードバックを行うべきダウンリンクサブフレーム数を表し、その値は以下の規則に従う。周波数分割複信ＦＤＤシステムの場合、Ｍｉは１であり、時分割複信ＴＤＤシステムの場合、異なるアグリゲーションキャリアに対応するＭｉの値は同一であるかまたは異なる。
【００３４】
〈実施シナリオ２〉
前記第１種ＵＣＩはＣＳＩであり、前記第２種ＵＣＩはＡＣＫ／ＮＡＣＫである。
【００３５】
当該実施シナリオにおいて、ステップＳ１０１は、具体的に以下のように処理する。
【００３６】
前記端末装置は、ＣＳＩ報告タイプ優先レベル及びキャリア番号の少なくとも１つに基づいて、現在サブフレームにＣＳＩフィードバックがあるダウンリンクキャリア集合から、１つのダウンリンクキャリアを選択する。
【００３７】
前記端末装置は、前記ダウンリンクキャリアのＣＳＩ報告タイプに対応する実際のフィードバックビット数Ｃｒｅａｌを、現在サブフレームにおいて伝送すべきＣＳＩ伝送ビット数とする。前記端末装置は、前記ダウンリンクキャリアのＣｒｅａｌビットＣＳＩを、現在サブフレームにおいて伝送すべきＣＳＩとする。
【００３８】
或いは、前記端末装置は、当該ダウンリンクキャリアのＣＳＩ報告タイプに対応する最大フィードバックビット数Ｃｔｙｐｅ＿ｍａｘを、現在サブフレームにおいて前記端末装置により伝送するＣＳＩ伝送ビット数とし、前記ダウンリンクキャリアのＣＳＩ報告タイプに対応する実際のフィードバックビット数ＣｒｅａｌがＣｔｙｐｅ＿ｍａｘより小さい場合、前記端末装置は、前記ダウンリンクキャリアの実際ＣＳＩフィードバック情報後に、Ｃｔｙｐｅ＿ｍａｘ−Ｃｒｅａｌビットのプレースホルダーを補充し、且つ、プレースホルダー補充済みのＣＳＩを、現在サブフレームにおいて前記端末装置により伝送すべきＣＳＩとする。前記ダウンリンクキャリアのＣＳＩ報告タイプに対応する実際のフィードバックビット数ＣｒｅａｌがＣｔｙｐｅ＿ｍａｘに等しい場合、前記端末装置は、前記ダウンリンクキャリアのＣｒｅａｌビットＣＳＩを、現在サブフレームにおいて伝送すべきＣＳＩとする。
【００３９】
ここで、前記プレースホルダーは、端末装置及び基地局により既定した固定値であり、０または１にすることができるが、好ましくは０にする。後記のプレースホルダーもここと同じようにしているので、説明は繰り返さない。
【００４０】
ステップＳ１０２において、前記端末装置は、現在サブフレームにおけるＵＣＩが同時に伝送する閾値ビット数及び前記第１種ＵＣＩの伝送ビット数に基づいて、現在サブフレームにおいて伝送すべく第２種ＵＣＩを生成する。
【００４１】
ここで、前記第２種ＵＣＩの伝送ビット数は、現在サブフレームにおけるＵＣＩが同時に伝送する閾値ビット数Ａと前記第１種ＵＣＩの伝送ビット数の差を超えない。
【００４２】
実用される場合、前記閾値ビット数Ａは、既定した値であるか、上位層シグナリングまたは物理ダウンリンク制御チャネル（ＰＤＣＣＨ）シグナリングにより通知した値である。ここで、前記Ａは、正の整数であり、且つ、Ａは、現在サブフレームにおいて、ＡＣＫ／ＮＡＣＫフィードバック情報及びＣＳＩフィードバック情報を同時に伝送するアップリンク伝送案の最大搬送ビット数より大きくないか、または、Ａは、前記アップリンク伝送案の最大搬送ビット数とＳＲビット数の差より大きくない。
【００４３】
同様に、ステップＳ１０１における２種の実施シナリオと比べ、本ステップの処理にも、異なるところがあるが、具体的に以下のように説明する。
【００４４】
〈実施シナリオ１〉
前記第１種ＵＣＩはＡＣＫ／ＮＡＣＫであり、前記第２種ＵＣＩはＣＳＩである。
【００４５】
当該実施シナリオにおいて、ステップＳ１０２の処理は、以下のような仕様に分けて説明する。
【００４６】
仕様１
前記端末装置は、現在サブフレームにＣＳＩフィードバックがあるダウンリンクキャリアにおいて、ＣＳＩ実際フィードバックビット数がＡ−Ｂビットのダウンリンクキャリア集合を超えないと確定する。ここで、Ａは、現在サブフレームにおけるＵＣＩが同時に伝送する閾値ビット数を示し、Ｂは、前記端末装置により生成したＡＣＫ／ＮＡＣＫの伝送ビット数を示す。
【００４７】
前記端末装置は、ＣＳＩ報告タイプ優先レベルとキャリア番号のうちの少なくとも１つに基づいて、前記ダウンリンクキャリア集合から１つのダウンリンクキャリアを選択し、当該ダウンリンクキャリアのＣｒｅａｌビットの実際ＣＳＩフィードバック情報を生成し、選択したダウンリンクキャリアのＣｒｅａｌビットＣＳＩを、現在サブフレームにおいて前記端末装置により伝送すべきＣＳＩとする。
【００４８】
ここで、前記端末装置により確定したダウンリンクキャリア集合が空集である場合、前記端末装置は、現在サブフレームにおいてＣＳＩを伝送しないと確定する。
【００４９】
仕様２
ステップＡにおいて、前記端末装置は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択する。
【００５０】
ステップＢにおいて、前記端末装置は、選択した前記ダウンリンクキャリアのＣＳＩフィードバックビット数がＡ−Ｂビットを超えるかを判断する。ここで、Ａは、現在サブフレームにおけるＵＣＩが同時に伝送する閾値ビット数を示し、Ｂは、前記端末装置により生成したＡＣＫ／ＮＡＣＫの伝送ビット数を示す。
【００５１】
判断結果が「超えない」である場合、前記端末装置は、当該ダウンリンクキャリアのＣｒｅａｌビットの実際ＣＳＩフィードバック情報を生成し、且つ、前記ダウンリンクキャリアのＣｒｅａｌビットＣＳＩを、現在サブフレームにおいて前記端末装置により伝送すべきＣＳＩとする。
【００５２】
判断結果が「超える」である場合、前記端末装置は、現在サブフレームにおいてＣＳＩを伝送しないと確定する。
【００５３】
或いは、判断結果が「超える」である場合、前記端末装置は、前記ダウンリンクキャリア集合からステップＡにおいて現在選択したダウンリンクキャリアを削除し、ステップＡを再執行し、現在アップデート後のダウンリンクキャリア集合から、引き続き１つのダウンリンクキャリアのＣＳＩを選択して対応する処理を行う。
【００５４】
ここで、前記現在アップデート後のダウンリンクキャリア集合が空集合である場合、前記端末装置は、現在サブフレームにおいてＣＳＩを伝送しないと確定する。
【００５５】
仕様３
前記端末装置は、現在サブフレームにＣＳＩフィードバックがあるダウンリンクキャリアにおいて、ＣＳＩ報告タイプに対応する最大フィードバックビット数がＡ−Ｂのダウンリンクキャリア集合を超えないと確定する。ここで、Ａは、現在サブフレームにおけるＵＣＩが同時に伝送する閾値ビット数を示し、Ｂは、前記端末装置により生成したＡＣＫ／ＮＡＣＫの伝送ビット数を示す。
【００５６】
前記端末装置は、ＣＳＩ報告タイプ優先レベルとキャリア番号のうちの少なくとも１つに基づいて、前記ダウンリンクキャリア集合から１つのダウンリンクキャリアを選択し、現在サブフレームにおいて前記端末装置により伝送すべきＣＳＩの伝送ビット数が、前記ダウンリンクキャリアのＣＳＩ報告タイプに対応する最大フィードバックビット数Ｃｔｙｐｅ＿ｍａｘであると確定する。
【００５７】
ここで、前記ダウンリンクキャリアに対応するＣＳＩ報告タイプの実際フィードバックビット数ＣｒｅａｌがＣｔｙｐｅ＿ｍａｘより小さい場合、前記端末装置は、前記ダウンリンクキャリアのＣｒｅａｌビットの実際ＣＳＩフィードバック情報後に、Ｃｔｙｐｅ＿ｍａｘ−Ｃｒｅａｌビットのプレースホルダーを補充し、且つ、プレースホルダー補充済みのＣｔｙｐｅ＿ｍａｘビットＣＳＩを、現在サブフレームにおいて前記端末装置により伝送すべきＣＳＩとする。
【００５８】
前記ダウンリンクキャリアに対応するＣＳＩ報告タイプの実際フィードバックビット数ＣｒｅａｌがＣｔｙｐｅ＿ｍａｘに等しい場合、前記端末装置は、前記ダウンリンクキャリアのＣｒｅａｌビットの実際ＣＳＩフィードバック情報を、現在サブフレームにおいて伝送すべきＣＳＩとする。
【００５９】
前記端末装置により確定したダウンリンクキャリア集合が空集合である場合、前記端末装置は、現在サブフレームにおいてＣＳＩを伝送しないと確定する。
【００６０】
仕様４
ステップＡにおいて、前記端末装置は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択する。
【００６１】
ステップＢにおいて、前記端末装置は、前記ダウンリンクキャリアのＣＳＩ報告タイプに対応する最大フィードバックビット数Ｃｔｙｐｅ＿ｍａｘがＡ−Ｂビットを超えるかを判断する。ここで、Ａは、現在サブフレームにおけるＵＣＩが同時に伝送する閾値ビット数を示し、Ｂは、前記端末装置により生成したＡＣＫ／ＮＡＣＫの伝送ビット数を示す。
【００６２】
判断結果が「超えない」である場合、前記端末装置は、現在サブフレームにおいて伝送すべきＣＳＩの伝送ビット数が、前記ダウンリンクキャリアのＣＳＩ報告タイプに対応する最大フィードバックビット数Ｃｔｙｐｅ＿ｍａｘであると確定する。ここで、前記ダウンリンクキャリアのＣＳＩ報告タイプに対応する実際のフィードバックビット数ＣｒｅａｌがＣｔｙｐｅ＿ｍａｘより小さい場合、前記端末装置は、前記ダウンリンクキャリアのＣｒｅａｌビットの実際ＣＳＩフィードバック情報後に、Ｃｔｙｐｅ＿ｍａｘ−Ｃｒｅａｌビットのプレースホルダーを補充し、プレースホルダー補充済みのＣｔｙｐｅ＿ｍａｘビットＣＳＩを、現在サブフレームにおいて端末により伝送すべきＣＳＩとする。前記ダウンリンクキャリアのＣＳＩ報告タイプに対応する実際のフィードバックビット数ＣｒｅａｌがＣｔｙｐｅ＿ｍａｘに等しい場合、前記端末装置は、前記ダウンリンクキャリアのＣｒｅａｌビットの実際ＣＳＩを、現在サブフレームにおいて伝送すべきＣＳＩとする。
【００６３】
判断結果が「超える」である場合、前記端末装置は、現在サブフレームにおいてＣＳＩを伝送しないと確定する。
【００６４】
或いは、判断結果が「超える」である場合、前記端末装置は、前記ダウンリンクキャリア集合からステップＡにおいて現在選択したダウンリンクキャリアを削除し、ステップＡを再執行し、現在アップデート後のダウンリンクキャリア集合から、引き続き１つのダウンリンクキャリアのＣＳＩを選択して対応する処理を行う。
【００６５】
ここで、前記現在アップデート後のダウンリンクキャリア集合が空集合である場合、前記端末装置は、現在サブフレームにおいてＣＳＩを伝送しないと確定する。
【００６６】
仕様５
ステップＡにおいて、前記端末装置は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択する。
【００６７】
ステップＢにおいて、前記端末装置は、前記ダウンリンクキャリアのＣＳＩ報告タイプに対応する最小フィードバックビット数Ｃｔｙｐｅ＿ｍｉｎが、Ａ−Ｂビットを超えるかを判断する。ここで、Ａは、現在サブフレームにおけるＵＣＩが同時に伝送する閾値ビット数を示し、Ｂは、前記端末装置により生成したＡＣＫ／ＮＡＣＫの伝送ビット数を示す。
【００６８】
判断結果が「超えない」である場合、前記端末装置は、現在サブフレームにおいて伝送すべきＣＳＩの伝送ビット数がＡ−Ｂビットであると確定する。ここで、前記選択したダウンリンクキャリアのＣＳＩ報告タイプに対応する実際のフィードバックビット数ＣｒｅａｌがＡ−Ｂより小さい場合、前記端末装置は、前記ダウンリンクキャリアのＣｒｅａｌビットの実際ＣＳＩフィードバック情報後に、Ａ−Ｂ−Ｃｒｅａｌビットのプレースホルダーを補充し、プレースホルダー補充済みのＡ−ＢビットＣＳＩを、現在サブフレームにおいて端末により伝送すべきＣＳＩとする。前記ダウンリンクキャリアのＣＳＩ報告タイプに対応する実際のフィードバックビット数ＣｒｅａｌがＡ−Ｂビットより大きい場合、前記ダウンリンクキャリアの実際ＣＳＩフィードバック情報中の前のＡ−Ｂビット情報を、現在サブフレームにおいて前記端末装置により伝送すべきＣＳＩとするか、または、Ａ−Ｂビットプレースホルダーを生成して、現在サブフレームにおいて前記端末装置により伝送すべきＣＳＩとする。前記ダウンリンクキャリアのＣＳＩ報告タイプに対応する実際のフィードバックビット数ＣｒｅａｌがＡ−Ｂに等しい場合、前記ダウンリンクキャリアのＣｒｅａｌビットの実際ＣＳＩを、現在サブフレームにおいて前記端末装置により伝送すべきＣＳＩとする。
【００６９】
判断結果が「超える」である場合、前記端末装置は、現在サブフレームにおいてＣＳＩを伝送しないと確定する。
【００７０】
或いは、判断結果が「超える」である場合、前記端末装置は、前記ダウンリンクキャリア集合から、ステップＡで選択したダウンリンクキャリアを削除し、ステップＡを再執行し、現在アップデート後のダウンリンクキャリア集合から、引き続き１つのダウンリンクキャリアのＣＳＩを選択して対応する処理を行う。
【００７１】
ここで、前記現在アップデート後のダウンリンクキャリア集合が空集合である場合、前記端末装置は、現在サブフレームにおいてＣＳＩを伝送しないと確定する。
【００７２】
仕様６
前記端末装置は、現在サブフレームにＣＳＩフィードバックがあるダウンリンクキャリアのＣＳＩ報告タイプに対応する最小フィードバックビット数Ｃｔｙｐｅ＿ｍｉｎがＡ−Ｂビットのダウンリンクキャリア集合を超えないと確定する。ここで、Ａは、現在サブフレームにおけるＵＣＩが同時に伝送する閾値ビット数を示し、Ｂは、前記端末装置により生成したＡＣＫ／ＮＡＣＫの伝送ビット数を示す。
【００７３】
前記端末装置は、ＣＳＩ報告タイプ優先レベルとキャリア番号のうちの少なくとも１つに基づいて、前記ダウンリンクキャリア集合から１つのダウンリンクキャリアを選択し、且つ、前記ダウンリンクキャリアのＣＳＩ報告タイプに対応する実際のフィードバックビット数ＣｒｅａｌがＡ−Ｂビットを超えるかを判断する。
【００７４】
前記ダウンリンクキャリアのＣＳＩ報告タイプに対応する実際のフィードバックビット数ＣｒｅａｌがＡ−Ｂビットより小さいと判断する場合、前記端末装置は、前記ダウンリンクキャリアのＣｒｅａｌビットの実際ＣＳＩフィードバック情報後に、Ａ−Ｂ−Ｃｒｅａｌビットのプレースホルダーを補充し、プレースホルダー補充済みのＡ−ＢビットＣＳＩを、現在サブフレームにおいて端末により伝送すべきＣＳＩとする。
【００７５】
前記ダウンリンクキャリアのＣＳＩ報告タイプに対応する実際のフィードバックビット数ＣｒｅａｌがＡ−Ｂビットに等しいと判断する場合、前記ダウンリンクキャリアのＣｒｅａｌビットの実際ＣＳＩを、現在サブフレームにおいて前記端末装置により伝送すべきＣＳＩとする。
【００７６】
前記ダウンリンクキャリアのＣＳＩ報告タイプに対応する実際のフィードバックビット数ＣｒｅａｌがＡ−Ｂビットより大きいと判断する場合、前記ダウンリンクキャリアの実際ＣＳＩフィードバック情報中の前のＡ−Ｂビット情報を、現在サブフレームにおいて前記端末装置により伝送すべきＣＳＩとするか、Ａ−Ｂビットプレースホルダーを生成して、現在サブフレームにおいて前記端末装置により伝送すべきＣＳＩとする。
【００７７】
ここで、前記端末装置により確定したダウンリンクキャリア集合が空集合である場合、前記端末装置は、現在サブフレームにおいてＣＳＩを伝送しないと確定する。
【００７８】
仕様７
前記端末装置は、現在サブフレームにおいて伝送すべきＣＳＩの伝送ビット数がＡ−Ｂビットであると確定する。ここで、Ａは、現在サブフレームにおけるＵＣＩが同時に伝送する閾値ビット数を示し、Ｂは、前記端末装置により生成したＡＣＫ／ＮＡＣＫの伝送ビット数を示す。
【００７９】
前記端末装置は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、且つ、前記ダウンリンクキャリアのＣＳＩ報告タイプに対応する実際のフィードバックビット数ＣｒｅａｌがＡ−Ｂビットを超えるかを判断する。
【００８０】
前記ダウンリンクキャリアのＣＳＩ報告タイプに対応する実際のフィードバックビット数ＣｒｅａｌがＡ−Ｂビットより小さいと判断する場合、前記端末装置は、前記ダウンリンクキャリアのＣｒｅａｌビットの実際ＣＳＩフィードバック情報後に、Ａ−Ｂ−Ｃｒｅａｌビットのプレースホルダーを補充し、プレースホルダー補充済みのＡ−ＢビットＣＳＩを、現在サブフレームにおいて端末により伝送すべきＣＳＩとする。
【００８１】
前記ダウンリンクキャリアのＣＳＩ報告タイプに対応する実際のフィードバックビット数ＣｒｅａｌがＡ−Ｂビットに等しいと判断する場合、前記ダウンリンクキャリアのＣｒｅａｌビットの実際ＣＳＩを、現在サブフレームにおいて前記端末装置により伝送すべきＣＳＩとする。
【００８２】
前記ダウンリンクキャリアのＣＳＩ報告タイプに対応する実際のフィードバックビット数ＣｒｅａｌがＡ−Ｂビットより大きいと判断する場合、前記ダウンリンクキャリアの実際ＣＳＩフィードバック情報中の前のＡ−Ｂビット情報を、現在サブフレームにおいて前記端末装置により伝送すべきＣＳＩとするか、または、Ａ−Ｂビットプレースホルダーを生成して、現在サブフレームにおいて前記端末装置により伝送すべきＣＳＩとする。または、前記端末装置は、前記ダウンリンクキャリア集合から、ステップＡで選択したダウンリンクキャリアを削除し、ステップＡを再執行し、現在アップデート後のダウンリンクキャリア集合から、引き続き１つのダウンリンクキャリアのＣＳＩを選択して対応する処理を行う。ここで、前記現在アップデート後のダウンリンクキャリア集合が空集合である場合、前記端末装置は、現在サブフレームにおいてＣＳＩを伝送しないと確定する。
【００８３】
仕様８
前記端末装置は、現在サブフレームにおいて伝送すべきＣＳＩの伝送ビット数がＡ−Ｂビットであると確定する。ここで、Ａは、現在サブフレームにおけるＵＣＩが同時に伝送する閾値ビット数を示し、Ｂは、前記端末装置により生成したＡＣＫ／ＮＡＣＫの伝送ビット数を示す。
【００８４】
前記端末装置は、現在サブフレームにＣＳＩフィードバックがあるダウンリンクキャリアにおいて、ＣＳＩ実際フィードバックビット数がＡ−Ｂビットのダウンリンクキャリア集合を超えないと確定し、ＣＳＩ報告タイプ優先レベルとキャリア番号のうちの少なくとも１つに基づいて、前記ダウンリンクキャリア集合から１つのダウンリンクキャリアを選択し、且つ、前記ダウンリンクキャリアのＣＳＩ報告タイプに対応する実際のフィードバックビット数ＣｒｅａｌがＡ−Ｂビットを超えるかを判断する。
【００８５】
前記ダウンリンクキャリアのＣＳＩ報告タイプに対応する実際のフィードバックビット数ＣｒｅａｌがＡ−Ｂビットより小さいと判断する場合、前記端末装置は、前記ダウンリンクキャリアのＣｒｅａｌビットの実際ＣＳＩフィードバック情報後に、Ａ−Ｂ−Ｃｒｅａｌビットのプレースホルダーを補充し、プレースホルダー補充済みのＡ−ＢビットＣＳＩを、現在サブフレームにおいて端末により伝送すべきＣＳＩとする。
【００８６】
前記ダウンリンクキャリアのＣＳＩ報告タイプに対応する実際のフィードバックビット数ＣｒｅａｌがＡ−Ｂビットに等しいと判断する場合、前記ダウンリンクキャリアのＣｒｅａｌビットの実際ＣＳＩを、現在サブフレームにおいて前記端末装置により伝送すべきＣＳＩとする。
【００８７】
前記ダウンリンクキャリアのＣＳＩ報告タイプに対応する実際のフィードバックビット数ＣｒｅａｌがＡ−Ｂビットより大きいと判断する場合、前記ダウンリンクキャリアの実際ＣＳＩフィードバック情報中の前のＡ−Ｂビット情報を、現在サブフレームにおいて前記端末装置により伝送すべきＣＳＩとするか、Ａ−Ｂビットプレースホルダーを生成して、現在サブフレームにおいて前記端末装置により伝送すべきＣＳＩとする。
【００８８】
ここで、前記端末装置により確定したダウンリンクキャリア集合が空集合である場合、前記端末装置は、Ａ−Ｂビットプレースホルダーを生成して、現在サブフレームにおいて前記端末装置により伝送すべきＣＳＩとする。
【００８９】
具体的な処理シナリオにおいて、上述のどちらの仕様を採用するのかは、実のニーズに応じて設定する。このような変動は本発明の保護範囲に影響を及ぼさない。
【００９０】
実施シナリオ２
前記第１種ＵＣＩはＣＳＩであり、前記第２種ＵＣＩはＡＣＫ／ＮＡＣＫである。
【００９１】
当該実施シナリオにおいて、本ステップは以下のように具体的に処理する。
【００９２】
前記端末装置は、設定キャリア数と、各設定キャリアの伝送モードと、各キャリア上の、現在サブフレームにおいてＡＣＫ／ＮＡＣＫフィードバックを行うべきダウンリンクサブフレーム数とに基づいて、フィードバック待機のＡＣＫ／ＮＡＣＫのフィードバックビット数を確定する。
【００９３】
前記端末装置は、前記フィードバック待機のＡＣＫ／ＮＡＣＫのフィードバックビット数がＡ−Ｃを超えるかを判断する。ここで、Ａは、現在サブフレームにおけるＵＣＩが同時に伝送する閾値ビット数を示し、Ｃは前記端末装置により生成したＣＳＩの伝送ビット数を示す。
【００９４】
判断結果が「超えない」である場合、前記端末装置は、前記フィードバック待機のＡＣＫ／ＮＡＣＫのフィードバックビット数に基づいて、対応のビット数のＡＣＫ／ＮＡＣＫを生成し、生成したＡＣＫ／ＮＡＣＫを、現在サブフレームにおいて前記端末装置により伝送すべきＡＣＫ／ＮＡＣＫとする。
【００９５】
判断結果が「超える」である場合、前記端末装置は、フィードバック待機のＡＣＫ／ＮＡＣＫに対して空間合併を行い、空間合併後のＡＣＫ／ＮＡＣＫのフィードバックビット数がＡ−Ｃを超えないようにし、且つ、空間合併後のＡＣＫ／ＮＡＣＫを、現在サブフレームにおいて前記端末装置により伝送すべきＡＣＫ／ＮＡＣＫとする。
【００９６】
ステップＳ１０３において、前記端末装置は、現在サブフレームにおける対応のチャネル・リソースにおいて、生成した前記第１種ＵＣＩ及び第２種ＵＣＩを伝送する。
【００９７】
上述の各処理ステップに対し、以下のことを説明すべきである。
【００９８】
前記ＣＳＩ報告タイプに対応する最大フィードバックビット数Ｃｔｙｐｅ＿ｍａｘは、具体的に以下のようなものである。
【００９９】
ＲＩ値をベースにして報告するＣＳＩ報告タイプの場合、前記ＣＳＩ報告タイプに対応する最大フィードバックビット数Ｃｔｙｐｅ＿ｍａｘは、当該ＣＳＩ報告タイプにおける、現在設定状態の異なるＲＩ値に対応するフィードバックビット数の最大値である。ここで、現在設定は、具体的にＣＳＩフィードバックモード及び／またはアンテナポート設定等情報を含む。
【０１００】
他のＣＳＩ報告タイプの場合、前記ＣＳＩ報告タイプに対応する最大フィードバックビット数Ｃｔｙｐｅ＿ｍａｘは、実際フィードバックビット数である。
【０１０１】
さらに説明すべきのは、前記現在サブフレームが、スケジューリング・リクウェストＳＲ伝送サブフレームである場合、以下で具体的に説明する。
【０１０２】
前記端末装置は、現在サブフレームにおける対応するチャネル・リソースにおいて、生成した前記第１種ＵＣＩ及び第２種ＵＣＩと、１ビットＳＲとを伝送する。
【０１０３】
また、基地局側においても、上述ステップＳ１０１ないしステップＳ１０３の伝送ビット数の確定処理と類似する処理を行い、対応の処理結果に基づいて、ＵＣＩの受信仕様を確定する。具体的な処理仕様は、端末装置側と類似するが、伝送ビット数の確定結果により対応のＵＣＩを生成せず、端末装置の現在サブフレームにおける報告ＵＣＩの形式及びビット数を直接に確定し、対応の確定結果によりＵＣＩを受信する。具体的な処理は、上述の説明と類似するため、説明を繰り返さない。
【０１０４】
従来技術と比べ、本発明に係る実施例の技術案は以下のメリットを有する。
【０１０５】
本発明に係る実施例の技術案を実施することにより、現在サブフレームに対応するチャネル・リソースにおいて、ＡＣＫ／ＮＡＣＫ及び周期ＣＳＩの同時伝送方法を実現できる。現在サブフレームにおけるＵＣＩが同時に伝送する閾値ビット数と、第１種ＵＣＩが現在サブフレームにおける伝送ビット数とに基づいて、第１種ＵＣＩと同時に伝送する第２種ＵＣＩの伝送ビット数を動的に確定し、同時に伝送するＵＣＩビットの和が、現在サブフレームにおけるＵＣＩが同時に伝送する閾値ビット数を超えないことを確保できる。ＡＣＫ／ＮＡＣＫ合併とＣＳＩ放棄をなくべく防ぎ、アップリンク情報伝送の正確性及び整合性を最大限に確保する。
【０１０６】
以下、具体的な実施シナリオを結合して、本発明に係る実施例の技術案を説明する。
【０１０７】
説明の便宜を図るために、本発明に係る実施例は、上述の実施シナリオの相違点に基づいて、それぞれ端末装置側と基地局側から、本発明に係る実施例の技術案を説明する。
【０１０８】
実施例１
第１種ＵＣＩがＡＣＫ／ＮＡＣＫであり、第２種ＵＣＩがＣＳＩである場合、本発明に係る実施例が提供する端末装置側の処理方法は、図２Ａに示すように、以下のステップを備える。
【０１０９】
ステップ２０１において、端末装置は、現在サブフレームにおいて伝送すべきＡＣＫ／ＮＡＣＫを生成する。
【０１１０】
第１種ＵＣＩの生成の場合、端末装置側の処理は以下で説明する。
端末装置は、設定キャリア数Ｎと、各設定キャリアの伝送モードと、各キャリアｉ上の現在サブフレームにおいてＡＣＫ／ＮＡＣＫフィードバックを行うべきダウンリンクサブフレーム数Ｍｉとに基づいて、対応ビット数のＡＣＫ／ＮＡＣＫフィードバック情報を生成する。ここで、生成したＡＣＫ／ＮＡＣＫフィードバック情報のビット数は、数２で算出できる。
【０１１１】
【数２】
0005990644.tif 000006
【０１１２】
ここで、Ｂは、前記端末装置により確定した生成すべきＡＣＫ／ＮＡＣＫの伝送ビット数を示す。
【０１１３】
Ｃｉの値は、以下の規則に従う。
【０１１４】
シングルコード名伝送のキャリアの場合、Ｃｉは１であり、マルチコード名伝送のキャリアの場合、Ｃｉは２である。
【０１１５】
或いは、シングルコード名伝送、または、マルチコード名伝送であり且つ空間合併を利用するキャリアの場合、Ｃｉは１であり、マルチコード名伝送であり且つ空間合併を利用しないキャリアの場合、Ｃｉは２である。
【０１１６】
Ｍｉは、現在キャリア上の、現在サブフレームにおいてＡＣＫ／ＮＡＣＫフィードバックを行うべきダウンリンクサブフレーム数を示し、Ｍｉの値は、以下の規則に従う。周波数分割複信ＦＤＤシステムの場合、Ｍｉは１である。時分割複信ＴＤＤシステムの場合、異なるアグリゲーションキャリアに対応するＭｉの値は、同一であるか、異なる。
【０１１７】
ステップ２０２において、端末装置は、現在サブフレームにおけるＵＣＩが同時に伝送する閾値ビット数と、ＡＣＫ／ＮＡＣＫの伝送ビット数とに基づいて、現在サブフレームにおいて伝送すべきＣＳＩを生成する。
【０１１８】
第２種ＵＣＩの生成場合、端末装置側の処理は、下記８つ仕様に分けて説明し、それぞれ図２Ｂないし図２Ｉに示すようである。
【０１１９】
仕様１
図２Ｂに示すように、当該仕様の、現在サブフレームにおいて伝送すべきＣＳＩを生成することは、以下のステップを備える。
【０１２０】
ステップ２１０において、端末装置は、現在サブフレームにＣＳＩフィードバックがあるダウンリンクキャリア中の、ＣＳＩフィードバックビット数がＡ−Ｂビットを超えないダウンリンクキャリア集合を確定する。
【０１２１】
ステップ２１２において、ＣＳＩ報告タイプ優先レベルとキャリア番号のうちの少なくとも１つに基づいて、前記ダウンリンクキャリア集合から１つのダウンリンクキャリアを選択し、前記選択したダウンリンクキャリアのＣＳＩを、ＵＥ現在サブフレームにおいて伝送すべきＣＳＩとする。
【０１２２】
実用される場合、上述ダウンリンクキャリア集合は、少なくとも１つのキャリアを含むか、または空集合（いかなるキャリアも含まない）である。且つ、ＣＳＩフィードバックビットがＡ−Ｂビットを超えないダウンリンクキャリアが存在しない場合、端末装置は、現在サブフレームにおけるＣＳＩの伝送ビット数が０であると直接に確定することができ、即ち、ＣＳＩを伝送しない。
【０１２３】
仕様２
図２ｃに示すように、当該仕様の、現在サブフレームにおいて伝送すべきＣＳＩを生成することは、以下のステップを備える。
【０１２４】
ステップ２２０において、端末装置は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択する。
【０１２５】
ステップ２２２において、当該ダウンリンクキャリアのＣＳＩフィードバックビット数がＡ−Ｂビットを超えるかを判断し、超えないであれば、ステップ２２４を執行し、超えれば、ステップ２２６を執行する。
【０１２６】
ステップ２２４において、当該ダウンリンクキャリアのＣＳＩを、現在サブフレームにおいて端末により伝送すべきＣＳＩとする。
【０１２７】
ステップ２２６において、端末装置が現在サブフレームにおいてＣＳＩを伝送しないと確定し、または、前記ダウンリンクキャリア集合から前記選択したダウンリンクキャリアを削除し、ステップ２２０に戻って、次の優先レベルに対応するＣＳＩを引き続き選択する。
【０１２８】
ステップ２２０において、現在サブフレームにＣＳＩフィードバックがあるダウンリンクキャリア集合に、ＣＳＩフィードバックビット数がＡ−Ｂビットを超えるかのダウンリンクキャリアが存在しない場合、端末装置は、現在サブフレームにおけるＣＳＩの伝送ビット数が０であると直接に確定することができ、即ち、ＣＳＩを伝送しない。
【０１２９】
仕様３
図２Ｄに示すように、当該仕様の、現在サブフレームにおいて伝送すべきＣＳＩを生成することは、以下のステップを備える。
【０１３０】
ステップ２３０において、端末装置は、現在サブフレームにＣＳＩフィードバックがあるダウンリンクキャリアにおける、ＣＳＩ報告タイプに対応する最大フィードバックビット数がＡ−Ｂビットを超えないダウンリンクキャリア集合を確定する。
【０１３１】
ステップ２３２において、端末装置は、ＣＳＩ報告タイプ優先レベルとキャリア番号のうちの少なくとも１つに基づいて、前記ダウンリンクキャリア集合から１つのダウンリンクキャリアを選択し、現在サブフレームにおいて端末により伝送すべきＣＳＩの伝送ビット数が、前記選択したダウンリンクキャリアのＣＳＩ報告タイプに対応する最大フィードバックビット数Ｃｔｙｐｅ＿ｍａｘであると確定する。
【０１３２】
前記選択したダウンリンクキャリアに対応するＣＳＩ報告タイプの実際フィードバックビット数Ｃ（即ち、実際ＲＩ値に基づいて確定したフィードバックビット数である）がＣｔｙｐｅ＿ｍａｘより小さい場合、当該ダウンリンクキャリアの実際ＣＳＩフィードバックビット数後に、Ｃｔｙｐｅ＿ｍａｘ−Ｃビット０を補充し、０を補充後のＣＳＩを、現在サブフレームにおいて端末により伝送すべきＣＳＩとする。
【０１３３】
そうではなければ、前記選択したダウンリンクキャリアの実際ＣＳＩを、現在サブフレームにおいて端末により伝送すべきＣＳＩとする。
【０１３４】
実の実施シナリオにおいて、上述ダウンリンクキャリア集合は、少なくとも１つのキャリアを含むか、または空集合（いかなるキャリアも含まない）である。ただし、ＣＳＩ報告タイプに対応する最大フィードバックビット数がＡ−Ｂビットを超えないダウンリンクキャリアが存在しない場合、端末装置は、現在サブフレームにおけるＣＳＩの伝送ビット数が０であると直接に確定することができ、即ち、ＣＳＩを伝送しない。
【０１３５】
仕様４
図２Ｅに示すように、当該仕様の、現在サブフレームにおいて伝送すべきＣＳＩを生成することは、以下のステップを備える。
【０１３６】
ステップ２４０において、端末装置は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択する。
【０１３７】
ステップ２４２において、端末装置は、当該ダウンリンクキャリアのＣＳＩ報告タイプに対応する最大フィードバックビット数Ｃｔｙｐｅ＿ｍａｘがＡ−Ｂビットを超えるかを判断し、超えないであれば、ステップ２４４を執行し、超えれば、ステップ２４６を執行する。
【０１３８】
ステップ２４４において、現在サブフレームにおいて端末により伝送すべきＣＳＩの伝送ビット数が、前記選択したダウンリンクキャリアのＣＳＩ報告タイプに対応する最大フィードバックビット数Ｃｔｙｐｅ＿ｍａｘであると確定する。この場合、前記選択したダウンリンクキャリアのＣＳＩ報告タイプに対応する実際のフィードバックビット数ＣがＣｔｙｐｅ＿ｍａｘより小さい場合、当該ダウンリンクキャリアの実際ＣＳＩフィードバックビット数後に、Ｃｔｙｐｅ＿ｍａｘ−Ｃビット０を補充し、０を補充後のＣＳＩを、現在サブフレームにおいて端末により伝送すべきＣＳＩとする。前記選択したダウンリンクキャリアのＣＳＩ報告タイプに対応する実際のフィードバックビット数ＣがＣｔｙｐｅ＿ｍａｘに等しい場合、当該ダウンリンクキャリアの実際ＣＳＩを、現在サブフレームにおいて端末により伝送すべきＣＳＩとする。
【０１３９】
ステップ２４６において、端末装置は、現在サブフレームにおいてＣＳＩを伝送しないと確定するか、または、前記ダウンリンクキャリア集合から前記選択したダウンリンクキャリアを削除し、且つ上述ステップ２４０に戻って、次の優先レベルに対応するＣＳＩを引き続き選択する。
【０１４０】
実用される場合、現在サブフレームにＣＳＩフィードバックがあるダウンリンクキャリア集合に、最大フィードバックビット数Ｃｔｙｐｅ＿ｍａｘがＡ−Ｂビットを超えないダウンリンクキャリアが存在しない場合、端末は、現在サブフレームにおけるＣＳＩの伝送ビット数が０であると確定する。即ち、ＣＳＩを伝送しない。
【０１４１】
仕様５
図２Ｆに示すように、当該仕様の、現在サブフレームにおいて伝送すべきＣＳＩを生成することは、以下のステップを備える。
【０１４２】
ステップ２５０において、端末装置は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択する。
【０１４３】
ステップ２５２において、当該ダウンリンクキャリアのＣＳＩ報告タイプに対応する最小フィードバックビット数Ｃｔｙｐｅ＿ｍｉｎがＡ−Ｂビットを超えるかを判断し、超えないであれば、ステップ２５４を執行し、超えれば、ステップ２５６を執行する。
【０１４４】
ステップ２５４において、現在サブフレームにおいて端末装置により伝送すべきＣＳＩの伝送ビット数がＡ−Ｂビットであると確定する。前記選択したダウンリンクキャリアのＣＳＩ報告タイプに対応する実際のフィードバックビット数ＣがＡ−Ｂより小さい場合、当該ダウンリンクキャリアの実際ＣＳＩフィードバックビット数後にＡ−Ｂ−Ｃビット０を補充し、０を補充後のＣＳＩを、現在サブフレームにおいて端末により伝送すべきＣＳＩとする。前記ダウンリンクキャリアのＣＳＩ報告タイプに対応する実際のフィードバックビット数ＣがＡ−Ｂビットより大きい場合、当該ダウンリンクキャリアの実際ＣＳＩフィードバックビット中の前のＡ−Ｂビット情報を、現在サブフレームにおいて端末により伝送すべきＣＳＩとするか、または、Ａ−Ｂビットプレースホルダー（たとえば、０ビット情報）を生成して、現在サブフレームにおいて端末により伝送すべきＣＳＩとする。前記選択したダウンリンクキャリアのＣＳＩ報告タイプに対応する実際のフィードバックビット数ＣがＡ−Ｂに等しい場合、当該ダウンリンクキャリアの実際ＣＳＩを、現在サブフレームにおいて端末により伝送すべきＣＳＩとする。
【０１４５】
ステップ２５６において、端末装置は、端末の現在サブフレームにおけるＣＳＩ伝送ビット数が０であると確定し、即ち、ＣＳＩを伝送しないか、または、前記ダウンリンクキャリア集合から前記選択したダウンリンクキャリアを削除し、上述ステップ２５０に戻って、次の優先レベルに対応するＣＳＩを引き続き選択する。
【０１４６】
現在サブフレームにＣＳＩフィードバックがあるダウンリンクキャリア集合に、最小フィードバックビット数Ｃｔｙｐｅ＿ｍｉｎがＡ−Ｂビットを超えないダウンリンクキャリアが存在しなければ、端末装置は、現在サブフレームにおけるＣＳＩの伝送ビット数が０であると確定し、即ち、ＣＳＩを伝送しない。
【０１４７】
仕様６
図２Ｇに示すように、当該仕様の、現在サブフレームにおいて伝送すべきＣＳＩを生成することは、以下のステップを備える。
【０１４８】
ステップ２６０において、端末装置は、現在サブフレームにＣＳＩフィードバックがあるダウンリンクキャリアのＣＳＩ報告タイプに対応する最小フィードバックビット数Ｃｔｙｐｅ＿ｍｉｎがＡ−Ｂビットを超えないダウンリンクキャリア集合を確定する。
【０１４９】
ステップ２６２において、ＣＳＩ報告タイプ優先レベルとキャリア番号のうちの少なくとも１つに基づいて、ダウンリンクキャリア集合から１つのダウンリンクキャリアを選択し、且つ、前記ダウンリンクキャリアのＣＳＩ報告タイプに対応する実際のフィードバックビット数ＣｒｅａｌがＡ−Ｂビットを超えるかを判断する。前記ダウンリンクキャリアのＣＳＩ報告タイプに対応する実際のフィードバックビット数ＣｒｅａｌがＡ−Ｂビットより小さい場合、ステップ２６４を執行し、等しい場合、ステップ２６６を執行し、大きい場合、ステップ２６８を執行する。
【０１５０】
ステップ２６４において、端末装置は、前記ダウンリンクキャリアのＣｒｅａｌビットの実際ＣＳＩフィードバック情報後に、Ａ−Ｂ−Ｃｒｅａｌビットのプレースホルダーを補充し、プレースホルダー補充済みのＡ−ＢビットＣＳＩを、現在サブフレームにおいて端末により伝送すべきＣＳＩとする。
【０１５１】
ステップ２６６において、前記ダウンリンクキャリアのＣｒｅａｌビットの実際ＣＳＩを、現在サブフレームにおいて前記端末装置により伝送すべきＣＳＩとする。
【０１５２】
ステップ２６８において、前記ダウンリンクキャリアの実際ＣＳＩフィードバック情報中の前のＡ−Ｂビット情報を、現在サブフレームにおいて前記端末装置により伝送すべきＣＳＩとするか、Ａ−Ｂビットプレースホルダーを生成して、現在サブフレームにおいて前記端末装置により伝送すべきＣＳＩとする。（即ち、端末は、当該キャリアの真のＣＳＩ情報を伝送せず、Ａ−Ｂビットプレースホルダーを利用することにより、総伝送ビットがＡであることを確報する）。
【０１５３】
ここで、ステップ２６０において、前記端末装置により確定したダウンリンクキャリア集合が空集合である場合、前記端末装置は、現在サブフレームにおいてＣＳＩを伝送しないと確定し、即ち、ＣＳＩ伝送ビット数は０である。
【０１５４】
仕様７
端末装置は、現在サブフレームにおいて伝送すべきＣＳＩの伝送ビット数がＡ−Ｂビットであると常に確定し、即ち、端末は、ＡＣＫ／ＮＡＣＫ及びＣＳＩの総伝送ビット数がＡであると仮説する。ＢビットＡＣＫ／ＮＡＣＫ情報を生成した後、Ａ−Ｂビット情報をＣＳＩに占有されるビット位置として確定し、適切なダウンリンクキャリアのＣＳＩを選択できたかに関わらず、当該Ａ−Ｂビット情報は、伝送される必要がある。具体的に、以下のような処理仕様がある。
【０１５５】
図２Ｈに示すように、当該仕様の、現在サブフレームにおいて伝送すべきＣＳＩを生成することは、以下のステップを備える。
【０１５６】
ステップ２７０において、端末装置は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択する。
【０１５７】
ステップ２７２において、前記ダウンリンクキャリアのＣＳＩ報告タイプに対応する実際のフィードバックビット数ＣｒｅａｌがＡ−Ｂビットを超えるかを判断する。前記ダウンリンクキャリアのＣＳＩ報告タイプに対応する実際のフィードバックビット数ＣｒｅａｌがＡ−Ｂビットより小さい場合、ステップ２７４を執行し、等しい場合、ステップ２７６を執行し、大きい場合、ステップ２７８を執行する。
【０１５８】
ステップ２７４において、端末装置は、前記ダウンリンクキャリアのＣｒｅａｌビットの実際ＣＳＩフィードバック情報後に、Ａ−Ｂ−Ｃｒｅａｌビットのプレースホルダーを補充し、プレースホルダー補充済みのＡ−ＢビットＣＳＩを、現在サブフレームにおいて端末により伝送すべきＣＳＩとする。
【０１５９】
ステップ２７６において、前記ダウンリンクキャリアのＣｒｅａｌビットの実際ＣＳＩを、現在サブフレームにおいて前記端末装置により伝送すべきＣＳＩとする。
【０１６０】
ステップ２７８において、前記ダウンリンクキャリアの実際ＣＳＩフィードバック情報中の前のＡ−Ｂビット情報を、現在サブフレームにおいて前記端末装置により伝送すべきＣＳＩとするか、または、Ａ−Ｂビットプレースホルダーを生成して、現在サブフレームにおいて前記端末装置により伝送すべきＣＳＩとする。または、端末装置は、前記ダウンリンクキャリア集合から、ステップ２７０で選択したダウンリンクキャリアを削除し、ステップ２７０を再執行し、現在アップデート後のダウンリンクキャリア集合から、引き続き１つのダウンリンクキャリアのＣＳＩを選択して対応する処理を行う。ここで、前記現在アップデート後のダウンリンクキャリア集合が空集合である場合、端末装置は、現在サブフレームにおいてＣＳＩを伝送しないと確定し、即ち、ＣＳＩ伝送ビット数は０である。
【０１６１】
仕様８
端末装置は、現在サブフレームにおいて伝送すべきＣＳＩの伝送ビット数がＡ−Ｂビットであると常に確定し、即ち、端末は、ＡＣＫ／ＮＡＣＫ及びＣＳＩの総伝送ビット数がＡであると仮説する。ＢビットＡＣＫ／ＮＡＣＫ情報を生成した後、Ａ−Ｂビット情報をＣＳＩに占有されるビット位置として確定し、適切なダウンリンクキャリアのＣＳＩを選択できたかに関わらず、当該Ａ−Ｂビット情報は、伝送される必要がある。具体的に、以下のような処理仕様がある。
【０１６２】
図２Ｉに示すように、当該仕様の、現在サブフレームにおいて伝送すべきＣＳＩを生成することは、以下のステップを備える。
【０１６３】
ステップ２８０において、端末装置は、現在サブフレームにＣＳＩフィードバックがあるダウンリンクキャリアにおける、ＣＳＩ実際フィードバックビット数がＡ−Ｂビットを超えないダウンリンクキャリア集合を確定する。
【０１６４】
ステップ２８２において、ＣＳＩ報告タイプ優先レベルとキャリア番号のうちの少なくとも１つに基づいて、前記ダウンリンクキャリア集合から１つのダウンリンクキャリアを選択し、且つ、前記ダウンリンクキャリアのＣＳＩ報告タイプに対応する実際のフィードバックビット数ＣｒｅａｌがＡ−Ｂビットを超えるかを判断する。前記ダウンリンクキャリアのＣＳＩ報告タイプに対応する実際のフィードバックビット数ＣｒｅａｌがＡ−Ｂビットより小さい場合、ステップ２８４を執行し、等しい場合、ステップ２８６を執行し、大きい場合、ステップ２８８を執行する。
【０１６５】
ステップ２８４において、端末装置は、前記ダウンリンクキャリアのＣｒｅａｌビットの実際ＣＳＩフィードバック情報後に、Ａ−Ｂ−Ｃｒｅａｌビットのプレースホルダーを補充し、プレースホルダー補充済みのＡ−ＢビットＣＳＩを、現在サブフレームにおいて端末により伝送すべきＣＳＩとする。
【０１６６】
ステップ２８６において、前記ダウンリンクキャリアのＣｒｅａｌビットの実際ＣＳＩを、現在サブフレームにおいて前記端末装置により伝送すべきＣＳＩとする。
【０１６７】
ステップ２８８において、前記ダウンリンクキャリアの実際ＣＳＩフィードバック情報中の前のＡ−Ｂビット情報を、現在サブフレームにおいて前記端末装置により伝送すべきＣＳＩとするか、Ａ−Ｂビットプレースホルダーを生成して、現在サブフレームにおいて前記端末装置により伝送すべきＣＳＩとする。
【０１６８】
ここで、ステップ２８０において、当該ダウンリンクキャリア集合が空集合である場合、端末装置は、Ａ−Ｂビットプレースホルダーを生成して、現在サブフレームにおいて前記端末装置により伝送すべきＣＳＩとする。
【０１６９】
ステップ２０３において、端末装置は、現在サブフレームに対応するチャネル・リソース上において、生成した第１種ＵＣＩ及び第２種ＵＣＩを同時に伝送する。
【０１７０】
２種ＵＣＩのビット数の和は、当該チャネル・リソース上でサポートする同時伝送の多種ＵＣＩの最大ビット数を超えない。
【０１７１】
実施例２
第１種ＵＣＩがＡＣＫ／ＮＡＣＫであり、第２種ＵＣＩがＣＳＩである場合、本発明に係る実施例の基地局側の処理方法は、図３Ａに示すように、以下のステップを備える。
【０１７２】
ステップ３０１において、基地局は、第１種ＵＣＩの伝送ビット数を確定し、具体的に以下のように処理する。
【０１７３】
基地局は、端末装置の設定キャリア数Ｎと、各設定キャリアの伝送モードと、各キャリアｉ上の現在サブフレームにおいてＡＣＫ／ＮＡＣＫフィードバックを行うべきダウンリンクサブフレーム数Ｍｉとに基づいて、端末が伝送するＡＣＫ／ＮＡＣＫフィードバック情報のビット数を確定する。具体的な確定方法は上述の説明と一致するため、ここで、説明を繰り返さない。
【０１７４】
ステップ３０２において、基地局は、第２種ＵＣＩの伝送ビット数を確定する。具体的な処理は以下の８つの仕様のいずれ１つであるが、図３Ｂないし図３Ｉに示すようである。
【０１７５】
仕様１
図３Ｂに示すように、当該仕様の、第２種ＵＣＩの伝送ビット数の確定は、以下のステップを備える。
【０１７６】
ステップ３１０において、基地局は、現在サブフレームにＣＳＩフィードバックがあるダウンリンクキャリア中の、ＣＳＩフィードバックビット数がＡ−Ｂビットを超えないダウンリンクキャリア集合を確定する。
【０１７７】
ステップ３１２において、基地局は、ＣＳＩ報告タイプ優先レベルとキャリア番号のうちの少なくとも１つに基づいて、前記ダウンリンクキャリア集合から１つのダウンリンクキャリアを選択し、当該ダウンリンクキャリアのＣＳＩ報告タイプに対応する伝送ビット数を、現在サブフレームにおいて端末により伝送するＣＳＩ伝送ビット数とする。
【０１７８】
実用される場合、上述ダウンリンクキャリア集合は、少なくとも１つのキャリアを含むか、または空集合（いかなるキャリアも含まない）であり、且つ、ＣＳＩフィードバックビットがＡ−Ｂビットを超えないダウンリンクキャリアが存在しない場合、基地局は、現在サブフレームにおけるＣＳＩの伝送ビット数は０であると直接に確定し、即ち、端末は、ＣＳＩを伝送しない。
【０１７９】
仕様２
図３Ｃに示すように、当該仕様の、第２種ＵＣＩの伝送ビット数の確定は、以下のステップを備える。
【０１８０】
ステップ３２０において、基地局は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択する。
【０１８１】
ステップ３２２において、基地局は、当該ダウンリンクキャリアのＣＳＩ報告タイプに対応する伝送ビット数がＡ−Ｂビットを超えるかを判断し、超えないであれば、ステップ３２４を執行し、超えれば、ステップ３２６を執行する。
【０１８２】
ステップ３２４において、当該ダウンリンクキャリアのＣＳＩ報告タイプに対応する伝送ビット数を、現在サブフレームにおいて端末により伝送するＣＳＩ伝送ビット数とする。
【０１８３】
ステップ３２６，端末の現在サブフレームにおけるＣＳＩの伝送ビット数は０であると確定し、または、前記ダウンリンクキャリア集合から前記選択したダウンリンクキャリアを削除し、上述ステップ３２０に戻って、次の優先レベルに対応するＣＳＩを引き続き選択する。
【０１８４】
具体的な処理過程において、現在サブフレームにＣＳＩフィードバックがあるダウンリンクキャリア集合に、ＣＳＩ伝送ビット数がＡ−Ｂビットを超えないダウンリンクキャリアが存在しない場合、基地局は、現在サブフレームにおけるＣＳＩの伝送ビット数が０であると確定し、即ち、端末は、ＣＳＩを伝送しない。
【０１８５】
仕様３
図３Ｄに示すように、当該仕様において、第２種ＵＣＩの伝送ビット数の伝送ビット数の確定は、以下のステップを備える。
【０１８６】
ステップ３３０において、基地局は、現在サブフレームにＣＳＩフィードバックがあるダウンリンクキャリアにおける、ＣＳＩ報告タイプに対応する最大フィードバックビット数Ｃｔｙｐｅ＿ｍａｘがＡ−Ｂビットを超えないダウンリンクキャリア集合を確定する。
【０１８７】
ステップ３３２において、基地局は、ＣＳＩ報告タイプ優先レベルとキャリア番号のうちの少なくとも１つに基づいて、前記ダウンリンクキャリア集合から、１つのダウンリンクキャリアを選択する。
【０１８８】
基地局は、当該ダウンリンクキャリアのＣＳＩ報告タイプに対応する最大伝送ビット数を、現在サブフレームにおいて端末により伝送するＣＳＩ伝送ビット数とする。
【０１８９】
実の実施シナリオにおいて、上述ダウンリンクキャリア集合は、少なくとも１つのキャリアを含むか、または、空集合（いかなるキャリアも含まない）である。ＣＳＩフィードバックビットがＡ−Ｂビットを超えないダウンリンクキャリアが存在しない場合、基地局は、現在サブフレームにおけるＣＳＩの伝送ビット数は０であると直接に確定し、即ち、端末装置は、ＣＳＩを伝送しない。
【０１９０】
仕様４：
図３Ｅに示すように、当該仕様において、第２種ＵＣＩの伝送ビット数の確定は、以下のステップを備える。
【０１９１】
ステップ３４０において、基地局は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択する。
【０１９２】
ステップ３４２において、基地局は、当該ダウンリンクキャリアのＣＳＩ報告タイプに対応する最大伝送ビット数Ｃｔｙｐｅ＿ｍａｘがＡ−Ｂビットを超えるかを判断し、超えないであれば、ステップ３４４を執行し、超えれば、ステップ３４６を執行する。
【０１９３】
ステップ３４４において、当該ダウンリンクキャリアのＣＳＩ報告タイプに対応する最大伝送ビット数を、現在サブフレームにおいて端末により伝送するＣＳＩ伝送ビット数とする。
【０１９４】
ステップ３４６において、端末の現在サブフレームにおけるＣＳＩの伝送ビット数は０であると確定し、または、前記ダウンリンクキャリア集合から前記選択したダウンリンクキャリアを削除し、上述ステップ３４０に戻って、次の優先レベルに対応するＣＳＩを引き続き選択する。
【０１９５】
実用される場合、現在サブフレームにＣＳＩフィードバックがあるダウンリンクキャリア集合に、最大伝送ビット数Ｃｔｙｐｅ＿ｍａｘがＡ−Ｂビットを超えないダウンリンクキャリアが存在しない場合、基地局は、現在サブフレームにおけるＣＳＩの伝送ビット数は０であると確定し、即ち、端末は、ＣＳＩを伝送しない。
【０１９６】
仕様５
図３Ｆに示すように、当該仕様において、第２種ＵＣＩの伝送ビット数の確定は、以下のステップを備える。
【０１９７】
ステップ３５０において、基地局は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択する。
【０１９８】
ステップ３５２において、基地局は、当該ダウンリンクキャリアのＣＳＩ報告タイプに対応する最小フィードバックビット数Ｃｔｙｐｅ＿ｍｉｎがＡ−Ｂビットを超えるかを判断する。超えないであれば、ステップ３５４を執行し、超えれば、ステップ３５６を執行する。
【０１９９】
ステップ３５４において、端末の現在サブフレームにおけるＣＳＩの伝送ビット数がＡ−Ｂビットであると確定する。
【０２００】
ステップ３５６において、現在サブフレームにおけるＣＳＩの伝送ビット数が０であると確定し、即ちＣＳＩ伝送が存在しない。または、前記ダウンリンクキャリア集合から前記選択したダウンリンクキャリアを削除し、ステップ３５０に戻って、次の優先レベルに対応するＣＳＩを引き続き選択する。
【０２０１】
現在サブフレームにＣＳＩフィードバックがあるダウンリンクキャリア集合に、最小フィードバックビット数Ｃｔｙｐｅ＿ｍｉｎがＡ−Ｂビットを超えないダウンリンクキャリアが存在ない場合、基地局は、現在サブフレームにおけるＣＳＩの伝送ビット数は０であると確定し、即ち、ＣＳＩ伝送が存在しない。
【０２０２】
仕様６
図３Ｇに示すように、当該仕様において、第２種ＵＣＩの伝送ビット数の確定は、以下のステップを備える。
【０２０３】
ステップ３６０において、基地局は、現在サブフレームにＣＳＩフィードバックがあるダウンリンクキャリアのＣＳＩ報告タイプに対応する最小フィードバックビット数Ｃｔｙｐｅ＿ｍｉｎがＡ−Ｂビットを超えないダウンリンクキャリア集合を確定する。
【０２０４】
ステップ３６２において、当該ダウンリンクキャリア集合が空集合であるかを判断し、当該ダウンリンクキャリア集合が空集合であはない場合、ステップ３６４を執行し、当該ダウンリンクキャリア集合が空集合である場合、ステップ３６６を執行する。
【０２０５】
ステップ３６４において、基地局は、現在サブフレームにおいて前記端末装置により伝送するＣＳＩの伝送ビット数がＡ−Ｂビットであると確定する。さらに、基地局は、ＣＳＩ報告タイプ優先レベルとキャリア番号のうちの少なくとも１つに基づいて、前記ダウンリンクキャリア集合から１つのダウンリンクキャリアを選択し、且つ、前記ダウンリンクキャリアのＣＳＩ報告タイプに対応する実際のフィードバックビット数ＣｒｅａｌがＡ−Ｂビットを超えるかを判断する。
【０２０６】
前記ダウンリンクキャリアのＣＳＩ報告タイプに対応する実際のフィードバックビット数ＣｒｅａｌがＡ−Ｂビットより小さいと判断する場合、基地局は、前記Ａ−ＢビットＣＳＩフィードバック情報にＡ−Ｂ−Ｃｒｅａｌビットのプレースホルダーが含まれると判断し、プレースホルダーが削除されたＣｒｅａｌビットＣＳＩを、前記ダウンリンクキャリアの実際ＣＳＩとする。前記ダウンリンクキャリアのＣＳＩ報告タイプに対応する実際のフィードバックビット数ＣｒｅａｌがＡ−Ｂビットに等しいと判断する場合、前記基地局は、前記Ａ−ＢビットのＣＳＩフィードバック情報が前記ダウンリンクキャリアの実際ＣＳＩであると確定する。
【０２０７】
前記ダウンリンクキャリアのＣＳＩ報告タイプに対応する実際のフィードバックビット数ＣｒｅａｌがＡ−Ｂビットより大きいと判断する場合、前記基地局は、前記Ａ−ＢビットＣＳＩフィードバック情報が前記ダウンリンクキャリアの実際ＣＳＩフィードバックビット中の前のＡ−Ｂビット情報であると確定し、または、Ａ−ＢビットＣＳＩフィードバック情報の全部がプレースホルダーであると確定する。
【０２０８】
ステップ３６６において、基地局は、現在サブフレームにおいて前記端末装置により伝送するＣＳＩの伝送ビット数が０であると確定し、即ち、端末がＣＳＩ情報を伝送しないと確定する。
【０２０９】
仕様７
図３Ｈに示すように、当該仕様において、第２種ＵＣＩの伝送ビット数の確定は、以下のステップを備える。
【０２１０】
基地局は、現在サブフレームにおいて端末装置により伝送するＣＳＩの伝送ビット数がＡ−Ｂビットであると常に確定する。即ち、基地局は、ＡＣＫ／ＮＡＣＫ及びＣＳＩの総伝送ビット数がＡであると仮説する。Ａビット情報を受信後、ＢビットＡＣＫ／ＮＡＣＫを取り出し、残るＡ−Ｂビット情報がＣＳＩ情報であると仮説する。具体的には、以下のような処理仕様がある。
【０２１１】
ステップ３７０において、基地局は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択する。
【０２１２】
ステップ３７２において、当該ダウンリンクキャリアのＣＳＩ報告タイプに対応する実際のフィードバックビット数ＣｒｅａｌがＡ−Ｂビットを超えるかを判断し、当該ダウンリンクキャリアのＣＳＩ報告タイプに対応する実際のフィードバックビット数ＣｒｅａｌがＡ−Ｂビットより小さい場合、ステップ３７４を執行し、等しい場合、ステップ３７６を執行し、大きい場合、ステップ３７８を執行する。
【０２１３】
ステップ３７４において、基地局は、前記Ａ−ＢビットＣＳＩフィードバック情報にＡ−Ｂ−Ｃｒｅａｌビットのプレースホルダーが含まれると確定し、プレースホルダーが削除されたＣｒｅａｌビットＣＳＩを、前記ダウンリンクキャリアの実際ＣＳＩとする。
【０２１４】
ステップ３７６において、基地局は、前記Ａ−ＢビットＣＳＩフィードバック情報が前記ダウンリンクキャリアの実際ＣＳＩであると確定する。
【０２１５】
ステップ３７８において、基地局は、前記Ａ−ＢビットＣＳＩフィードバック情報が前記ダウンリンクキャリアの実際ＣＳＩフィードバックビット中の前のＡ−Ｂビット情報であると確定し、または、Ａ−ＢビットＣＳＩフィードバック情報の全部がプレースホルダーであると確定する（即ち、端末が当該キャリアの真のＣＳＩ情報を伝送せず、Ａ−Ｂビットプレースホルダーを利用して、総伝送ビットがＡであることを確保することを確定する）。または、前記ダウンリンクキャリア集合から、ステップ３７０で選択したダウンリンクキャリアを削除し、ステップ３７０を再執行する。現在アップデート後のダウンリンクキャリア集合から、引き続き１つのダウンリンクキャリアのＣＳＩを選択して対応する処理を行う。ここで、前記現在アップデート後のダウンリンクキャリア集合が空集合である場合、前記基地局は、前記現在サブフレームにおいて端末装置により伝送するＣＳＩの伝送ビット数が０であると確定し、即ち端末がＣＳＩ情報を伝送しないことを確定する。
【０２１６】
仕様８
図３Ｉに示すように、当該仕様において、第２種ＵＣＩの伝送ビット数の確定は、以下のステップを備える。
【０２１７】
基地局は、前記現在サブフレームにおいて端末装置により伝送するＣＳＩの伝送ビット数がＡ−Ｂビットであると確定し、受信及び情報分離の具体的な仕様は、仕様７と同一であり、Ａ−Ｂビットに対するＣＳＩ情報の仮説処理過程は以下で説明する。
【０２１８】
ステップ３８０において、基地局は、現在サブフレームにＣＳＩフィードバックがあるダウンリンクキャリアにおける、ＣＳＩ実際フィードバックビット数がＡ−Ｂビットを超えないダウンリンクキャリア集合を確定する。
【０２１９】
ステップ３８２において、ＣＳＩ報告タイプ優先レベルとキャリア番号のうちの少なくとも１つに基づいて、前記ダウンリンクキャリア集合から１つのダウンリンクキャリアを選択し、且つ、前記ダウンリンクキャリアのＣＳＩ報告タイプに対応する実際のフィードバックビット数ＣｒｅａｌがＡ−Ｂビットを超えるかを判断する。前記ダウンリンクキャリアのＣＳＩ報告タイプに対応する実際のフィードバックビット数ＣｒｅａｌがＡ−Ｂビットより小さい場合、ステップ３８４を執行し、等しい場合、ステップ３８６を執行し、大きい場合、ステップ３８８を執行する。
【０２２０】
ステップ３８４において、基地局は、前記Ａ−ＢビットＣＳＩフィードバック情報にＡ−Ｂ−Ｃｒｅａｌビットのプレースホルダーが含まれると確定し、プレースホルダーが削除されたＣｒｅａｌビットＣＳＩを、前記ダウンリンクキャリアの実際ＣＳＩとする。
【０２２１】
ステップ３８６において、基地局は、前記Ａ−ＢビットＣＳＩフィードバック情報が前記ダウンリンクキャリアの実際ＣＳＩであると確定する。
【０２２２】
ステップ３８８において、基地局は、前記Ａ−ＢビットＣＳＩフィードバック情報が前記ダウンリンクキャリアの実際ＣＳＩフィードバックビット中の前のＡ−Ｂビット情報であると確定し、または、Ａ−ＢビットＣＳＩフィードバック情報の全部がプレースホルダーであると確定する。
【０２２３】
ここで、当該ダウンリンクキャリア集合が空集合である場合、基地局は、前記現在サブフレームにおいて端末装置により伝送するＣＳＩの伝送ビット数が０であると確定し、即ち、端末がＣＳＩ情報を伝送しないことを確定する。
【０２２４】
ここで説明すべきのは、基地局側であろうか端末装置側であろうか、上述仕様１及び仕様２は、ＡＣＫ／ＮＡＣＫ及びＣＳＩ独立コーディングに適用される。たとえば、それぞれ独立のＲＭエンコーダに対応し、且つＡＣＫ／ＮＡＣＫ及びＣＳＩに対応するコーディング後のビットは、上位層シグナリングにより事前に設定されたか、またはＵＥと基地局により事前に設定した固定値にすることにより、ＣＳＩ伝送ビットエラーから招致したＡＣＫ／ＮＡＣＫ伝送エラーを防ぐことができる。上述仕様３、４、５、６、７、８は、ＡＣＫ／ＮＡＣＫ及びＣＳＩ独立コーディングまたはジョイントコーディングに適用され、固定なＣＳＩフィードバックビット数を伝送することにより、ＣＳＩ伝送ビットエラーにより起こすＡＣＫ／ＮＡＣＫ伝送エラーを防ぐことができる。
【０２２５】
ステップ３０３において、基地局が第１種ＵＣＩの伝送ビット数を確定し、さらに第２種ＵＣＩの伝送ビット数を確定した後、基地局は、確定した結果に基づいて、現在サブフレームにおける対応するチャネル・リソースにおいて、端末装置により送信した第１種ＵＣＩ及び第２種ＵＣＩを同時に受信する。
【０２２６】
２種ＵＣＩのビット数の和は、当該チャネル・リソース上でサポートする同時伝送の多種ＵＣＩの最大ビット数を超えない。
【０２２７】
実施例３
第１種ＵＣＩがＣＳＩであり、第２種ＵＣＩがＡＣＫ／ＮＡＣＫである場合、本発明に係る実施例の端末装置側の処理方法は図４に示すように、以下のステップを備える。
【０２２８】
ステップ４０１において、端末装置は、現在サブフレームにおいて伝送すべき第１種ＵＣＩを生成する。
【０２２９】
端末装置側の処理過程は以下で説明する。
端末装置は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、当該ダウンリンクキャリアのＣＳＩ報告タイプに対応する伝送ビット数を、現在サブフレームにおいて端末により伝送するＣＳＩ伝送ビット数とする。
【０２３０】
または、端末装置は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、当該ダウンリンクキャリアのＣＳＩ報告タイプに対応する最大フィードバックビット数Ｃｔｙｐｅ＿ｍａｘを、現在サブフレームにおいて端末により伝送するＣＳＩ伝送ビット数とする。前記選択したダウンリンクキャリアのＣＳＩ報告タイプに対応する実際のフィードバックビット数ＣがＣｔｙｐｅ＿ｍａｘより小さい場合、当該ダウンリンクキャリアの実際ＣＳＩフィードバックビット数後に、Ｃｔｙｐｅ＿ｍａｘ−Ｃビット０を補充し、０を補充後のＣＳＩを、現在サブフレームにおいて端末により伝送すべきＣＳＩとする。前記選択したダウンリンクキャリアのＣＳＩ報告タイプに対応する実際のフィードバックビット数ＣがＣｔｙｐｅ＿ｍａｘより小さくない場合、前記選択したダウンリンクキャリアのＣＳＩを、現在サブフレームにおいて端末により伝送すべきＣＳＩとする。
【０２３１】
ステップ４０２において、端末装置は、現在サブフレームにおけるＵＣＩが同時に伝送する閾値ビット数及び第１種ＵＣＩの伝送ビット数に基づいて、現在サブフレームにおいて伝送すべき第２種ＵＣＩを生成する。
【０２３２】
端末装置側の処理過程は以下で説明する。
【０２３３】
端末装置は、設定キャリア数Ｎと、各設定キャリアの伝送モードと、各キャリアｉ上の現在サブフレームにおいてＡＣＫ／ＮＡＣＫフィードバックを行うべきダウンリンクサブフレーム数Ｍｉとに基づいて、フィードバック待機のＡＣＫ／ＮＡＣＫのフィードバックビット数（数３で表す）を確定する。
【０２３４】
【数３】
0005990644.tif 000007
【０２３５】
端末装置は、ＢがＡ−Ｃを超えるかを判断する。
【０２３６】
判断結果が超えないである場合、ＢビットＡＣＫ／ＮＡＣＫフィードバック情報を生成する。
【０２３７】
判断結果が超えるである場合、併後のＡＣＫ／ＮＡＣＫフィードバックビット数がＡ−Ｃを超えないように、ＡＣＫ／ＮＡＣＫに対して、事前に定義した合併を行う。且つ、合併後のＡＣＫ／ＮＡＣＫフィードバック情報を、現在サブフレームにおいて端末により伝送するＡＣＫ／ＮＡＣＫ情報とする。
【０２３８】
ここで、Ｃは、端末装置により生成したＣＳＩの伝送ビット数を示す。
【０２３９】
ステップ４０３において、端末装置は、現在サブフレームにおける対応するチャネル・リソースにおいて、生成した第１種ＵＣＩ及び第２種ＵＣＩを同時に伝送する。
【０２４０】
２種ＵＣＩのビット数の和は、当該チャネル・リソース上でサポートする同時伝送の多種ＵＣＩの最大ビット数を超えない。
【０２４１】
実施例４
第１種ＵＣＩがＣＳＩであり、第２種ＵＣＩがＡＣＫ／ＮＡＣＫである場合、本発明に係る実施例の基地局側の処理方法は、図５に示すように、下記のステップを備える。
【０２４２】
ステップ５０１において、基地局は、まず第１種ＵＣＩの伝送ビット数を確定する。具体的に以下のように処理する。
【０２４３】
基地局は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、当該ダウンリンクキャリアのＣＳＩ報告タイプに対応する伝送ビット数と、現在サブフレームにおけるＣＳＩの伝送ビット数とする。
【０２４４】
または、基地局は、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、当該ダウンリンクキャリアのＣＳＩ報告タイプに対応する最大フィードバックビット数Ｃｔｙｐｅ＿ｍａｘを、現在サブフレームにおけるＣＳＩの伝送ビット数とする。
【０２４５】
ステップ５０２において、基地局は、第２種ＵＣＩの伝送ビット数を確定する。具体的に以下のように処理する。
【０２４６】
基地局は、端末の設定キャリア数Ｎと、各設定キャリアの伝送モードと、各キャリアｉ上の現在サブフレームにおいてＡＣＫ／ＮＡＣＫフィードバックを行うべきダウンリンクサブフレーム数Ｍｉとに基づいて、端末により伝送すべきＡＣＫ／ＮＡＣＫフィードバックビット数を計算する。
【０２４７】
【数４】
0005990644.tif 000008
【０２４８】
基地局は、ＢがＡ−Ｃを超えるかを判断する。
【０２４９】
判断結果が超えないである場合、基地局は、現在サブフレームにおいて端末により伝送するＡＣＫ／ＮＡＣＫ伝送ビット数がＢであると確定する。
【０２５０】
判断結果が超える場合、基地局は、端末がＡＣＫ／ＮＡＣＫに対する事前定義した合併を確定し、合併後のＡＣＫ／ＮＡＣＫフィードバックビット数がＡ−Ｂを超えないようにし、且つ事前定義した合併仕様に基づいて、合併後のＡＣＫ／ＮＡＣＫフィードバックビット数を、現在サブフレームにおいて端末により伝送する第２種ＵＣＩの伝送ビット数とする。
【０２５１】
実の実施シナリオにおいて、上述事前定義した合併は、好ましくは、空間合併を利用する。もし、空間合併が、合併後フィードバックビット数がＡ−Ｂを超えない要件を満足しない場合、時間領域合併、周波数領域合併等仕様を採用することもできる。
【０２５２】
ステップ５０３において、基地局が第１種ＵＣＩの伝送ビット数を確定し、さらに第２種ＵＣＩの伝送ビット数を確定した後、基地局は、確定した結果に基づいて、現在サブフレームにおける対応するチャネル・リソースにおいて、端末装置により送信した第１種ＵＣＩ及び第２種ＵＣＩを同時に受信する。
【０２５３】
上述各実施例の技術案に対し、以下の説明がさらに必要である。
【０２５４】
（１）ＲＩ値をベースにして報告するＣＳＩ報告タイプ（ｔｙｐｅ１／１Ａ／２／２Ａ／２ｂ／２ｃ）の場合、前記ＣＳＩ報告タイプに対応する最大（最小）フィードバックビット数は、当該ＣＳＩ報告タイプの、現在アンテナポート設定において、異なるＲＩ値に対応するフィードバックビット数の最大値（最小値）である。他のＣＳＩ報告タイプ（ｔｙｐｅ３／４／５／６）、前記ＣＳＩ報告タイプに対応する最大（最小）フィードバックビット数は、実際フィードバックビット数である。
【０２５５】
たとえば、ｔｙｐｅ２報告タイプにおいて、表１に示すように、フィードバックモード１−１または１−２において、２アンテナポート伝送の端末の場合、ＲＩが１であれば６ビットに対応し、ＲＩが１より大きければ、８ビットに対応する。そうすると、２アンテナポート設定の場合、ＣＳＩ報告タイプ２に対応する最大ＣＳＩフィードバックビット数は、８ビットであり、ＣＳＩ報告タイプ２に対応する最大ＣＳＩフィードバックビット数は６ビットである。
【０２５６】
たとえば、ｔｙｐｅ３報告タイプにおいて、具体的な報告ビット数はＲＩ値と関わらない。選択したダウンリンクキャリアが現在サブフレームにおいて４層（ｌａｙｅｒ）伝送である場合、当該ＣＳＩ報告タイプの実際ビットは２ビットであり、ＣＳＩ報告タイプ３に対応する最大及び最小ＣＳＩフィードバックビット数は、ともに２ビットである。
【０２５７】
（２）伝送する前記ＵＣＩのＰＵＣＣＨ  ｆｏｒｍａｔは、ＰＵＣＣＨ  ｆｏｒｍａｔ２、３であってもよいし、他の新しく定義した大容量ＰＵＣＣＨ  ｆｏｒｍａｔであってもよい。たとえば、ＰＵＳＣＨ伝送構成に基づくＰＵＣＣＨ  ｆｏｒｍａｔ。
【０２５８】
前記ＰＵＣＣＨ  ｆｏｒｍａｔがｆｏｒｍａｔ３である場合、前記ＰＵＣＣＨ  ｆｏｒｍａｔ３チャネル・リソースは、ＡＣＫ／ＮＡＣＫに対応するチャネル・リソース、または周期ＣＳＩに対応するチャネル・リソースであることができる。
【０２５９】
好ましくは、ＡＣＫ／ＮＡＣＫがＰＵＣＣＨ  ｆｏｒｍａｔ３で伝送するように設定される場合、前記ＰＵＣＣＨ  ｆｏｒｍａｔ３チャネル・リソースは、ＡＣＫ／ＮＡＣＫに対応するチャネル・リソースであることができる。ＡＣＫ／ＮＡＣＫがＰＵＣＣＨ  ｆｏｒｍａｔ１ｂ  ｗｉｔｈ  ＣｈＡｎｎｅｌ  ｓｅｌｅＣｔｉｏｎで伝送するように設定される場合、前記ＰＵＣＣＨ  ｆｏｒｍａｔ３チャネル・リソースは、ＣＳＩに対応するチャネル・リソースであることができる。
【０２６０】
（３）上述のように、前記Ａ値は、事前に定義（シグナリング通知がいらない）した値であるか、または上位層シグナリングや、ＰＤＣＣＨシグナリングにより通知された値である。当該値はＰＵＣＣＨ  ｆｏｒｍａｔの最大搬送ビット数、またはＰＵＣＣＨ  ｆｏｒｍａｔの最大搬送ビット数とＳＲビット数の差を超えないいずれの正の整数である。
【０２６１】
前記ＰＵＣＣＨ  ｆｏｒｍａｔがｆｏｒｍａｔ３である場合、以下の例を挙げる。
【０２６２】
判定用のフィードバックビット数がＣＳＩ報告タイプの実際フィードバックビット数Ｃｒｅａｌである場合、Ａを事前に２１または２２に設定するか、または、ＳＲ伝送サブフレームにおいて、Ａを事前に２１に設定し、非ＳＲ伝送サブフレームにおいて、Ａを事前に２２に設定する。
【０２６３】
判定用のフィードバックビット数がＣＳＩ報告タイプの最大フィードバックビット数Ｃｔｙｐｅ＿ｍａｘである場合、ｔｙｐｅ３／４／５／６に対し、Ａを事前に２１またはＡを事前に２２に設定する。または、ＳＲ伝送サブフレームにおいて、Ａを事前に２１に設定し、非ＳＲ伝送サブフレームにおいて、Ａを事前に２２に設定する。ｔｙｐｅ３／４／５／６以外のｔｙｐｅに対し、ＡＣＫ／ＮＡＣＫフィードバックビット数と、ＣＳＩフィードバックビット数とに基づいて、事前に設定するか、または上位層シグナリングや、ＰＤＣＣＨシグナリングにより通知された１つの２１または２２ビットを超えないいずれの正の整数値である。
【０２６４】
または、すべてのＣＳＩ  ｒｅｐｏｒｔｉｎｇ  ｔｙｐｅに対し、１つのサブフレームにおいてフィードバックするＡＣＫ／ＮＡＣＫビット数Ａ１に基づいて、ＣＳＩ  ｒｅｐｏｒｔｉｎｇ  ｔｙｐｅの最大フィードバックビット数がＡ２であり、Ａをｍｉｎ（Ａ１＋Ａ２，２２）にするか、またはＡをｍｉｎ（Ａ１＋Ａ２，２２−ＡＳＲ）にするか、またはＡをｍｉｎ（Ａ１＋Ａ２，２２）またはｍｉｎ（Ａ１＋Ａ２，２２−ＡＳＲ）を超えないいずれの正の整数にするように、事前に設定するか、またはシグナリングにより設定する。ここで、ＡＳＲは、ＳＲビット数であり、ＳＲサブフレームにおいて事前に１に設定し、非ＳＲサブフレームにおいて事前に０し、または、すべてのサブフレームにおいて１または０に設定する。
【０２６５】
従来技術と比べ、本発明に係る実施例の技術案は以下のメリットを有する。
【０２６６】
本発明に係る実施例の技術案を実施することにより、現在サブフレームに対応するチャネル・リソースにおいて、ＡＣＫ／ＮＡＣＫ及び周期ＣＳＩの同時伝送方法を実現できる。現在サブフレームにおけるＵＣＩが同時に伝送する閾値ビット数と、第１種ＵＣＩが現在サブフレームにおける伝送ビット数とに基づいて、第１種ＵＣＩと同時に伝送する第２種ＵＣＩの伝送ビット数を動的に確定し、同時に伝送するＵＣＩビットの和が、現在サブフレームにおけるＵＣＩが同時に伝送する閾値ビット数を超えないことを確保できる。ＡＣＫ／ＮＡＣＫ合併とＣＳＩ放棄をなくべく防ぎ、アップリンク情報伝送の正確性及び整合性を最大限に確保する。
【０２６７】
本発明に係る実施例の技術案を実施するため、本発明に係る実施例は、基地局をさらに提供し、基地局の構造は図６に示すように、以下のモジュールを備える。
【０２６８】
第１生成モジュール６１は、現在サブフレームにおいて伝送すべく第１種ＵＣＩを生成する。
【０２６９】
第２生成モジュール６２は、現在サブフレームにおけるＵＣＩが同時に伝送する閾値ビット数及び前記第１生成モジュール６１により生成した第１種ＵＣＩの伝送ビット数に基づいて、現在サブフレームにおいて伝送すべく第２種ＵＣＩを生成する。ここで、前記第２種ＵＣＩの伝送ビット数は、現在サブフレームにおけるＵＣＩが同時に伝送する閾値ビット数と前記第１種ＵＣＩの伝送ビット数の差を超えない。
【０２７０】
伝送モジュール６３は、現在サブフレームにおける対応するチャネル・リソースにおいて、前記第１生成モジュール６１により生成した前記第１種ＵＣＩと、前記第２生成モジュール６２により生成した前記第２種ＵＣＩを伝送する。
【０２７１】
実の実施シナリオには、前記第１種ＵＣＩは、肯定応答ＡＣＫ／否定応答ＮＡＣＫであり、前記第２種ＵＣＩはチャネル状態情報ＣＳＩである。
【０２７２】
または、前記第１種ＵＣＩはＣＳＩであり、前記第２種ＵＣＩはＡＣＫ／ＮＡＣＫである。
【０２７３】
具体的な１つの実施シナリオにおいて、前記第１種ＵＣＩがＡＣＫ／ＮＡＣＫであり、前記第２種ＵＣＩがＣＳＩである場合、前記第１生成モジュール６１は以下のことに用いられる。
【０２７４】
設定キャリア数Ｎと、各設定キャリアの伝送モードと、各キャリア上の、現在サブフレームにおいてＡＣＫ／ＮＡＣＫフィードバックを行うべきダウンリンクサブフレーム数Ｍｉとに基づいて、生成すべきＡＣＫ／ＮＡＣＫの伝送ビット数は数５で算出した値である。
【０２７５】
【数５】
0005990644.tif 000009
【０２７６】
現在サブフレームにおいて伝送すべく対応の伝送ビット数のＡＣＫ／ＮＡＣＫを生成する。
【０２７７】
ここで、Ｃｉの値は、以下の規則に従う。
【０２７８】
シングルコード名伝送のキャリアの場合、Ｃｉは１であり、マルチコード名伝送のキャリアの場合、Ｃｉは２である。
【０２７９】
或いは、シングルコード名伝送、またはマルチコード名伝送であり且つ空間合併を利用するキャリアの場合、Ｃｉは１であり、マルチコード名伝送であり且つ空間合併を利用しないキャリアの場合、Ｃｉは２である。
【０２８０】
Ｍｉの値は以下の規則に従う。周波数分割複信ＦＤＤシステムの場合、Ｍｉは１であり、時分割複信ＴＤＤシステムの場合、異なるアグリゲーションキャリアに対応するＭｉの値は、同一であるか、異なる。
【０２８１】
さらに、前記第１種ＵＣＩがＡＣＫ／ＮＡＣＫであり、前記第２種ＵＣＩがＣＳＩである場合、前記第２生成モジュール６２は、下記８つの方法のうちの１つに用いられて、現在サブフレームにおいて伝送すべく第２種ＵＣＩを生成する。
【０２８２】
方法１
現在サブフレームにＣＳＩフィードバックがあるダウンリンクキャリアにおける、ＣＳＩ実際フィードバックビット数がＡ−Ｂビットを超えないダウンリンクキャリア集合を確定する。ここで、Ａは、現在サブフレームにおけるＵＣＩが同時に伝送する閾値ビット数を示し、Ｂは、前記第１生成モジュール６１により生成したＡＣＫ／ＮＡＣＫの伝送ビット数を示す。
【０２８３】
ＣＳＩ報告タイプ優先レベルとキャリア番号のうちの少なくとも１つに基づいて、前記ダウンリンクキャリア集合から１つのダウンリンクキャリアを選択し、当該ダウンリンクキャリアのＣｒｅａｌビットの実際ＣＳＩフィードバック情報を生成し、選択したダウンリンクキャリアのＣｒｅａｌビットＣＳＩを、現在サブフレームにおいて伝送すべきＣＳＩとする。
【０２８４】
ここで、前記確定したダウンリンクキャリア集合が空集合であるバイ、現在サブフレームにおいてＣＳＩを伝送しないことを確定する。
【０２８５】
方法２
ステップＡにおいて、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択する。
【０２８６】
ステップＢにおいて、選択した前記ダウンリンクキャリアのＣＳＩフィードバックビット数がＡ−Ｂビットを超えるかを判断する。ここで、Ａは、現在サブフレームにおけるＵＣＩが同時に伝送する閾値ビット数を示し、Ｂは、前記第１生成モジュール６１により生成したＡＣＫ／ＮＡＣＫの伝送ビット数を示す。
【０２８７】
判断結果が「超えない」である場合、当該ダウンリンクキャリアのＣｒｅａｌビットの実際ＣＳＩフィードバック情報を生成し、且つ前記ダウンリンクキャリアのＣｒｅａｌビットＣＳＩを、現在サブフレームにおいて伝送すべきＣＳＩとする。
【０２８８】
判断結果が「超える」である場合、現在サブフレームにおいてＣＳＩが伝送されていないことを確定し、または、
【０２８９】
判断結果が「超える」である場合、前記ダウンリンクキャリア集合から、ステップＡにおいて現在選択したダウンリンクキャリアを削除し、ステップＡを再執行して、現在アップデート後のダウンリンクキャリア集合から、引き続き１つのダウンリンクキャリアのＣＳＩを選択して対応する処理を行う。
【０２９０】
ここで、前記現在アップデート後のダウンリンクキャリア集合が空集合である場合、現在サブフレームにおいてＣＳＩが伝送されていないことを確定する。
【０２９１】
方法３
現在サブフレームにＣＳＩフィードバックがあるダウンリンクキャリアにおいて、ＣＳＩ報告タイプに対応する最大フィードバックビット数がＡ−Ｂのダウンリンクキャリア集合を超えないと確定する。ここで、Ａは、現在サブフレームにおけるＵＣＩが同時に伝送する閾値ビット数を示し、Ｂは、前記第１生成モジュール６１により生成したＡＣＫ／ＮＡＣＫの伝送ビット数を示す。
【０２９２】
ＣＳＩ報告タイプ優先レベルとキャリア番号のうちの少なくとも１つに基づいて、前記ダウンリンクキャリア集合から１つのダウンリンクキャリアを選択し、現在サブフレームにおいて伝送すべきＣＳＩの伝送ビット数が前記ダウンリンクキャリアのＣＳＩ報告タイプに対応する最大フィードバックビット数Ｃｔｙｐｅ＿ｍａｘであると確定する。
【０２９３】
ここで、前記ダウンリンクキャリアに対応するＣＳＩ報告タイプの実際フィードバックビット数ＣｒｅａｌがＣｔｙｐｅ＿ｍａｘより小さい場合、前記ダウンリンクキャリアのＣｒｅａｌビットの実際ＣＳＩフィードバック情報後に、Ｃｔｙｐｅ＿ｍａｘ−Ｃｒｅａｌビットのプレースホルダーを補充し、プレースホルダー補充済みのＣｔｙｐｅ＿ｍａｘビットＣＳＩと、現在サブフレームにおいて伝送すべきＣＳＩとする。
【０２９４】
前記ダウンリンクキャリアに対応するＣＳＩ報告タイプの実際フィードバックビット数ＣｒｅａｌがＣｔｙｐｅ＿ｍａｘに等しい場合、前記ダウンリンクキャリアのＣｒｅａｌビットの実際ＣＳＩフィードバック情報を、現在サブフレームにおいて伝送すべきＣＳＩとする。
【０２９５】
前記確定したダウンリンクキャリア集合が空集合である場合、現在サブフレームにおいてＣＳＩが伝送されていないことを確定する。
【０２９６】
方法４
ステップＡにおいて、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択する。
【０２９７】
ステップＢにおいて、前記ダウンリンクキャリアのＣＳＩ報告タイプに対応する最大フィードバックビット数Ｃｔｙｐｅ＿ｍａｘがＡ−Ｂビットを超えるかを判断する。ここで、Ａは、現在サブフレームにおけるＵＣＩが同時に伝送する閾値ビット数を示し、Ｂは、前記第１生成モジュール６１により生成したＡＣＫ／ＮＡＣＫの伝送ビット数を示す。
【０２９８】
判断結果が「超えない」である場合、現在サブフレームにおいて伝送すべきＣＳＩの伝送ビット数が、前記ダウンリンクキャリアのＣＳＩ報告タイプに対応する最大フィードバックビット数Ｃｔｙｐｅ＿ｍａｘであると確定する。ここで、前記ダウンリンクキャリアのＣＳＩ報告タイプに対応する実際のフィードバックビット数ＣｒｅａｌがＣｔｙｐｅ＿ｍａｘより小さい場合、前記ダウンリンクキャリアのＣｒｅａｌビットの実際ＣＳＩフィードバック情報後に、Ｃｔｙｐｅ＿ｍａｘ−Ｃｒｅａｌビットのプレースホルダーを補充し、プレースホルダー補充済みのＣｔｙｐｅ＿ｍａｘビットＣＳＩを、現在サブフレームにおいて端末により伝送すべきＣＳＩとする。前記ダウンリンクキャリアのＣＳＩ報告タイプに対応する実際のフィードバックビット数ＣｒｅａｌがＣｔｙｐｅ＿ｍａｘに等しい場合、前記ダウンリンクキャリアのＣｒｅａｌビットの実際ＣＳＩを、現在サブフレームにおいて伝送すべきＣＳＩとする。
【０２９９】
判断結果が「超える」である場合、現在サブフレームにおいてＣＳＩが伝送されていないことを確定する。
【０３００】
或いは、判断結果が「超える」である場合、前記ダウンリンクキャリア集合から、ステップＡにおいて現在選択したダウンリンクキャリアを削除し、ステップＡを再執行て、現在アップデート後のダウンリンクキャリア集合から、引き続き１つのダウンリンクキャリアのＣＳＩを選択して対応する処理を行う。
【０３０１】
ここで、前記現在アップデート後のダウンリンクキャリア集合が空集合である場合、現在サブフレームにおいてＣＳＩが伝送されていないことを確定する。
【０３０２】
方法５
ステップＡにおいて、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択する。
【０３０３】
ステップＢにおいて、前記ダウンリンクキャリアのＣＳＩ報告タイプに対応する最小フィードバックビット数Ｃｔｙｐｅ＿ｍｉｎがＡ−Ｂビットを超えるかを判断する。ここで、Ａは、現在サブフレームにおけるＵＣＩが同時に伝送する閾値ビット数を示し、Ｂは、前記第１生成モジュール６１により生成したＡＣＫ／ＮＡＣＫの伝送ビット数を示す。
【０３０４】
判断結果が「超えない」である場合、現在サブフレームにおいて伝送すべきＣＳＩの伝送ビット数がＡ−Ｂビットであると確定する。ここで、前記選択したダウンリンクキャリアのＣＳＩ報告タイプに対応する実際のフィードバックビット数ＣｒｅａｌがＡ−Ｂより小さい場合、前記ダウンリンクキャリアのＣｒｅａｌビットの実際ＣＳＩフィードバック情報後に、Ａ−Ｂ−Ｃｒｅａｌビットのプレースホルダーを補充し、プレースホルダー補充済みのＡ−ＢビットＣＳＩを、現在サブフレームにおいて端末により伝送すべきＣＳＩとする。前記ダウンリンクキャリアのＣＳＩ報告タイプに対応する実際のフィードバックビット数ＣｒｅａｌがＡ−Ｂビットより大きい場合、前記ダウンリンクキャリアの実際ＣＳＩフィードバックビット中の前のＡ−Ｂビット情報を、現在サブフレームにおいて伝送すべきＣＳＩとする。または、Ａ−Ｂビットプレースホルダーを生成して、現在サブフレームにおいて前記端末装置により伝送すべきＣＳＩとする。前記ダウンリンクキャリアのＣＳＩ報告タイプに対応する実際のフィードバックビット数ＣｒｅａｌがＡ−Ｂに等しい場合、前記ダウンリンクキャリアのＣｒｅａｌビットの実際ＣＳＩを、現在サブフレームにおいて伝送すべきＣＳＩとする。
【０３０５】
判断結果が「超える」である場合、現在サブフレームにおいてＣＳＩが伝送されていないことを確定する。
【０３０６】
或いは、判断結果が「超える」である場合、前記ダウンリンクキャリア集合から、ステップＡで選択したダウンリンクキャリアを削除し、ステップＡを再執行し、現在アップデート後のダウンリンクキャリア集合から、引き続き１つのダウンリンクキャリアのＣＳＩを選択して対応する処理を行う。
【０３０７】
ここで、前記現在アップデート後のダウンリンクキャリア集合が空集合である場合、現在サブフレームにおいてＣＳＩが伝送されていないことを確定する。
【０３０８】
方法６
現在サブフレームにＣＳＩフィードバックがあるダウンリンクキャリアのＣＳＩ報告タイプに対応する最小フィードバックビット数Ｃｔｙｐｅ＿ｍｉｎがＡ−Ｂビットのダウンリンクキャリア集合を超えないと確定する。ここで、Ａは、現在サブフレームにおけるＵＣＩが同時に伝送する閾値ビット数を示し、Ｂは、前記第１生成モジュール６１により生成したＡＣＫ／ＮＡＣＫの伝送ビット数を示す。
【０３０９】
ＣＳＩ報告タイプ優先レベルとキャリア番号のうちの少なくとも１つに基づいて、前記ダウンリンクキャリア集合から１つのダウンリンクキャリアを選択し、且つ、前記ダウンリンクキャリアのＣＳＩ報告タイプに対応する実際のフィードバックビット数ＣｒｅａｌがＡ−Ｂビットを超えるかを判断する。
【０３１０】
前記ダウンリンクキャリアのＣＳＩ報告タイプに対応する実際のフィードバックビット数ＣｒｅａｌがＡ−Ｂビットより小さいと判断する場合、前記ダウンリンクキャリアのＣｒｅａｌビットの実際ＣＳＩフィードバック情報後に、Ａ−Ｂ−Ｃｒｅａｌビットのプレースホルダーを補充し、プレースホルダー補充済みのＡ−ＢビットＣＳＩと、現在サブフレームにおいて伝送すべきＣＳＩとする。
【０３１１】
等しいと判断する場合、前記ダウンリンクキャリアのＣｒｅａｌビットの実際ＣＳＩを、現在サブフレームにおいて伝送すべきＣＳＩとする。
【０３１２】
前記ダウンリンクキャリアのＣＳＩ報告タイプに対応する実際のフィードバックビット数ＣｒｅａｌがＡ−Ｂビットより大きいと判断する場合、前記ダウンリンクキャリアの実際ＣＳＩフィードバック情報中の前のＡ−Ｂビット情報を、現在サブフレームにおいて伝送すべきＣＳＩとする。または、Ａ−Ｂビットプレースホルダーを生成して、現在サブフレームにおいて伝送すべきＣＳＩとする。
【０３１３】
ここで、前記確定したダウンリンクキャリア集合が空集合である場合、現在サブフレームにおいてＣＳＩが伝送されていないことを確定する。
【０３１４】
方法７
現在サブフレームにおいて伝送すべきＣＳＩの伝送ビット数がＡ−Ｂビットであると確定する。ここで、Ａは、現在サブフレームにおけるＵＣＩが同時に伝送する閾値ビット数を示し、Ｂは、前記第１生成モジュール６１により生成したＡＣＫ／ＮＡＣＫの伝送ビット数を示す。
【０３１５】
ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、且つ、前記ダウンリンクキャリアのＣＳＩ報告タイプに対応する実際のフィードバックビット数ＣｒｅａｌがＡ−Ｂビットを超えるかを判断する。
【０３１６】
前記ダウンリンクキャリアのＣＳＩ報告タイプに対応する実際のフィードバックビット数ＣｒｅａｌがＡ−Ｂビットより小さいと判断する場合、前記ダウンリンクキャリアのＣｒｅａｌビットの実際ＣＳＩフィードバック情報後に、Ａ−Ｂ−Ｃｒｅａｌビットのプレースホルダーを補充し、プレースホルダー補充済みのＡ−ＢビットＣＳＩと、現在サブフレームにおいて伝送すべきＣＳＩとする。
【０３１７】
前記ダウンリンクキャリアのＣＳＩ報告タイプに対応する実際のフィードバックビット数ＣｒｅａｌがＡ−Ｂビットに等しいと判断する場合、前記ダウンリンクキャリアのＣｒｅａｌビットの実際ＣＳＩを、現在サブフレームにおいて伝送すべきＣＳＩとする。
【０３１８】
前記ダウンリンクキャリアのＣＳＩ報告タイプに対応する実際のフィードバックビット数ＣｒｅａｌがＡ−Ｂビットより大きいと判断する場合、前記ダウンリンクキャリアの実際ＣＳＩフィードバック情報中の前のＡ−Ｂビット情報を、現在サブフレームにおいて伝送すべきＣＳＩとする。または、Ａ−Ｂビットプレースホルダーを生成して、現在サブフレームにおいて伝送すべきＣＳＩとする。または、前記ダウンリンクキャリア集合から、ステップＡで選択したダウンリンクキャリアを削除し、ステップＡを再執行し、現在アップデート後のダウンリンクキャリア集合から、引き続き１つのダウンリンクキャリアのＣＳＩを選択して対応する処理を行う。ここで、前記現在アップデート後のダウンリンクキャリア集合が空集合である場合、現在サブフレームにおいてＣＳＩが伝送されていないことを確定する。
【０３１９】
方法８
現在サブフレームにおいて伝送すべきＣＳＩの伝送ビット数がＡ−Ｂビットであると確定する。ここで、Ａは、現在サブフレームにおけるＵＣＩが同時に伝送する閾値ビット数を示し、Ｂは、前記第１生成モジュール６１により生成したＡＣＫ／ＮＡＣＫの伝送ビット数を示す。
【０３２０】
現在サブフレームにＣＳＩフィードバックがあるダウンリンクキャリアにおける、ＣＳＩ実際フィードバックビット数がＡ−Ｂビットを超えないダウンリンクキャリア集合を確定する。ＣＳＩ報告タイプ優先レベルとキャリア番号のうちの少なくとも１つに基づいて、前記ダウンリンクキャリア集合から１つのダウンリンクキャリアを選択し、且つ、前記ダウンリンクキャリアのＣＳＩ報告タイプに対応する実際のフィードバックビット数ＣｒｅａｌがＡ−Ｂビットを超えるかを判断する。
【０３２１】
前記ダウンリンクキャリアのＣＳＩ報告タイプに対応する実際のフィードバックビット数ＣｒｅａｌがＡ−Ｂビットより小さいと判断する場合、前記ダウンリンクキャリアのＣｒｅａｌビットの実際ＣＳＩフィードバック情報後に、Ａ−Ｂ−Ｃｒｅａｌビットのプレースホルダーを補充し、プレースホルダー補充済みのＡ−ＢビットＣＳＩと、現在サブフレームにおいて伝送すべきＣＳＩとする。
【０３２２】
前記ダウンリンクキャリアのＣＳＩ報告タイプに対応する実際のフィードバックビット数ＣｒｅａｌがＡ−Ｂビットに等しいと判断する場合、前記ダウンリンクキャリアのＣｒｅａｌビットの実際ＣＳＩを、現在サブフレームにおいて伝送すべきＣＳＩとする。
【０３２３】
前記ダウンリンクキャリアのＣＳＩ報告タイプに対応する実際のフィードバックビット数ＣｒｅａｌがＡ−Ｂビットより大きいと判断する場合、前記ダウンリンクキャリアの実際ＣＳＩフィードバック情報中の前のＡ−Ｂビット情報を、現在サブフレームにおいて伝送すべきＣＳＩとする。または、Ａ−Ｂビットプレースホルダーを生成して、現在サブフレームにおいて伝送すべきＣＳＩとする。
【０３２４】
ここで、前記確定したダウンリンクキャリア集合が空集合である場合、Ａ−Ｂビットプレースホルダーを生成して、現在サブフレームにおいて伝送すべきＣＳＩとする。
【０３２５】
具体的に、前記第１種ＵＣＩがＣＳＩであり、前記第２種ＵＣＩがＡＣＫ／ＮＡＣＫである場合、前記第１生成モジュール６１は具体的に以下のことに用いられる。
【０３２６】
ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択する。
【０３２７】
前記ダウンリンクキャリアのＣＳＩ報告タイプに対応する実際のフィードバックビット数Ｃｒｅａｌを、現在サブフレームにおいて伝送すべきＣＳＩ伝送ビット数とする。前記ダウンリンクキャリアのＣｒｅａｌビットＣＳＩを、現在サブフレームにおいて伝送すべきＣＳＩとする。
【０３２８】
或いは、当該ダウンリンクキャリアのＣＳＩ報告タイプに対応する最大フィードバックビット数Ｃｔｙｐｅ＿ｍａｘを、現在サブフレームにおいて伝送するＣＳＩ伝送ビット数とする。前記ダウンリンクキャリアのＣＳＩ報告タイプに対応する実際のフィードバックビット数ＣｒｅａｌがＣｔｙｐｅ＿ｍａｘより小さい場合、前記ダウンリンクキャリアの実際ＣＳＩフィードバック情報数後に、Ｃｔｙｐｅ＿ｍａｘ−Ｃｒｅａｌビットのプレースホルダーを補充し、プレースホルダー補充済みのＣＳＩを、現在サブフレームにおいて伝送すべきＣＳＩとする。前記ダウンリンクキャリアのＣＳＩ報告タイプに対応する実際のフィードバックビット数ＣｒｅａｌがＣｔｙｐｅ＿ｍａｘに等しい場合、前記ダウンリンクキャリアのＣｒｅａｌビットＣＳＩを、現在サブフレームにおいて伝送すべきＣＳＩとする。
【０３２９】
さらに、前記第１種ＵＣＩがＣＳＩであり、前記第２種ＵＣＩがＡＣＫ／ＮＡＣＫである場合、前記第２生成モジュール６２は具体的に以下のことに用いられる。
【０３３０】
設定キャリア数と、各設定キャリアの伝送モードと、各キャリア上の、現在サブフレームにおいてＡＣＫ／ＮＡＣＫフィードバックを行うべきダウンリンクサブフレーム数とに基づいて、フィードバック待機のＡＣＫ／ＮＡＣＫのフィードバックビット数を確定する。
【０３３１】
前記フィードバック待機のＡＣＫ／ＮＡＣＫのフィードバックビット数がＡ−Ｃを超えるかを判断する。ここで、Ａは、現在サブフレームにおけるＵＣＩが同時に伝送する閾値ビット数を示し、Ｃは、前記第１生成モジュール６１により生成したＣＳＩの伝送ビット数を示す。
【０３３２】
判断結果が「超えない」である場合、前記フィードバック待機のＡＣＫ／ＮＡＣＫのフィードバックビット数に基づいて、対応のビット数のＡＣＫ／ＮＡＣＫを生成し、生成したＡＣＫ／ＮＡＣＫを、現在サブフレームにおいて伝送すべきＡＣＫ／ＮＡＣＫとする。
【０３３３】
判断結果が「超える」である場合、フィードバック待機のＡＣＫ／ＮＡＣＫに対し空間合併を行い、空間合併後のＡＣＫ／ＮＡＣＫのフィードバックビット数がＡ−Ｃを超えないようにし、空間合併後のＡＣＫ／ＮＡＣＫを、現在サブフレームにおいて伝送すべきＡＣＫ／ＮＡＣＫとする。
【０３３４】
ここで説明すべきのは、前記現在サブフレームが、スケジューリング・リクウェストＳＲ伝送サブフレームである場合、前記処理モジュールは具体的に以下のことに用いられる。
【０３３５】
現在サブフレームにおける対応するチャネル・リソースにおいて、生成した前記第１種ＵＣＩ及び第２種ＵＣＩと、１ビットＳＲとを伝送する。
【０３３６】
また、本発明に係る実施例は、端末装置をさらに提供し、その構造は図７に示すように、下記のモジュールを備える。
【０３３７】
第１確定モジュール７１は、現在サブフレームにおいて端末装置により伝送すべく第１種ＵＣＩの伝送ビット数を確定する。
【０３３８】
第２確定モジュール７２は、現在サブフレームにおけるＵＣＩが同時に伝送する閾値ビット数と、前記第１確定モジュール７１により確定した第１種ＵＣＩの伝送ビット数とに基づいて、現在サブフレームにおいて前記端末装置により伝送すべく第２種ＵＣＩの伝送ビット数を確定する。ここで、前記第２種ＵＣＩの伝送ビット数は、現在サブフレームにおけるＵＣＩが同時に伝送する閾値ビット数と前記第１種ＵＣＩの伝送ビット数の差を超えない。
【０３３９】
受信モジュール７３は、現在サブフレームにおける対応するチャネル・リソースにおいて、前記第１確定モジュール７１により確定した第１種ＵＣＩの伝送ビット数と、前記第２確定モジュール７２により確定した第２種ＵＣＩの伝送ビット数にとづいて、前記端末装置により伝送された第１種ＵＣＩ及び第２種ＵＣＩを受信する。
【０３４０】
実の実施シナリオにおいて、前記第１種ＵＣＩは肯定応答ＡＣＫ／否定応答ＮＡＣＫであり、前記第２種ＵＣＩはチャネル状態情報ＣＳＩである。
【０３４１】
あるいは、前記第１種ＵＣＩはＣＳＩであり、前記第２種ＵＣＩはＡＣＫ／ＮＡＣＫである。
【０３４２】
１つの具体的な実施シナリオにおいて、前記第１種ＵＣＩがＡＣＫ／ＮＡＣＫであり、前記第２種ＵＣＩがＣＳＩである場合、前記第１確定モジュール７１が、在現在サブフレームにおいて端末装置により伝送する第１種ＵＣＩの伝送ビット数を確定することは、具体的に以下で説明する。
【０３４３】
前記端末装置の設定キャリア数Ｎと、各設定キャリアの伝送モードと、各キャリア上の、現在サブフレームにおいてＡＣＫ／ＮＡＣＫフィードバックを行うべきダウンリンクサブフレーム数Ｍｉとに基づいて、現在サブフレームにおいて前記端末装置により伝送するＡＣＫ／ＮＡＣＫの伝送ビット数を確定する。当該伝送ビットは、数６で示す。
【０３４４】
【数６】
0005990644.tif 000010
【０３４５】
ここで、Ｃｉの値は、以下の規則に従う。
【０３４６】
シングルコード名伝送のキャリアの場合、Ｃｉは１であり、マルチコード名伝送のキャリアの場合、Ｃｉは２である。
【０３４７】
或いは、シングルコード名伝送、またはマルチコード名伝送であり且つ空間合併を利用するキャリアの場合、Ｃｉは１であり、マルチコード名伝送であり且つ空間合併を利用しないキャリアの場合、Ｃｉは２である。
【０３４８】
Ｍｉの値は以下の規則に従う。周波数分割複信ＦＤＤシステムの場合、Ｍｉは１であり、時分割複信ＴＤＤシステムの場合、異なるアグリゲーションキャリアに対応するＭｉの値は、同一であるか、異なる。
【０３４９】
さらに、前記第２確定モジュール７２以下８つの方法のうちの１つで、現在サブフレームにおいて前記端末装置により伝送する第２種ＵＣＩの伝送ビット数を確定する。
【０３５０】
方法１
現在サブフレームにＣＳＩフィードバックがあるダウンリンクキャリア中の、ＣＳＩフィードバックビット数がＡ−Ｂビットを超えないダウンリンクキャリア集合を確定する。ここで、Ａは、現在サブフレームにおけるＵＣＩが同時に伝送する閾値ビット数を示し、Ｂは、前記第１確定モジュール７１により確定した現在サブフレームにおいて前記端末装置により伝送するＡＣＫ／ＮＡＣＫの伝送ビット数を示す。
【０３５１】
ＣＳＩ報告タイプ優先レベルとキャリア番号のうちの少なくとも１つに基づいて、前記ダウンリンクキャリア集合から１つのダウンリンクキャリアを選択し、選択したダウンリンクキャリアのＣＳＩ報告タイプに対応する実際フィードバックビット数Ｃｒｅａｌを、現在サブフレームにおいて前記端末装置により伝送するＡＣＫ／ＮＡＣＫの伝送ビット数とする。
【０３５２】
ここで、前記確定したダウンリンクキャリア集合が空集合である場合、現在サブフレームにおいて前記端末装置により伝送するＣＳＩの伝送ビット数が０であると確定する。
【０３５３】
方法２
ステップＡにおいて、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択する。
【０３５４】
ステップＢにおいて、選択したダウンリンクキャリアのＣＳＩ報告タイプに対応する伝送ビット数がＡ−Ｂビットを超えるかを判断する。ここで、Ａは、現在サブフレームにおけるＵＣＩが同時に伝送する閾値ビット数を示し、Ｂは、前記第１確定モジュール７１により確定した現在サブフレームにおいて前記端末装置により伝送するＡＣＫ／ＮＡＣＫの伝送ビット数を示す。
【０３５５】
判断結果が「超えない」である場合、前記ダウンリンクキャリアのＣＳＩ報告タイプに対応する実際フィードバックビット数Ｃｒｅａｌを、現在サブフレームにおいて前記端末装置により伝送するＣＳＩの伝送ビット数とする。
【０３５６】
判断結果が「超える」である場合、現在サブフレームにおいて前記端末装置により伝送するＣＳＩの伝送ビット数が０であると確定する。
【０３５７】
或いは、判断結果が「超える」である場合、前記ダウンリンクキャリア集合から、ステップＡにおいて現在選択したダウンリンクキャリアを削除し、ステップＡを再執行し、現在アップデート後のダウンリンクキャリア集合から、引き続き１つのダウンリンクキャリアのＣＳＩを選択して対応する処理を行う。
【０３５８】
ここで、前記現在アップデート後のダウンリンクキャリア集合が空集合である場合、現在サブフレームにおいて前記端末装置により伝送するＣＳＩの伝送ビット数が０であると確定する。
【０３５９】
方法３
現在サブフレームにＣＳＩフィードバックがあるダウンリンクキャリアにおいて、ＣＳＩ報告タイプに対応する最大フィードバックビット数がＡ−Ｂのダウンリンクキャリア集合を超えないと確定する。ここで、Ａは、現在サブフレームにおけるＵＣＩが同時に伝送する閾値ビット数を示し、Ｂは、前記第１確定モジュール７１により確定した現在サブフレームにおいて前記端末装置により伝送するＡＣＫ／ＮＡＣＫの伝送ビット数を示す。
【０３６０】
ＣＳＩ報告タイプ優先レベルとキャリア番号のうちの少なくとも１つに基づいて、前記ダウンリンクキャリア集合から１つのダウンリンクキャリアを選択し、現在サブフレームにおいて伝送するＣＳＩの伝送ビット数が、前記ダウンリンクキャリアのＣＳＩ報告タイプに対応する最大フィードバックビット数Ｃｔｙｐｅ＿ｍａｘであると確定する。
【０３６１】
ここで、前記ダウンリンクキャリアに対応するＣＳＩ報告タイプの実際フィードバックビット数ＣｒｅａｌがＣｔｙｐｅ＿ｍａｘより小さい場合、前記Ｃｔｙｐｅ＿ｍａｘビットＣＳＩフィードバック情報に、Ｃｔｙｐｅ＿ｍａｘ−Ｃｒｅａｌビットのプレースホルダーが含まれると確定する。且つ、プレースホルダーが削除されたＣｒｅａｌビットＣＳＩを、前記ダウンリンクキャリアの実際ＣＳＩとする。
【０３６２】
前記ダウンリンクキャリアに対応するＣＳＩ報告タイプの実際フィードバックビット数ＣｒｅａｌがＣｔｙｐｅ＿ｍａｘに等しい場合、前記Ｃｔｙｐｅ＿ｍａｘビットのＣＳＩフィードバック情報が、前記ダウンリンクキャリアの実際ＣＳＩであると確定する。
【０３６３】
前記確定したダウンリンクキャリア集合が空集合である場合、前記現在サブフレームにおいて端末装置により伝送するＣＳＩの伝送ビット数が０であると確定する。
【０３６４】
方法：
ステップＡにおいて、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択する。
【０３６５】
ステップＢにおいて、前記ダウンリンクキャリアのＣＳＩ報告タイプに対応する最大フィードバックビット数Ｃｔｙｐｅ＿ｍａｘがＡ−Ｂビットを超えるかを判断する。ここで、Ａは、現在サブフレームにおけるＵＣＩが同時に伝送する閾値ビット数を示し、Ｂは、前記第１確定モジュール７１により確定した現在サブフレームにおいて前記端末装置により伝送するＡＣＫ／ＮＡＣＫの伝送ビット数を示す。
【０３６６】
判断結果が「超えない」である場合、前記現在サブフレームにおいて端末装置により伝送するＣＳＩの伝送ビット数が、前記ダウンリンクキャリアのＣＳＩ報告タイプに対応する最大フィードバックビット数Ｃｔｙｐｅ＿ｍａｘであると確定する。ここで、前記ダウンリンクキャリアに対応するＣＳＩ報告タイプの実際フィードバックビット数ＣｒｅａｌがＣｔｙｐｅ＿ｍａｘより小さい場合、前記Ｃｔｙｐｅ＿ｍａｘビットＣＳＩフィードバック情報に、Ｃｔｙｐｅ＿ｍａｘ−Ｃｒｅａｌビットのプレースホルダーが含まれると確定し、プレースホルダーが削除されたＣｒｅａｌビットＣＳＩを、前記ダウンリンクキャリアの実際ＣＳＩとする。前記ダウンリンクキャリアに対応するＣＳＩ報告タイプの実際フィードバックビット数ＣｒｅａｌがＣｔｙｐｅ＿ｍａｘに等しい場合、前記Ｃｔｙｐｅ＿ｍａｘビットのＣＳＩフィードバック情報が、前記ダウンリンクキャリアの実際ＣＳＩであると確定する。
【０３６７】
判断結果が「超える」である場合、現在サブフレームにおいて前記端末装置により伝送するＣＳＩの伝送ビット数が０であると確定する。
【０３６８】
或いは、判断結果が「超える」である場合、前記ダウンリンクキャリア集合から、ステップＡにおいて現在選択したダウンリンクキャリアを削除し、ステップＡを再執行し、現在アップデート後のダウンリンクキャリア集合から、引き続き１つのダウンリンクキャリアのＣＳＩを選択して対応する処理を行う。
【０３６９】
ここで、前記現在アップデート後のダウンリンクキャリア集合が空集合である場合、現在サブフレームにおいて前記端末装置により伝送するＣＳＩの伝送ビット数が０であると確定する。
【０３７０】
方法５
ステップＡにおて、ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択する。
【０３７１】
ステップＢにおいて、前記ダウンリンクキャリアのＣＳＩ報告タイプに対応する最小フィードバックビット数Ｃｔｙｐｅ−ｍｉｎがＡ−Ｂビットを超えるかを判断する。ここで、Ａは、現在サブフレームにおけるＵＣＩが同時に伝送する閾値ビット数を示し、Ｂは、前記第１確定モジュール７１により確定した現在サブフレームにおいて前記端末装置により伝送するＡＣＫ／ＮＡＣＫの伝送ビット数を示す。
【０３７２】
判断結果が「超えない」である場合、前記現在サブフレームにおいて端末装置により伝送するＣＳＩの伝送ビット数がＡ−Ｂビットであると確定する。ここで、前記ダウンリンクキャリアのＣＳＩ報告タイプに対応する実際のフィードバックビット数ＣｒｅａｌがＡ−Ｂより小さい場合、前記Ａ−ＢビットＣＳＩフィードバック情報にＡ−Ｂ−Ｃｒｅａｌビットのプレースホルダーが含まれると確定し、プレースホルダーが削除されたＣｒｅａｌビットＣＳＩを、前記ダウンリンクキャリアの実際ＣＳＩとする。前記ダウンリンクキャリアのＣＳＩ報告タイプに対応する実際のフィードバックビット数ＣｒｅａｌがＡ−Ｂビットより大きい場合、前記Ａ−ＢビットＣＳＩフィードバック情報が、前記ダウンリンクキャリアの実際ＣＳＩフィードバックビット中の前のＡ−Ｂビット情報であると確定する。または、Ａ−ＢビットＣＳＩフィードバック情報の全部がプレースホルダーであると確定する。前記ダウンリンクキャリアのＣＳＩ報告タイプに対応する実際のフィードバックビット数ＣｒｅａｌがＡ−Ｂに等しい場合、前記Ａ−ＢビットのＣＳＩフィードバック情報が、前記ダウンリンクキャリアの実際ＣＳＩであると確定する。
【０３７３】
判断結果が「超える」である場合、現在サブフレームにおいて前記端末装置により伝送するＣＳＩの伝送ビット数が０であると確定する。或いは、
【０３７４】
判断結果が「超える」である場合、前記ダウンリンクキャリア集合から、ステップＡで選択したダウンリンクキャリアを削除し、ステップＡを再執行し、現在アップデート後のダウンリンクキャリア集合から、引き続き１つのダウンリンクキャリアのＣＳＩを選択して対応する処理を行う。
【０３７５】
ここで、前記現在アップデート後のダウンリンクキャリア集合が空集合である場合、現在サブフレームにおいて前記端末装置により伝送するＣＳＩの伝送ビット数が０であると確定する。
【０３７６】
方法６：
は、現在サブフレームにＣＳＩフィードバックがあるダウンリンクキャリアのＣＳＩ報告タイプに対応する最小フィードバックビット数Ｃｔｙｐｅ＿ｍｉｎがＡ−Ｂビットのダウンリンクキャリア集合を超えないと確定する。ここで、Ａは、現在サブフレームにおけるＵＣＩが同時に伝送する閾値ビット数を示し、Ｂは、前記第１確定モジュール７１により確定した現在サブフレームにおいて前記端末装置により伝送するＡＣＫ／ＮＡＣＫの伝送ビット数を示す。
【０３７７】
前記ダウンリンクキャリア集合が空集合ではない場合、確定在現在サブフレームにおいて前記端末装置により伝送するＣＳＩの伝送ビット数がＡ−Ｂビットである，は、ＣＳＩ報告タイプ優先レベルとキャリア番号のうちの少なくとも１つに基づいて、前記ダウンリンクキャリア集合から１つのダウンリンクキャリアを選択し、且つ、前記ダウンリンクキャリアのＣＳＩ報告タイプに対応する実際のフィードバックビット数ＣｒｅａｌがＡ−Ｂビットを超えるかを判断する。
【０３７８】
前記ダウンリンクキャリアのＣＳＩ報告タイプに対応する実際のフィードバックビット数ＣｒｅａｌがＡ−Ｂビットより小さいと判断する場合、前記Ａ−ＢビットＣＳＩフィードバック情報にＡ−Ｂ−Ｃｒｅａｌビットのプレースホルダーが含まれると確定し、プレースホルダーが削除されたＣｒｅａｌビットＣＳＩを、前記ダウンリンクキャリアの実際ＣＳＩとする。
【０３７９】
前記ダウンリンクキャリアのＣＳＩ報告タイプに対応する実際のフィードバックビット数ＣｒｅａｌがＡ−Ｂビットに等しいと判断する場合、前記Ａ−ＢビットのＣＳＩフィードバック情報が、前記ダウンリンクキャリアの実際ＣＳＩであると確定する。
【０３８０】
前記ダウンリンクキャリアのＣＳＩ報告タイプに対応する実際のフィードバックビット数ＣｒｅａｌがＡ−Ｂビットより大きいと判断する場合、前記Ａ−ＢビットＣＳＩフィードバック情報が、前記ダウンリンクキャリアの実際ＣＳＩフィードバックビット中の前のＡ−Ｂビット情報であると確定する。または、Ａ−ＢビットＣＳＩフィードバック情報の全部がプレースホルダーであると確定する。
【０３８１】
前記ダウンリンクキャリア集合が空集合である場合、現在サブフレームにおいて前記端末装置により伝送するＣＳＩの伝送ビット数が０であると確定する。
【０３８２】
方法７
前記現在サブフレームにおいて端末装置により伝送するＣＳＩの伝送ビット数がＡ−Ｂビットであると確定する。ここで、Ａは、現在サブフレームにおけるＵＣＩが同時に伝送する閾値ビット数を示し、Ｂは、前記第１確定モジュール７１により確定した現在サブフレームにおいて前記端末装置により伝送するＡＣＫ／ＮＡＣＫの伝送ビット数を示す。
【０３８３】
ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択し、且つ、前記ダウンリンクキャリアのＣＳＩ報告タイプに対応する実際のフィードバックビット数ＣｒｅａｌがＡ−Ｂビットを超えるかを判断する。
【０３８４】
前記ダウンリンクキャリアのＣＳＩ報告タイプに対応する実際のフィードバックビット数ＣｒｅａｌがＡ−Ｂビットより小さいと判断する場合、前記Ａ−ＢビットＣＳＩフィードバック情報にＡ−Ｂ−Ｃｒｅａｌビットのプレースホルダーが含まれると確定し、プレースホルダーが削除されたＣｒｅａｌビットＣＳＩを、前記ダウンリンクキャリアの実際ＣＳＩとする。
【０３８５】
前記ダウンリンクキャリアのＣＳＩ報告タイプに対応する実際のフィードバックビット数ＣｒｅａｌがＡ−Ｂビットに等しいと判断する場合、前記Ａ−ＢビットＣＳＩフィードバック情報が、前記ダウンリンクキャリアの実際ＣＳＩであると確定する。
【０３８６】
前記ダウンリンクキャリアのＣＳＩ報告タイプに対応する実際のフィードバックビット数ＣｒｅａｌがＡ−Ｂビットより大きいと判断する場合、前記Ａ−ＢビットＣＳＩフィードバック情報が、前記ダウンリンクキャリアの実際ＣＳＩフィードバックビット中の前のＡ−Ｂビット情報であると確定する。または、Ａ−ＢビットＣＳＩフィードバック情報の全部がプレースホルダーであると確定する。または、前記ダウンリンクキャリア集合から、ステップＡで選択したダウンリンクキャリアを削除し、ステップＡを再執行し、現在アップデート後のダウンリンクキャリア集合から、引き続き１つのダウンリンクキャリアのＣＳＩを選択して対応する処理を行う。ここで、前記現在アップデート後のダウンリンクキャリア集合が空集合である場合、前記現在サブフレームにおいて端末装置により伝送するＣＳＩの伝送ビット数が０であると確定する。
【０３８７】
方法８
前記現在サブフレームにおいて端末装置により伝送するＣＳＩの伝送ビット数がＡ−Ｂビットであると確定する。ここで、Ａは、現在サブフレームにおけるＵＣＩが同時に伝送する閾値ビット数を示し、Ｂは、前記第１確定モジュール７１により確定した現在サブフレームにおいて前記端末装置により伝送するＡＣＫ／ＮＡＣＫの伝送ビット数を示す。
【０３８８】
現在サブフレームにＣＳＩフィードバックがあるダウンリンクキャリアにおける、ＣＳＩ実際フィードバックビット数がＡ−Ｂビットを超えないダウンリンクキャリア集合を確定する。ＣＳＩ報告タイプ優先レベルとキャリア番号のうちの少なくとも１つに基づいて、前記ダウンリンクキャリア集合から１つのダウンリンクキャリアを選択し、且つ、前記ダウンリンクキャリアのＣＳＩ報告タイプに対応する実際のフィードバックビット数ＣｒｅａｌがＡ−Ｂビットを超えるかを判断する。
【０３８９】
前記ダウンリンクキャリアのＣＳＩ報告タイプに対応する実際のフィードバックビット数ＣｒｅａｌがＡ−Ｂビットより小さいと判断する場合、前記Ａ−ＢビットＣＳＩフィードバック情報にＡ−Ｂ−Ｃｒｅａｌビットのプレースホルダーが含まれると確定し、プレースホルダーが削除されたＣｒｅａｌビットＣＳＩを、前記ダウンリンクキャリアの実際ＣＳＩとする。
【０３９０】
前記ダウンリンクキャリアのＣＳＩ報告タイプに対応する実際のフィードバックビット数ＣｒｅａｌがＡ−Ｂビットに等しいと判断する場合、前記Ａ−ＢビットＣＳＩフィードバック情報が、前記ダウンリンクキャリアの実際ＣＳＩであると確定する。
【０３９１】
前記ダウンリンクキャリアのＣＳＩ報告タイプに対応する実際のフィードバックビット数ＣｒｅａｌがＡ−Ｂビットより大きいと判断する場合、前記Ａ−ＢビットＣＳＩフィードバック情報が、前記ダウンリンクキャリアの実際ＣＳＩフィードバックビット中の前のＡ−Ｂビット情報であると確定する。または、Ａ−ＢビットＣＳＩフィードバック情報の全部がプレースホルダーであると確定する。
【０３９２】
ここで、前記確定したダウンリンクキャリア集合が空集合である場合、前記現在サブフレームにおいて端末装置により伝送するＣＳＩの伝送ビット数が０であると確定する。
【０３９３】
さらに、前記第１種ＵＣＩがＣＳＩであり、前記第２種ＵＣＩがＡＣＫ／ＮＡＣＫである場合、前記第１確定モジュール７１は具体的に以下のことに用いられる。
【０３９４】
ＣＳＩ報告タイプ優先レベルとキャリア番号のうちの少なくとも１つに基づいて、現在サブフレームにＣＳＩフィードバックがあるダウンリンクキャリア集合から、１つのダウンリンクキャリアを選択する。
【０３９５】
前記ダウンリンクキャリアのＣＳＩ報告タイプに対応する実際のフィードバックビット数Ｃｒｅａｌを、現在サブフレームにおいて前記端末装置により伝送するＣＳＩ伝送ビット数とする。
【０３９６】
或いは、前記ダウンリンクキャリアのＣＳＩ報告タイプに対応する最大フィードバックビット数Ｃｔｙｐｅ＿ｍａｘを、現在サブフレームにおいて前記端末装置により伝送するＣＳＩ伝送ビット数とする。
【０３９７】
さらに、前記第１種ＵＣＩがＣＳＩであり、前記第２種ＵＣＩがＡＣＫ／ＮＡＣＫである場合、前記第２確定モジュール７２は具体的に以下のことに用いられる。
【０３９８】
設定キャリア数と、各設定キャリアの伝送モードと、各キャリア上の、現在サブフレームにおいてＡＣＫ／ＮＡＣＫフィードバックを行うべきダウンリンクサブフレーム数とに基づいて、フィードバック待機のＡＣＫ／ＮＡＣＫのフィードバックビット数を確定する。
【０３９９】
前記フィードバック待機のＡＣＫ／ＮＡＣＫのフィードバックビット数がＡ−Ｃを超えるかを判断する。ここで、Ａは、現在サブフレームにおけるＵＣＩが同時に伝送する閾値ビット数を示し、Ｃは、前記第１確定モジュール７１により確定した在現在サブフレームにおいて前記端末装置により伝送するＣＳＩの伝送ビット数を示す。
【０４００】
判断結果が「超えない」である場合、前記フィードバック待機のＡＣＫ／ＮＡＣＫのフィードバックビット数を、現在サブフレームにおいて前記端末装置により伝送するＡＣＫ／ＮＡＣＫの伝送ビット数とする。
【０４０１】
判断結果が「超える」である場合、前記端末装置は、フィードバック待機のＡＣＫ／ＮＡＣＫに対して空間合併を行い、空間合併後のＡＣＫ／ＮＡＣＫのフィードバックビット数がＡ−Ｃを超えないようにし、且つ、空間合併後のＡＣＫ／ＮＡＣＫの伝送ビット数を、現在サブフレームにおいて前記端末装置により伝送するＡＣＫ／ＮＡＣＫの伝送ビット数とする。
【０４０２】
さらに、前記現在サブフレームが、スケジューリング・リクウェストＳＲ伝送サブフレームである場合、前記処理モジュールは具体的に以下のことに用いられる。
【０４０３】
現在サブフレームにおける対応するチャネル・リソースにおいて、前記第１種ＵＣＩと、第２種ＵＣＩと、１ビットＳＲとを受信する。
【０４０４】
従来技術と比べ、本発明に係る実施例の技術案は以下のメリットを有する。
【０４０５】
本発明に係る実施例の技術案を実施することにより、現在サブフレームに対応するチャネル・リソースにおいて、同時伝送ＡＣＫ／ＮＡＣＫ及び周期ＣＳＩの同時伝送方法を実現できる。現在サブフレームにおけるＵＣＩが同時に伝送する閾値ビット数と、第１種ＵＣＩが現在サブフレームにおける伝送ビット数とに基づいて、第１種ＵＣＩと同時に伝送する第２種ＵＣＩの伝送ビット数を動的に確定し、同時に伝送するＵＣＩビットの和が、現在サブフレームにおけるＵＣＩが同時に伝送する閾値ビット数を超えないことを確保できる。ＡＣＫ／ＮＡＣＫ合併とＣＳＩ放棄をなくべく防ぎ、アップリンク情報伝送の正確性及び整合性を最大限に確保する。
【０４０６】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０４０７】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。  
【０４０８】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０４０９】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。  
【０４１０】
上述した実施形態に記述された技術的な解決手段を改造し、或いはその中の一部の技術要素を置換することもできる。そのような、改造と置換は本発明の各実施形態の技術の範囲から逸脱するとは見なされない。
【０４１１】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０４１２】
６１  第１生成モジュール
６２  第２生成モジュール
６３  伝送モジュール
７１  第１確定モジュール
７２  第２確定モジュール
７３  受信モジュール
【図１】
0005990644.tif 000015
【図２Ａ】
0005990644.tif 000016
【図２Ｂ】
0005990644.tif 000017
【図２Ｃ】
0005990644.tif 000018
【図２Ｄ】
0005990644.tif 000019
【図２Ｅ】
0005990644.tif 000020
【図２Ｆ】
0005990644.tif 000021
【図２Ｇ】
0005990644.tif 000022
【図２Ｈ】
0005990644.tif 000023
【図２Ｉ】
0005990644.tif 000024
【図３Ａ】
0005990644.tif 000025
【図３Ｂ】
0005990644.tif 000026
【図３Ｃ】
0005990644.tif 000027
【図３Ｄ】
0005990644.tif 000028
【図３Ｅ】
0005990644.tif 000029
【図３Ｆ】
0005990644.tif 000030
【図３Ｇ】
0005990644.tif 000031
【図３Ｈ】
0005990644.tif 000032
【図３Ｉ】
0005990644.tif 000033
【図４】
0005990644.tif 000034
【図５】
0005990644.tif 000035
【図６】
0005990644.tif 000036
【図７】
0005990644.tif 000037